(57)【要約】本出願に係る実施例は、キャリアアグリゲーション場合のパワーヘッドルームＰＨ報告方法及び装置を開示し、無線通信分野に関する。端末が異なるキャリア組に対応する異なるアップリンクキャリアにて物理アップリンク制御チャネル（ＰＵＣＣＨ）を伝送することをサポートする場合、ＰＨ報告をどうするかの課題を解決する。本出願において、端末は、ＰＨ報告が必要となる複数のＰＵＣＣＨ伝送用のアップリンクキャリアにおける各アップリンクキャリアのため、１個のタイプＴｙｐｅ１ ＰＨ及び１個のＴｙｐｅ２ ＰＨを生成し、ＰＨ報告が必要となる、ＰＵＣＣＨ伝送用のアップリンクキャリア以外の各アップリンクキャリアのため、１個のＴｙｐｅ１ ＰＨを生成し、生成した各Ｔｙｐｅ１ ＰＨ及びＴｙｐｅ２ ＰＨを、現在アップリンクサブフレームにおいて、ネットワーク側に報告することにより、上記の課題を解決した。 【選択図】  図５
2016510561.tif 000002
【特許請求の範囲】
【請求項１】
キャリアアグリゲーション場合のパワーヘッドルームＰＨ報告方法であって、
端末は、複数のダウンリンクキャリアをアグリゲーションし、前記複数のダウンリンクキャリアを複数のキャリア組に分け、各キャリア組に対し、前記キャリア組における１個の指定したダウンリンクキャリアとペア関係になるアップリンクキャリアを、前記キャリア組に対応する伝送物理アップリンク制御チャネル（ＰＵＣＣＨ）伝送用のアップリンクキャリアとして指定し、
前記方法は、
端末が、ＰＨ報告が必要となる複数のＰＵＣＣＨ伝送用のアップリンクキャリアにおける各アップリンクキャリアのため、１個のタイプＴｙｐｅ１ ＰＨ及び１個のＴｙｐｅ２ ＰＨを生成し、ＰＨ報告が必要となる、ＰＵＣＣＨ伝送用のアップリンクキャリア以外の各アップリンクキャリアのため、１個のＴｙｐｅ１ ＰＨを生成するステップと、
端末が、生成した各Ｔｙｐｅ１ ＰＨ及びＴｙｐｅ２ ＰＨを、現在アップリンクサブフレームにおいて、ネットワーク側に報告するステップとを備えること
を特徴とするキャリアアグリゲーション場合のパワーヘッドルームＰＨ報告方法。
【請求項２】
端末がＰＨ報告が必要となる複数のＰＵＣＣＨ伝送用のアップリンクキャリアにおける各アップリンクキャリアのため、１個のＴｙｐｅ１ ＰＨ及び１個のＴｙｐｅ２ ＰＨを生成する前、
端末がネットワーク側から送信した設定情報に基づいて、自身がアグリゲーションした複数のダウンリンクキャリアを複数のキャリア組に分け、各キャリア組には、少なくとも１個のダウンリンクキャリアが含まれるステップと、
端末が、各キャリア組に対し、ネットワーク側から送信した上位層シグナリングに基づくか、またはネットワーク側との事前協議に基づいて、前記キャリア組における１個の指定したダウンリンクキャリアとペア関係になるアップリンクキャリアを、前記キャリア組に対応するＰＵＣＣＨ伝送用のアップリンクキャリアとして確定するステップとをさらに備えること
を特徴とする請求項１に記載のキャリアアグリゲーション場合のパワーヘッドルームＰＨ報告方法。
【請求項３】
前記端末が前記Ｔｙｐｅ１ ＰＨ及び/または前記Ｔｙｐｅ２ ＰＨを生成することは、以下の仕様により生成し、
仕様１：
前記ＰＵＣＣＨ伝送用のアップリンクキャリア、及びＰＵＣＣＨ伝送用のアップリンクキャリア以外のアップリンクキャリアに対し、端末は、前記アップリンクキャリアに対応するキャリア組における各ダウンリンクキャリアとペア関係になるアップリンクキャリアの上り伝送関連情報に基づいて、前記アップリンクキャリアのＴｙｐｅ１ ＰＨを生成し、
前記ＰＵＣＣＨ伝送用のアップリンクキャリアに対し、端末は、前記アップリンクキャリアに対応するキャリア組における各ダウンリンクキャリアとペア関係になるアップリンクキャリアの上り伝送関連情報に基づいて、前記アップリンクキャリアのＴｙｐｅ２ ＰＨを生成し、
ここで、前記アップリンクキャリアに対応するキャリア組は、前記アップリンクキャリアとペア関係になるダウンリンクキャリアが属するキャリア組であり、
または、
仕様２：
前記ＰＵＣＣＨ伝送用のアップリンクキャリア、及びＰＵＣＣＨ伝送用のアップリンクキャリア以外のアップリンクキャリアに対し、端末は、アップリンクキャリアの全部の上り伝送関連情報に基づいて、前記アップリンクキャリアのＴｙｐｅ１ ＰＨを生成し、
前記ＰＵＣＣＨ伝送用のアップリンクキャリアに対し、端末は、アップリンクキャリアの全部の上り伝送関連情報に基づいて、前記アップリンクキャリアのＴｙｐｅ２ ＰＨを生成することを特徴とする請求項１に記載のキャリアアグリゲーション場合のパワーヘッドルームＰＨ報告方法。
【請求項４】
当前記端末が前記仕様１を採用する場合、
前記ＰＵＣＣＨ伝送用のアップリンクキャリア、及びＰＵＣＣＨ伝送用のアップリンクキャリア以外のアップリンクキャリアに対し、端末が、前記アップリンクキャリアに対応するキャリア組における各ダウンリンクキャリアとペア関係になるアップリンクキャリアの上り伝送関連情報に基づいて、前記アップリンクキャリアのＴｙｐｅ１ ＰＨを生成することは、以下のようであり、
もし、現在アップリンクサブフレームｉにおいて、前記アップリンクキャリア上で、端末が物理アップリンク共有チャネルＰＵＳＣＨ伝送を行い、且つ、現在アップリンクサブフレームｉにおいて、前記アップリンクキャリアに対応するキャリア組における各ダウンリンクキャリアとペア関係になるアップリンクキャリア上で、端末がＰＵＣＣＨ伝送をしなければ、以下の数１に基づいて、前記アップリンクキャリアのＴｙｐｅ１ ＰＨを生成し、
もし、現在アップリンクサブフレームｉにおいて、前記アップリンクキャリア上で、端末がＰＵＳＣＨ伝送を行い、且つ、現在アップリンクサブフレームｉにおいて、前記アップリンクキャリアに対応するキャリア組の各ダウンリンクキャリアとペア関係になるアップリンクキャリア上で、端末がＰＵＣＣＨ伝送をすれば、下記の数２に基づいて、前記アップリンクキャリアのＴｙｐｅ１ ＰＨを生成し、
もし、現在アップリンクサブフレームｉにおいて、前記アップリンクキャリア上で、端末がＰＵＳＣＨ伝送を行わなければ、以下の数３に基づいて、前記アップリンクキャリアのＴｙｐｅ１ ＰＨを生成し、
または、
もし現在アップリンクサブフレームｉにおいて、前記アップリンクキャリア上で、端末がＰＵＳＣＨ伝送を行い、ＰＵＣＣＨ伝送を行わなければ、以下の数１に基づいて、前記アップリンクキャリアのＴｙｐｅ１ ＰＨを生成し、
もし現在アップリンクサブフレームｉにおいて、前記アップリンクキャリア上で、端末がＰＵＳＣＨ及びＰＵＣＣＨ伝送をともに行えば、下記の数２に基づいて、前記アップリンクキャリアのＴｙｐｅ１ ＰＨを生成し、
もし、現在アップリンクサブフレームｉにおいて、前記アップリンクキャリア上で、端末がＰＵＳＣＨ伝送を行わなければ、以下の数３に基づいて、前記アップリンクキャリアのＴｙｐｅ１ ＰＨを生成し、
（数１）
2016510561.tif 000073
[ｄＢ]
ここで、ｃは前記アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアｃに対応するキャリア組における各ダウンリンクキャリアとペア関係になるアップリンクキャリアの、現在アップリンクサブフレームｉにおける上り伝送関連情報に基づいて、確定したものであり、MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタであり、
（数２）
2016510561.tif 000074
[ｄＢ]
ここで、ｃは前記アップリンクキャリア的キャリア番号であり、P~CMAX,c(i)は、端末が現在アップリンクサブフレームｉにおいて、アップリンクキャリアｃ上の最大発送電力であり、P~CMAX,c(i)を確定する際に利用する電力低減値は、現在アップリンクサブフレームｉにおいて、アップリンクキャリアｃに対応するキャリア組における各ダウンリンクキャリアとペア関係になるアップリンクキャリア上で、ＰＵＳＣＨ伝送のみを行えば、且つ前記ＰＵＳＣＨに対応する上り伝送関連情報に基づいて確定され、
または、P~CMAX,c(i)を確定する際に利用する電力低減値は、現在アップリンクサブフレームｉにおいて、前記アップリンクキャリアｃ上でＰＵＳＣＨ伝送のみを行えば、前記アップリンクキャリアｃ上の、ＰＵＳＣＨに対応する上り伝送関連情報と、前記アップリンクキャリアｃに対応するキャリア組における各ダウンリンクキャリアとペア関係になる、前記アップリンクキャリアｃ以外のアップリンクキャリアの上り伝送関連情報とに基づいて、確定され、
PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタであり、
（数３）
2016510561.tif 000075
[ｄＢ]
ここで、ｃは前記アップリンクキャリア的キャリア番号であり、P~CMAX,c(i)は、端末が現在アップリンクサブフレームｉにおいて、アップリンクキャリアｃ上の最大発送電力であり、P~CMAX,c(i)は、最大電力低減ＭＰＲ値が０、付加最大電力低減Ａ−ＭＰＲ値が０ｄＢ、電力管理最大電力低減Ｐ−ＭＰＲ値が０、及びサイドバンド伝送電力低減ＴＣ値が０であるとの前提で、得られた値であり、PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタであり、
及び/または，
前記ＰＵＣＣＨ伝送用のアップリンクキャリアに対し、端末が、前記アップリンクキャリアに対応するキャリア組における各ダウンリンクキャリアとペア関係になるアップリンクキャリアの上り伝送関連情報に基づいて、前記アップリンクキャリアのＴｙｐｅ２ ＰＨを生成することは、以下のようであり、
もし現在アップリンクサブフレームｉにおいて、前記アップリンクキャリア上で、端末がＰＵＣＣＨ及びＰＵＳＣＨ伝送をともに行えば、以下の数４に基づいて、前記アップリンクキャリアのＴｙｐｅ２ ＰＨを生成し、
もし現在アップリンクサブフレームｉにおいて、前記アップリンクキャリア上で、端末がＰＵＳＣＨ伝送を行い、ＰＵＣＣＨ伝送を行わなければ、以下の数５に基づいて、前記アップリンクキャリアのＴｙｐｅ２ ＰＨを生成し、
もし、現在アップリンクサブフレームｉにおいて、前記アップリンクキャリア上で、端末がＰＵＣＣＨ伝送を行なうが、ＰＵＳＣＨ伝送をしなければ、以下の数６に基づいて、前記アップリンクキャリアのＴｙｐｅ２ ＰＨを生成し、
もし、現在アップリンクサブフレームｉにおいて、前記アップリンクキャリア上で、端末がＰＵＳＣＨ伝送及びＰＵＣＣＨ伝送を行わなければ、以下の数７に基づいて、前記アップリンクキャリアのＴｙｐｅ２ ＰＨを生成し、
（数４）
2016510561.tif 000076
[ｄＢ]
ここで、ｃは前記アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアｃに対応するキャリア組における各ダウンリンクキャリアとペア関係になるアップリンクキャリアの、現在アップリンクサブフレームｉにおける上り伝送関連情報に基づいて、確定したものであり、PO_PUSCH,c, PLc, hc(nCQI, nHARQ, nSR), △F_PUCCH,c(F), △TXD,C(F′)及びgc(i) は、アップリンクキャリアｃ上の、現在アップリンクサブフレームｉにおいて伝送するＰＵＣＣＨの電力計算パラメタであり、MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタであり、
（数５）
2016510561.tif 000077
[ｄＢ]
ここで、ｃは前記アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアｃに対応するキャリア組における各ダウンリンクキャリアとペア関係になるアップリンクキャリアの、現在アップリンクサブフレームｉにおける上り伝送関連情報に基づいて、確定したものであり、PO_PUSCH,c、PLc及びgc(i)は、事前定義したアップリンクキャリアｃ上の、現在アップリンクサブフレームｉにおけるバーチャルなＰＵＣＣＨ伝送の電力計算パラメタであり、MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタであり、
（数６）
2016510561.tif 000078
[ｄＢ]
ここで、ｃは前記アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアｃに対応するキャリア組における各ダウンリンクキャリアとペア関係になるアップリンクキャリアの、現在アップリンクサブフレームｉにおける上り伝送関連情報に基づいて、確定したものであり、PO_PUSCH,c, PLc, hc(nCQI, nHARQ, nSR), △F_PUCCH,c(F), △TXD,C(F′)及びgc(i) は、アップリンクキャリアｃ上の、現在アップリンクサブフレームｉにおいて伝送するＰＵＣＣＨの電力計算パラメタであり、PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタであり、
（数７）
2016510561.tif 000079
[ｄＢ]
ここで、ｃは前記アップリンクキャリア的キャリア番号であり、P~CMAX,c(i)は、端末が現在アップリンクサブフレームｉにおいて、アップリンクキャリアｃ上の最大発送電力であり、P~CMAX,c(i)は、ＭＰＲ値が０、Ａ−ＭＰＲ値が０ｄＢ、Ｐ−ＭＰＲ値が０、及びΔＴＣ値が０である前提で得る値であり、PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタであり、PO_PUSCH,c、PLc及びgc(i)は、事前定義したアップリンクキャリアｃ上の、現在アップリンクサブフレームｉにおけるバーチャルなＰＵＣＣＨ伝送の電力計算パラメタであり、
または、
前記端末が前記仕様２を採用する場合、
前記ＰＵＣＣＨ伝送用のアップリンクキャリア、及びＰＵＣＣＨ伝送用のアップリンクキャリア以外のアップリンクキャリアに対し、端末が、アップリンクキャリアの全部の上り伝送関連情報に基づいて、前記アップリンクキャリアのＴｙｐｅ１ ＰＨを生成することは、以下のようであり、
もし現在アップリンクサブフレームｉにおいて、前記アップリンクキャリア上で、端末がＰＵＳＣＨ伝送を行い、且つ、現在アップリンクサブフレームｉにおいて、いずれのキャリア組に対応するＰＵＣＣＨ伝送用のアップリンクキャリアにおいても、端末がＰＵＣＣＨ伝送をしなければ、以下の数８に基づいて、前記アップリンクキャリアのＴｙｐｅ１ ＰＨを生成し、 
もし現在アップリンクサブフレームｉにおいて、前記アップリンクキャリア上で、端末がＰＵＳＣＨ伝送を行い、且つ、現在アップリンクサブフレームｉにおいて、少なくとも１個のキャリア組に対応するＰＵＣＣＨ伝送用のアップリンクキャリア上で、端末がＰＵＣＣＨ伝送を行えば、下記の数９に基づいて、前記アップリンクキャリアのＴｙｐｅ１ ＰＨを生成し、 
もし、現在アップリンクサブフレームｉにおいて、前記アップリンクキャリア上で、端末がＰＵＳＣＨ伝送を行わなければ、下記の数１０に基づいて、前記アップリンクキャリアのＴｙｐｅ１ ＰＨを生成し、 
または、
もし現在アップリンクサブフレームｉにおいて、前記アップリンクキャリア上で、端末がＰＵＳＣＨ伝送を行い、ＰＵＣＣＨ伝送を行わなければ、以下の数８に基づいて、前記アップリンクキャリアのＴｙｐｅ１ ＰＨを生成し、
もし現在アップリンクサブフレームｉにおいて、前記アップリンクキャリア上で、端末がＰＵＳＣＨ及びＰＵＣＣＨ伝送をともに行えば、下記の数９に基づいて、前記アップリンクキャリアのＴｙｐｅ１ ＰＨを生成し、
もし、現在アップリンクサブフレームｉにおいて、前記アップリンクキャリア上で、端末がＰＵＳＣＨ伝送を行わなければ、下記の数１０に基づいて、前記アップリンクキャリアのＴｙｐｅ１ ＰＨを生成し、
（数８）
2016510561.tif 000080
[ｄＢ]
ここで、ｃは前記アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアの、現在アップリンクサブフレームｉにおける全部の上り伝送関連情報に基づいて確定され、MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタであり、
（数９）
2016510561.tif 000081
[ｄＢ]
ここで、ｃは前記アップリンクキャリア的キャリア番号であり、P~CMAX,c(i)は、端末が現在アップリンクサブフレームｉにおいて、アップリンクキャリアｃ上の最大発送電力であり、P~CMAX,c(i)を確定する際に利用する電力低減値は、現在アップリンクサブフレームｉにおいて、全部のアップリンクキャリア上で、ＰＵＳＣＨ伝送のみを行えば、且つ前記ＰＵＳＣＨに対応する上り伝送関連情報に基づいて確定され、または、P~CMAX,c(i)を確定する際に利用する電力低減値は、現在アップリンクサブフレームｉにおいて、前記アップリンクキャリアｃ上でＰＵＳＣＨ伝送のみを行えば、前記アップリンクキャリアｃ上の、ＰＵＳＣＨに対応する上り伝送関連情報、及び前記端末の前記アップリンクキャリアｃ以外のアップリンクキャリアの上り伝送関連情報に基づいて確定され、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタであり、
（数１０）
2016510561.tif 000082
[ｄＢ]
ここで、ｃは前記アップリンクキャリア的キャリア番号であり、P~CMAX,c(i)は、端末が現在アップリンクサブフレームｉにおいて、アップリンクキャリアｃ上の最大発送電力であり、P~CMAX,c(i)は、ＭＰＲ値が０、Ａ−ＭＰＲ値が０ｄＢ、Ｐ−ＭＰＲ値が０、及びΔＴＣ値が０である前提で得る値であり、PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタであり、
及び/または，
前記ＰＵＣＣＨ伝送用のアップリンクキャリアに対し、端末は、アップリンクキャリアの全部の上り伝送関連情報に基づいて、前記アップリンクキャリアのＴｙｐｅ２ ＰＨを生成することは、以下のようであり、
もし現在アップリンクサブフレームｉにおいて、前記アップリンクキャリア上で、端末がＰＵＣＣＨ伝送及びＰＵＳＣＨ伝送をともに行えば、下記の数１１に基づいて、前記アップリンクキャリアのＴｙｐｅ２ ＰＨを生成し、
もし現在アップリンクサブフレームｉにおいて、前記アップリンクキャリア上で、端末がＰＵＳＣＨ伝送を行い、ＰＵＣＣＨ伝送を行わなければ、下記の数１２に基づいて、前記アップリンクキャリアのＴｙｐｅ２ ＰＨを生成し、
もし、現在アップリンクサブフレームｉにおいて、前記アップリンクキャリア上で、端末がＰＵＣＣＨ伝送を行なうが、ＰＵＳＣＨ伝送をしなければ、下記の数１３に基づいて、前記アップリンクキャリアのＴｙｐｅ２ ＰＨを生成し、
もし、現在アップリンクサブフレームｉにおいて、前記アップリンクキャリア上で、端末がＰＵＳＣＨ伝送及びＰＵＣＣＨ伝送を行わなければ、下記の数１４に基づいて、前記アップリンクキャリアのＴｙｐｅ２ ＰＨを生成し、
（数１１）
2016510561.tif 000083
[ｄＢ]
ここで、ｃは前記アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアの、現在アップリンクサブフレームｉにおける全部の上り伝送関連情報に基づいて確定され、PO_PUSCH,c, PLc, hc(nCQI, nHARQ, nSR), △F_PUCCH,c(F), △TXD,C(F′)及びgc(i) は、アップリンクキャリアｃ上の、現在アップリンクサブフレームｉにおいて伝送するＰＵＣＣＨの電力計算パラメタであり、MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタであり、
（数１２）
2016510561.tif 000084
[ｄＢ]
ここで、ｃは前記アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアの、現在アップリンクサブフレームｉにおける全部の上り伝送関連情報に基づいて確定され、PO_PUSCH,c、PLc及びgc(i)は、事前定義したアップリンクキャリアｃ上の、現在アップリンクサブフレームｉにおけるバーチャルなＰＵＣＣＨ伝送の電力計算パラメタであり、MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタであり、
（数１３）
2016510561.tif 000085
[ｄＢ]
ここで、ｃは前記アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアの、現在アップリンクサブフレームｉにおける全部の上り伝送関連情報に基づいて確定され、PO_PUSCH,c, PLc, hc(nCQI, nHARQ, nSR), △F_PUCCH,c(F), △TXD,C(F′)及びgc(i) は、アップリンクキャリアｃ上の、現在アップリンクサブフレームｉにおいて伝送するＰＵＣＣＨの電力計算パラメタであり、PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタであり、
（数１４）
2016510561.tif 000086
[ｄＢ]
ここで、ｃは前記アップリンクキャリア的キャリア番号であり、P~CMAX,c(i)は、端末が現在アップリンクサブフレームｉにおいて、アップリンクキャリアｃ上の最大発送電力であり、P~CMAX,c(i)は、ＭＰＲ値が０、Ａ−ＭＰＲ値が０ｄＢ、Ｐ−ＭＰＲ値が０、及びサイドバンド伝送電力低減ＴＣ値が０である前提で得る値であり、PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタであり、PO_PUSCH,c、PLc及びgc(i)は、事前定義したアップリンクキャリアｃ上の、現在アップリンクサブフレームｉにおけるバーチャルなＰＵＣＣＨ伝送の電力計算パラメタであることを特徴とする請求項３に記載のキャリアアグリゲーション場合のパワーヘッドルームＰＨ報告方法。
【請求項５】
前記端末が数２に基づいて前記アップリンクキャリアのＴｙｐｅ１ ＰＨを生成する場合、
前記端末の物理層を介して、前記P~CMAX,c(i)を前記端末の上位層に報告し、
及び/または，
前記端末は、（数９）に基づいて前記アップリンクキャリアのＴｙｐｅ１ ＰＨを生成する場合、
前記端末の物理層を介して、前記P~CMAX,c(i)を前記端末の上位層に報告することを特徴とする請求項４に記載のキャリアアグリゲーション場合のパワーヘッドルームＰＨ報告方法。
【請求項６】
キャリアアグリゲーション場合のパワーヘッドルームＰＨ受信方法であって、
端末は、複数のダウンリンクキャリアをアグリゲーションし、前記複数のダウンリンクキャリアを複数のキャリア組に分け、各キャリア組に対し、前記キャリア組における１個の指定したダウンリンクキャリアとペア関係になるアップリンクキャリアを、前記キャリア組に対応する伝送物理アップリンク制御チャネル（ＰＵＣＣＨ）伝送用のアップリンクキャリアとして指定し、
前記方法は、
ネットワーク側が端末から報告したパワーヘッドルームＰＨ情報を受信するステップと、
ネットワーク側が前記ＰＨ情報から、ＰＨ報告する必要がある複数のＰＵＣＣＨ伝送用のアップリンクキャリア中の各アップリンクキャリアそれぞれに対応する１個のタイプＴｙｐｅ１ ＰＨ及び１個のＴｙｐｅ２ ＰＨを取得するステップと、
ネットワーク側が、前記ＰＨ情報から、ＰＨ報告する必要があるＰＵＣＣＨ伝送用のアップリンクキャリア以外の各アップリンクキャリアそれぞれに対応する１個のＴｙｐｅ１ ＰＨを取得するステップとを備えること
を特徴とする請求項５に記載のキャリアアグリゲーション場合のパワーヘッドルームＰＨ受信方法。
【請求項７】
ネットワーク側が端末から報告したＰＨ情報を受信する前に、
ネットワーク側が端末に設定情報を送信し、前記設定情報は、アグリゲーションの複数のダウンリンクキャリアを、複数のキャリア組に分けるように、端末に指示し、各キャリア組には、少なくとも１個のダウンリンクキャリアが含まれるステップと、
ネットワーク側が端末に上位層シグナリングを送信し、前記上位層シグナリングは、各キャリア組に対し前記キャリア組における１個の指定したダウンリンクキャリアとペア関係になるアップリンクキャリアを、前記キャリア組に対応するＰＵＣＣＨ伝送用のアップリンクキャリアとするように指示し、または、ネットワーク側各キャリア組に対し、端末との事前協議に基づいて、前記キャリア組における１個の指定したダウンリンクキャリアとペア関係になるアップリンクキャリアを、前記キャリア組に対応するＰＵＣＣＨ伝送用のアップリンクキャリアとして確定するステップとを備えること
を特徴とする請求項６に記載のキャリアアグリゲーション場合のパワーヘッドルームＰＨ受信方法。
【請求項８】
ネットワーク側が前記ＰＨ情報から前記Ｔｙｐｅ１ ＰＨ及び/または前記Ｔｙｐｅ２ ＰＨを取得することは、以下の仕様で取得し、
仕様１：
前記ＰＵＣＣＨ伝送用のアップリンクキャリア、及びＰＵＣＣＨ伝送用のアップリンクキャリア以外のアップリンクキャリアに対し、ネットワーク側は、前記アップリンクキャリアに対応するＴｙｐｅ１ ＰＨが、端末が前記アップリンクキャリアに対応するキャリア組における各ダウンリンクキャリアとペア関係になるアップリンクキャリアの上り伝送関連情報に基づいて生成したものであることを確定し、
前記ＰＵＣＣＨ伝送用のアップリンクキャリアに対し、ネットワーク側は、前記アップリンクキャリアに対応するＴｙｐｅ２ ＰＨは、端末が前記アップリンクキャリアに対応するキャリア組における各ダウンリンクキャリアとペア関係になるアップリンクキャリアの上り伝送関連情報に基づいて生成したものであると確定し、
または、
仕様２：
前記ＰＵＣＣＨ伝送用のアップリンクキャリア、及びＰＵＣＣＨ伝送用のアップリンクキャリア以外のアップリンクキャリアに対し、ネットワーク側は、前記アップリンクキャリアに対応するＴｙｐｅ１ ＰＨが、端末が全部アップリンクキャリアの上り伝送関連情報に基づいて生成したものであることを確定し、
前記ＰＵＣＣＨ伝送用のアップリンクキャリアに対し、ネットワーク側は、前記アップリンクキャリアに対応するＴｙｐｅ２ ＰＨが、端末が全部のアップリンクキャリアの上り伝送関連情報に基づいて生成したものであることを確定することを特徴とする請求項６に記載のキャリアアグリゲーション場合のパワーヘッドルームＰＨ受信方法。
【請求項９】
当前記ネットワーク側が前記仕様１を採用する場合、
前記ＰＵＣＣＨ伝送用のアップリンクキャリア、及びＰＵＣＣＨ伝送用のアップリンクキャリア以外のアップリンクキャリアに対し、ネットワーク側は、前記アップリンクキャリアに対応するＴｙｐｅ１ ＰＨが、端末が前記アップリンクキャリアに対応するキャリア組における各ダウンリンクキャリアとペア関係になるアップリンクキャリアの上り伝送関連情報に基づいて生成したものであることを確定することは、以下のようであり、
もしネットワーク側は、現在アップリンクサブフレームｉにおいて、前記アップリンクキャリア上で、端末が物理アップリンク共有チャネルＰＵＳＣＨ伝送を行い、且つ、現在アップリンクサブフレームｉにおいて、前記アップリンクキャリアに対応するキャリア組における各ダウンリンクキャリアとペア関係になるアップリンクキャリア上で、端末がＰＵＣＣＨ伝送をしなければ、ネットワーク側は、端末が下記の数１に基づいて、前記アップリンクキャリアのＴｙｐｅ１ ＰＨを生成することを確定し、
もしネットワーク側が、現在アップリンクサブフレームｉにおいて、前記アップリンクキャリア上で端末がＰＵＳＣＨ伝送を行い、且つ、現在アップリンクサブフレームｉにおいて、前記アップリンクキャリアに対応するキャリア組の各ダウンリンクキャリアとペア関係になるアップリンクキャリア上で、端末がＰＵＣＣＨ伝送を行なうと確定すれば、ネットワーク側は、端末が下記数２に基づいて前記アップリンクキャリアのＴｙｐｅ１ ＰＨを生成することを確定し、
もしネットワーク側が、現在アップリンクサブフレームｉにおいて、前記アップリンクキャリア上で端末がＰＵＳＣＨ伝送を行わないと確定すれば、ネットワーク側は、端末が以下の数３に基づいて、前記アップリンクキャリアのＴｙｐｅ１ ＰＨを生成することを確定し、
または、
もしネットワーク側が、現在アップリンクサブフレームｉにおいて、前記アップリンクキャリア上で端末がＰＵＳＣＨ伝送を行なうがＰＵＣＣＨ伝送をしないと確定すれば、ネットワーク側は、端末が下記の数１に基づいて、前記アップリンクキャリアのＴｙｐｅ１ ＰＨを生成することを確定し、
もしネットワーク側が、現在アップリンクサブフレームｉにおいて、前記アップリンクキャリア上で端末がＰＵＳＣＨ及びＰＵＣＣＨ伝送をともに行うと確定すれば、ネットワーク側は、端末が下記数２に基づいて前記アップリンクキャリアのＴｙｐｅ１ ＰＨを生成することを確定し、
もしネットワーク側が、現在アップリンクサブフレームｉにおいて、前記アップリンクキャリア上で端末がＰＵＳＣＨ伝送を行わないと確定すれば、ネットワーク側は、端末が以下の数３に基づいて、前記アップリンクキャリアのＴｙｐｅ１ ＰＨを生成することを確定し、
（数１）
2016510561.tif 000087
[ｄＢ]；
ここで、ｃは前記アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアｃに対応するキャリア組における各ダウンリンクキャリアとペア関係になるアップリンクキャリアの、現在アップリンクサブフレームｉにおける上り伝送関連情報に基づいて、確定したものであり、MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタであり、
（数２）
2016510561.tif 000088
[ｄＢ]
ここで、ｃは前記アップリンクキャリア的キャリア番号であり、P~CMAX,c(i)は、端末が現在アップリンクサブフレームｉにおいて、アップリンクキャリアｃ上の最大発送電力であり、P~CMAX,c(i)を確定する際に利用する電力低減値は、現在アップリンクサブフレームｉにおいて、アップリンクキャリアｃに対応するキャリア組における各ダウンリンクキャリアとペア関係になるアップリンクキャリア上で、ＰＵＳＣＨ伝送のみを行えば、且つ前記ＰＵＳＣＨに対応する上り伝送関連情報に基づいて確定され、または、P~CMAX,c(i)を確定する際に利用する電力低減値は、現在アップリンクサブフレームｉにおいて、前記アップリンクキャリアｃ上でＰＵＳＣＨ伝送のみを行えば、前記アップリンクキャリアｃ上の、ＰＵＳＣＨに対応する上り伝送関連情報と、前記アップリンクキャリアｃに対応するキャリア組における各ダウンリンクキャリアとペア関係になる、前記アップリンクキャリアｃ以外のアップリンクキャリアの上り伝送関連情報とに基づいて、確定され、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタであり、
（数３）
2016510561.tif 000089
[ｄＢ]
ここで、ｃは前記アップリンクキャリア的キャリア番号であり、P~CMAX,c(i)は、端末が現在アップリンクサブフレームｉにおいて、アップリンクキャリアｃ上の最大発送電力であり、P~CMAX,c(i)は、最大電力低減ＭＰＲ値が０、付加最大電力低減Ａ−ＭＰＲ値が０ｄＢ、電力管理最大電力低減Ｐ−ＭＰＲ値が０、及びサイドバンド伝送電力低減ＴＣ値が０であるとの前提で、得られた値であり、PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタであり、
及び/または，
前記ＰＵＣＣＨ伝送用のアップリンクキャリアに対し、ネットワーク側は、前記アップリンクキャリアに対応するＴｙｐｅ２ ＰＨは、端末が前記アップリンクキャリアに対応するキャリア組における各ダウンリンクキャリアとペア関係になるアップリンクキャリアの上り伝送関連情報に基づいて生成したものであると確定することは、以下のようであり、
もしネットワーク側が、現在アップリンクサブフレームｉにおいて、前記アップリンクキャリア上で端末がＰＵＣＣＨ及びＰＵＳＣＨ伝送をともに行うと確定すれば、ネットワーク側は、端末が下記の数４に基づいて、前記アップリンクキャリアのＴｙｐｅ２ ＰＨを生成することを確定し、
もしネットワーク側が、現在アップリンクサブフレームｉにおいて、前記アップリンクキャリア上で端末がＰＵＳＣＨ伝送を行なうがＰＵＣＣＨ伝送をしないと確定すれば、ネットワーク側は、端末が下記の数５に基づいて、前記アップリンクキャリアのＴｙｐｅ２ ＰＨを生成することを確定し、
もしネットワーク側が、現在アップリンクサブフレームｉにおいて、前記アップリンクキャリア上で端末がＰＵＣＣＨ伝送を行い、ＰＵＳＣＨ伝送をしないと確定すれば、ネットワーク側は、端末が下記の数６に基づいて、前記アップリンクキャリアのＴｙｐｅ２ ＰＨを生成することを確定し、
もしネットワーク側が、現在アップリンクサブフレームｉにおいて、前記アップリンクキャリア上で端末がＰＵＳＣＨ伝送及びＰＵＣＣＨ伝送を行わないと確定すれば、ネットワーク側は、端末が下記の数７に基づいて、前記アップリンクキャリアのＴｙｐｅ２ ＰＨを生成することを確定し、
（数４）
2016510561.tif 000090
[ｄＢ]
ここで、ｃは前記アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアｃに対応するキャリア組における各ダウンリンクキャリアとペア関係になるアップリンクキャリアの、現在アップリンクサブフレームｉにおける上り伝送関連情報に基づいて、確定したものであり、PO_PUSCH,c, PLc, hc(nCQI, nHARQ, nSR), △F_PUCCH,c(F), △TXD,C(F′)及びgc(i) は、アップリンクキャリアｃ上の、現在アップリンクサブフレームｉにおいて伝送するＰＵＣＣＨの電力計算パラメタであり、MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタであり、
（数５）
2016510561.tif 000091
[ｄＢ]
ここで、ｃは前記アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアｃに対応するキャリア組における各ダウンリンクキャリアとペア関係になるアップリンクキャリアの、現在アップリンクサブフレームｉにおける上り伝送関連情報に基づいて、確定したものであり、PO_PUSCH,c、PLc及びgc(i)は、事前定義したアップリンクキャリアｃ上の、現在アップリンクサブフレームｉにおけるバーチャルなＰＵＣＣＨ伝送の電力計算パラメタであり、MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタであり、
（数６）
2016510561.tif 000092
[ｄＢ]
ここで、ｃは前記アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアｃに対応するキャリア組における各ダウンリンクキャリアとペア関係になるアップリンクキャリアの、現在アップリンクサブフレームｉにおける上り伝送関連情報に基づいて、確定したものであり、PO_PUSCH,c, PLc, hc(nCQI, nHARQ, nSR), △F_PUCCH,c(F), △TXD,C(F′)及びgc(i) は、アップリンクキャリアｃ上の、現在アップリンクサブフレームｉにおいて伝送するＰＵＣＣＨの電力計算パラメタであり、PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタであり、
（数７）
2016510561.tif 000093
[ｄＢ]
ここで、ｃは前記アップリンクキャリア的キャリア番号であり、P~CMAX,c(i)は、端末が現在アップリンクサブフレームｉにおいて、アップリンクキャリアｃ上の最大発送電力であり、PCMAX,c(i)は、ＭＰＲ値が０、Ａ−ＭＰＲ値が０ｄＢ、Ｐ−ＭＰＲ値が０、及びΔＴＣ値が０である前提で得る値であり、PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタであり、PO_PUSCH,c、PLc及びgc(i)は、事前定義したアップリンクキャリアｃ上の、現在アップリンクサブフレームｉにおけるバーチャルなＰＵＣＣＨ伝送の電力計算パラメタであり、
または、
当前記ネットワーク側が前記仕様２を採用する場合、
前記ＰＵＣＣＨ伝送用のアップリンクキャリア、及びＰＵＣＣＨ伝送用のアップリンクキャリア以外のアップリンクキャリアに対し、ネットワーク側は、前記アップリンクキャリアに対応するＴｙｐｅ１ ＰＨが、端末が全部アップリンクキャリアの上り伝送関連情報に基づいて生成したものであることを確定することは、以下のようであり、
もしネットワーク側が、現在アップリンクサブフレームｉにおいて、前記アップリンクキャリア上で端末がＰＵＳＣＨ伝送を行い、且つ、現在アップリンクサブフレームｉにおいて、いずれのキャリア組に対応するＰＵＣＣＨ伝送用のアップリンクキャリアにおいても、端末がＰＵＣＣＨ伝送をしないと確定すれば、ネットワーク側は、端末が下記の数８に基づいて、前記アップリンクキャリアのＴｙｐｅ１ ＰＨを生成することを確定し、 
もしネットワーク側が、現在アップリンクサブフレームｉにおいて、前記アップリンクキャリア上で端末がＰＵＳＣＨ伝送を行い、且つ、現在アップリンクサブフレームｉにおいて、少なくとも１個のキャリア組に対応するＰＵＣＣＨ伝送用のアップリンクキャリア上で、端末がＰＵＣＣＨ伝送を行うと確定すれば、ネットワーク側は、端末が下記の数９に基づいて、前記アップリンクキャリアのＴｙｐｅ１ ＰＨを生成することを確定し、 
もしネットワーク側が、現在アップリンクサブフレームｉにおいて、前記アップリンクキャリア上で端末がＰＵＳＣＨ伝送を行わないと確定すれば、ネットワーク側が端末が下記の数１０に基づいて、前記アップリンクキャリアのＴｙｐｅ１ ＰＨを生成することを確定し、 
または、
もしネットワーク側が、現在アップリンクサブフレームｉにおいて、前記アップリンクキャリア上で端末がＰＵＳＣＨ伝送を行なうがＰＵＣＣＨ伝送をしないと確定すれば、ネットワーク側は、端末が下記の数８に基づいて、前記アップリンクキャリアのＴｙｐｅ１ ＰＨを生成することを確定し、、
もしネットワーク側が、現在アップリンクサブフレームｉにおいて、前記アップリンクキャリア上で端末がＰＵＳＣＨ及びＰＵＣＣＨ伝送をともに行うと確定すれば、ネットワーク側は、端末が下記の数９に基づいて、前記アップリンクキャリアのＴｙｐｅ１ ＰＨを生成することを確定し、
もしネットワーク側が、現在アップリンクサブフレームｉにおいて、前記アップリンクキャリア上で端末がＰＵＳＣＨ伝送を行わないと確定すれば、ネットワーク側は、端末が下記の数１０に基づいて、前記アップリンクキャリアのＴｙｐｅ１ ＰＨを生成することを確定し、
（数８）
2016510561.tif 000094
[ｄＢ]
ここで、ｃは前記アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアの、現在アップリンクサブフレームｉにおける全部の上り伝送関連情報に基づいて確定され、MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタであり、
（数９）
2016510561.tif 000095
[ｄＢ]
ここで、ｃは前記アップリンクキャリア的キャリア番号であり、P~CMAX,c(i)は、端末が現在アップリンクサブフレームｉにおいて、アップリンクキャリアｃ上の最大発送電力であり、P~CMAX,c(i)を確定する際に利用する電力低減値は、現在アップリンクサブフレームｉにおいて、全部のアップリンクキャリア上で、ＰＵＳＣＨ伝送のみを行い、且つ前記ＰＵＳＣＨに対応する上り伝送関連情報に基づいて確定され、または、P~CMAX,c(i)を確定する際に利用する電力低減値は、現在アップリンクサブフレームｉにおいて、前記アップリンクキャリアｃ上でＰＵＳＣＨ伝送のみを行えば、前記アップリンクキャリアｃ上の、ＰＵＳＣＨに対応する上り伝送関連情報、及び前記端末の前記アップリンクキャリアｃ以外のアップリンクキャリアの上り伝送関連情報に基づいて確定され、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタであり、
（数１０）
2016510561.tif 000096
[ｄＢ]
ここで、ｃは前記アップリンクキャリア的キャリア番号であり、P~CMAX,c(i)は、端末が現在アップリンクサブフレームｉにおいて、アップリンクキャリアｃ上の最大発送電力であり、P~CMAX,c(i)は、ＭＰＲ値が０、Ａ−ＭＰＲ値が０ｄＢ、Ｐ−ＭＰＲ値が０、及びΔＴＣ値が０である前提で得る値であり、PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタであり、
及び/または，
前記ＰＵＣＣＨ伝送用のアップリンクキャリアに対し、ネットワーク側は、前記アップリンクキャリアに対応するＴｙｐｅ２ ＰＨが、端末が全部のアップリンクキャリアの上り伝送関連情報に基づいて生成したものであることを確定することは、以下のようであり、
もしネットワーク側が、現在アップリンクサブフレームｉにおいて、前記アップリンクキャリア上で端末がＰＵＣＣＨ伝送及びＰＵＳＣＨ伝送をともに行うと確定すれば、ネットワーク側は、端末が下記の数１１に基づいて、前記アップリンクキャリアのＴｙｐｅ２ ＰＨを生成することを確定し、
もしネットワーク側が、現在アップリンクサブフレームｉにおいて、前記アップリンクキャリア上で端末がＰＵＳＣＨ伝送を行なうがＰＵＣＣＨ伝送をしないと確定すれば、ネットワーク側は、端末が下記の数１２に基づいて、前記アップリンクキャリアのＴｙｐｅ２ ＰＨを生成することを確定し、
もしネットワーク側が、現在アップリンクサブフレームｉにおいて、前記アップリンクキャリア上で端末がＰＵＣＣＨ伝送を行い、ＰＵＳＣＨ伝送をしないと確定すれば、ネットワーク側は、端末が下記の数１３に基づいて、前記アップリンクキャリアのＴｙｐｅ２ ＰＨを生成することを確定し、、
もしネットワーク側が、現在アップリンクサブフレームｉにおいて、前記アップリンクキャリア上で端末がＰＵＳＣＨ伝送及びＰＵＣＣＨ伝送を行わないと確定すれば、ネットワーク側は、端末が下記の数１４に基づいて、前記アップリンクキャリアのＴｙｐｅ２ ＰＨを生成することを確定し、
（数１１）：
2016510561.tif 000097
[ｄＢ]
ここで、ｃは前記アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアの、現在アップリンクサブフレームｉにおける全部の上り伝送関連情報に基づいて確定され、PO_PUSCH,c, PLc, hc(nCQI, nHARQ, nSR), △F_PUCCH,c(F), △TXD,C(F′)及びgc(i) は、アップリンクキャリアｃ上の、現在アップリンクサブフレームｉにおいて伝送するＰＵＣＣＨの電力計算パラメタであり、MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタであり、
（数１２）
2016510561.tif 000098
[ｄＢ]
ここで、ｃは前記アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアの、現在アップリンクサブフレームｉにおける全部の上り伝送関連情報に基づいて確定され、PO_PUSCH,c、PLc及びgc(i)は、事前定義したアップリンクキャリアｃ上の、現在アップリンクサブフレームｉにおけるバーチャルなＰＵＣＣＨ伝送の電力計算パラメタであり、MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタであり、
（数１３）
2016510561.tif 000099
[ｄＢ]
ここで、ｃは前記アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアの、現在アップリンクサブフレームｉにおける全部の上り伝送関連情報に基づいて確定され、PO_PUSCH,c, PLc, hc(nCQI, nHARQ, nSR), △F_PUCCH,c(F), △TXD,C(F′)及びgc(i) は、アップリンクキャリアｃ上の、現在アップリンクサブフレームｉにおいて伝送するＰＵＣＣＨの電力計算パラメタであり、PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタであり、
（数１４）
2016510561.tif 000100
[ｄＢ]
ここで、ｃは前記アップリンクキャリア的キャリア番号であり、P~CMAX,c(i)は、端末が現在アップリンクサブフレームｉにおいて、アップリンクキャリアｃ上の最大発送電力であり、P~CMAX,c(i)は、ＭＰＲ値が０、Ａ−ＭＰＲ値が０ｄＢ、Ｐ−ＭＰＲ値が０、及びサイドバンド伝送電力低減ＴＣ値が０である前提で得る値であり、PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタであり、PO_PUSCH,c、PLc及びgc(i)は、事前定義したアップリンクキャリアｃ上の、現在アップリンクサブフレームｉにおけるバーチャルなＰＵＣＣＨ伝送の電力計算パラメタであることを特徴とする請求項８に記載のキャリアアグリゲーション場合のパワーヘッドルームＰＨ受信方法。
【請求項１０】
端末であって、
前記端末が複数のダウンリンクキャリアをアグリゲーションし、前記複数のダウンリンクキャリアを複数のキャリア組に分け、各キャリア組に対し、前記キャリア組における１個の指定したダウンリンクキャリアとペア関係になるアップリンクキャリアを、前記キャリア組に対応する伝送物理アップリンク制御チャネル（ＰＵＣＣＨ）伝送用のアップリンクキャリアとして指定し、
前記端末は、
ＰＨ報告が必要となる複数のＰＵＣＣＨ伝送用のアップリンクキャリア中の各アップリンクキャリアのために、１個のタイプＴｙｐｅ１ ＰＨ及び１個のＴｙｐｅ２ ＰＨを生成し、ＰＨ報告が必要となる、ＰＵＣＣＨ伝送用のアップリンクキャリア以外の各アップリンクキャリアのため、１個のＴｙｐｅ１ ＰＨを生成するＰＨ生成ユニットと、
生成した各Ｔｙｐｅ１ ＰＨ及びＴｙｐｅ２ ＰＨを、現在アップリンクサブフレームにおいて、ネットワーク側に報告するＰＨ報告ユニットとを備えることを特徴とする端末。
【請求項１１】
前記端末は、設定ユニットをさらに備え、
前記設定ユニットは、ＰＨ報告が必要となる複数のＰＵＣＣＨ伝送用のアップリンクキャリア中の各アップリンクキャリアのため、１個のＴｙｐｅ１ ＰＨ及び１個のＴｙｐｅ２ ＰＨを生成する前、ネットワーク側から送信した設定情報に基づいて、自身がアグリゲーションした複数のダウンリンクキャリアを複数のキャリア組に分け、各キャリア組には、少なくとも１個のダウンリンクキャリアが含まれる、
各キャリア組に対し、ネットワーク側から送信した上位層シグナリングに基づくか、またはネットワーク側との事前協議に基づいて、前記キャリア組における１個の指定したダウンリンクキャリアとペア関係になるアップリンクキャリアを、前記キャリア組に対応するＰＵＣＣＨ伝送用のアップリンクキャリアとして確定することを特徴とする請求項10に記載の端末。
【請求項１２】
前記ＰＨ生成ユニットは、
前記ＰＵＣＣＨ伝送用のアップリンクキャリア、及びＰＵＣＣＨ伝送用のアップリンクキャリア以外のアップリンクキャリアに対し、前記アップリンクキャリアに対応するキャリア組における各ダウンリンクキャリアとペア関係になるアップリンクキャリアの上り伝送関連情報に基づいて、前記アップリンクキャリアのＴｙｐｅ１ ＰＨを生成する第１生成ユニットと、
前記ＰＵＣＣＨ伝送用のアップリンクキャリアに対し、前記アップリンクキャリアに対応するキャリア組における各ダウンリンクキャリアとペア関係になるアップリンクキャリアの上り伝送関連情報に基づいて、前記アップリンクキャリアのＴｙｐｅ２ ＰＨを生成する第２生成ユニットとを備え、
前記アップリンクキャリアに対応するキャリア組は、前記アップリンクキャリアとペア関係になるダウンリンクキャリアが属するキャリア組であり、
または、前記ＰＨ生成ユニットは、
前記ＰＵＣＣＨ伝送用のアップリンクキャリア、及びＰＵＣＣＨ伝送用のアップリンクキャリア以外のアップリンクキャリアに対し、端末は、アップリンクキャリアの全部の上り伝送関連情報に基づいて、前記アップリンクキャリアのＴｙｐｅ１ ＰＨを生成する第３生成ユニットと、
前記ＰＵＣＣＨ伝送用のアップリンクキャリアに対し、端末は、アップリンクキャリアの全部の上り伝送関連情報に基づいて、前記アップリンクキャリアのＴｙｐｅ２ ＰＨを生成する第４生成ユニットとを備えること
を特徴とする請求項10に記載の端末。
【請求項１３】
前記ＰＨ生成ユニットが前記第１生成ユニットと、前記第２生成ユニットとを備える場合、
前記第１生成ユニットは、
もし、現在アップリンクサブフレームｉにおいて、前記アップリンクキャリア上で、端末が物理アップリンク共有チャネルＰＵＳＣＨ伝送を行い、且つ、現在アップリンクサブフレームｉにおいて、前記アップリンクキャリアに対応するキャリア組における各ダウンリンクキャリアとペア関係になるアップリンクキャリア上で、端末がＰＵＣＣＨ伝送をしなければ、以下の数１に基づいて、前記アップリンクキャリアのＴｙｐｅ１ ＰＨを生成し、
もし、現在アップリンクサブフレームｉにおいて、前記アップリンクキャリア上で、端末がＰＵＳＣＨ伝送を行い、且つ、現在アップリンクサブフレームｉにおいて、前記アップリンクキャリアに対応するキャリア組の各ダウンリンクキャリアとペア関係になるアップリンクキャリア上で、端末がＰＵＣＣＨ伝送をすれば、下記の数２に基づいて、前記アップリンクキャリアのＴｙｐｅ１ ＰＨを生成し、
もし、現在アップリンクサブフレームｉにおいて、前記アップリンクキャリア上で、端末がＰＵＳＣＨ伝送を行わなければ、以下の数３に基づいて、前記アップリンクキャリアのＴｙｐｅ１ ＰＨを生成し、
または、
もし現在アップリンクサブフレームｉにおいて、前記アップリンクキャリア上で、端末がＰＵＳＣＨ伝送を行い、ＰＵＣＣＨ伝送を行わなければ、以下の数１に基づいて、前記アップリンクキャリアのＴｙｐｅ１ ＰＨを生成し、
もし現在アップリンクサブフレームｉにおいて、前記アップリンクキャリア上で、端末がＰＵＳＣＨ及びＰＵＣＣＨ伝送をともに行えば、下記の数２に基づいて、前記アップリンクキャリアのＴｙｐｅ１ ＰＨを生成し、
もし、現在アップリンクサブフレームｉにおいて、前記アップリンクキャリア上で、端末がＰＵＳＣＨ伝送を行わなければ、以下の数３に基づいて、前記アップリンクキャリアのＴｙｐｅ１ ＰＨを生成し、
（数１）
2016510561.tif 000101
[ｄＢ]
ここで、ｃは前記アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアｃに対応するキャリア組における各ダウンリンクキャリアとペア関係になるアップリンクキャリアの、現在アップリンクサブフレームｉにおける上り伝送関連情報に基づいて、確定したものであり、MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタであり、
（数２）
2016510561.tif 000102
[ｄＢ]
ここで、ｃは前記アップリンクキャリア的キャリア番号であり、P~CMAX,c(i)は、端末が現在アップリンクサブフレームｉにおいて、アップリンクキャリアｃ上の最大発送電力であり、P~CMAX,c(i)を確定する際に利用する電力低減値は、現在アップリンクサブフレームｉにおいて、アップリンクキャリアｃに対応するキャリア組における各ダウンリンクキャリアとペア関係になるアップリンクキャリア上で、ＰＵＳＣＨ伝送のみを行えば、且つ前記ＰＵＳＣＨに対応する上り伝送関連情報に基づいて確定され、または、P~CMAX,c(i)を確定する際に利用する電力低減値は、現在アップリンクサブフレームｉにおいて、前記アップリンクキャリアｃ上でＰＵＳＣＨ伝送のみを行えば、前記アップリンクキャリアｃ上の、ＰＵＳＣＨに対応する上り伝送関連情報と、前記アップリンクキャリアｃに対応するキャリア組における各ダウンリンクキャリアとペア関係になる、前記アップリンクキャリアｃ以外のアップリンクキャリアの上り伝送関連情報とに基づいて、確定され、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタであり、
（数３）
2016510561.tif 000103
[ｄＢ]
ここで、ｃは前記アップリンクキャリア的キャリア番号であり、P~CMAX,c(i)は、端末が現在アップリンクサブフレームｉにおいて、アップリンクキャリアｃ上の最大発送電力であり、P~CMAX,c(i)は、最大電力低減ＭＰＲ値が０、付加最大電力低減Ａ−ＭＰＲ値が０ｄＢ、電力管理最大電力低減Ｐ−ＭＰＲ値が０、及びサイドバンド伝送電力低減ＴＣ値が０であるとの前提で、得られた値であり、PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタであり、
及び/または，
前記第２生成ユニットは、
もし現在アップリンクサブフレームｉにおいて、前記アップリンクキャリア上で、端末がＰＵＣＣＨ及びＰＵＳＣＨ伝送をともに行えば、以下の数４に基づいて、前記アップリンクキャリアのＴｙｐｅ２ ＰＨを生成し、
もし現在アップリンクサブフレームｉにおいて、前記アップリンクキャリア上で、端末がＰＵＳＣＨ伝送を行い、ＰＵＣＣＨ伝送を行わなければ、以下の数５に基づいて、前記アップリンクキャリアのＴｙｐｅ２ ＰＨを生成し、
もし、現在アップリンクサブフレームｉにおいて、前記アップリンクキャリア上で、端末がＰＵＣＣＨ伝送を行なうが、ＰＵＳＣＨ伝送をしなければ、以下の数６に基づいて、前記アップリンクキャリアのＴｙｐｅ２ ＰＨを生成し、
もし、現在アップリンクサブフレームｉにおいて、前記アップリンクキャリア上で、端末がＰＵＳＣＨ伝送及びＰＵＣＣＨ伝送を行わなければ、以下の数７に基づいて、前記アップリンクキャリアのＴｙｐｅ２ ＰＨを生成し、
（数４）
2016510561.tif 000104
[ｄＢ]
ここで、ｃは前記アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアｃに対応するキャリア組における各ダウンリンクキャリアとペア関係になるアップリンクキャリアの、現在アップリンクサブフレームｉにおける上り伝送関連情報に基づいて、確定したものであり、PO_PUSCH,c, PLc, hc(nCQI, nHARQ, nSR), △F_PUCCH,c(F), △TXD,C(F′)及びgc(i) は、アップリンクキャリアｃ上の、現在アップリンクサブフレームｉにおいて伝送するＰＵＣＣＨの電力計算パラメタであり、MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタであり、
（数５）
2016510561.tif 000105
[ｄＢ]
ここで、ｃは前記アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアｃに対応するキャリア組における各ダウンリンクキャリアとペア関係になるアップリンクキャリアの、現在アップリンクサブフレームｉにおける上り伝送関連情報に基づいて、確定したものであり、PO_PUSCH,c、PLc及びgc(i)は、事前定義したアップリンクキャリアｃ上の、現在アップリンクサブフレームｉにおけるバーチャルなＰＵＣＣＨ伝送の電力計算パラメタであり、MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタであり、
（数６）
2016510561.tif 000106
[ｄＢ]
ここで、ｃは前記アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアｃに対応するキャリア組における各ダウンリンクキャリアとペア関係になるアップリンクキャリアの、現在アップリンクサブフレームｉにおける上り伝送関連情報に基づいて、確定したものであり、PO_PUSCH,c, PLc, hc(nCQI, nHARQ, nSR), △F_PUCCH,c(F), △TXD,C(F′)及びgc(i) は、アップリンクキャリアｃ上の、現在アップリンクサブフレームｉにおいて伝送するＰＵＣＣＨの電力計算パラメタであり、PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタであり、
（数７）
2016510561.tif 000107
[ｄＢ]
ここで、ｃは前記アップリンクキャリア的キャリア番号であり、P~CMAX,c(i)は、端末が現在アップリンクサブフレームｉにおいて、アップリンクキャリアｃ上の最大発送電力であり、P~CMAX,c(i)は、ＭＰＲ値が０、Ａ−ＭＰＲ値が０ｄＢ、Ｐ−ＭＰＲ値が０、及びΔＴＣ値が０である前提で得る値であり、PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタであり、PO_PUSCH,c、PLc及びgc(i)は、事前定義したアップリンクキャリアｃ上の、現在アップリンクサブフレームｉにおけるバーチャルなＰＵＣＣＨ伝送の電力計算パラメタであり、
または、
前記ＰＨ生成ユニットが前記第３生成ユニットと、前記第４生成ユニットとを備える場合、
前記第３生成ユニットは、
もし現在アップリンクサブフレームｉにおいて、前記アップリンクキャリア上で、端末がＰＵＳＣＨ伝送を行い、且つ、現在アップリンクサブフレームｉにおいて、いずれのキャリア組に対応するＰＵＣＣＨ伝送用のアップリンクキャリアにおいても、端末がＰＵＣＣＨ伝送をしなければ、以下の数８に基づいて、前記アップリンクキャリアのＴｙｐｅ１ ＰＨを生成し、 
もし現在アップリンクサブフレームｉにおいて、前記アップリンクキャリア上で、端末がＰＵＳＣＨ伝送を行い、且つ、現在アップリンクサブフレームｉにおいて、少なくとも１個のキャリア組に対応するＰＵＣＣＨ伝送用のアップリンクキャリア上で、端末がＰＵＣＣＨ伝送を行えば、下記の数９に基づいて、前記アップリンクキャリアのＴｙｐｅ１ ＰＨを生成し、 
もし、現在アップリンクサブフレームｉにおいて、前記アップリンクキャリア上で、端末がＰＵＳＣＨ伝送を行わなければ、下記の数１０に基づいて、前記アップリンクキャリアのＴｙｐｅ１ ＰＨを生成し、 
または、
もし現在アップリンクサブフレームｉにおいて、前記アップリンクキャリア上で、端末がＰＵＳＣＨ伝送を行い、ＰＵＣＣＨ伝送を行わなければ、以下の数８に基づいて、前記アップリンクキャリアのＴｙｐｅ１ ＰＨを生成し、
もし現在アップリンクサブフレームｉにおいて、前記アップリンクキャリア上で、端末がＰＵＳＣＨ及びＰＵＣＣＨ伝送をともに行えば、下記の数９に基づいて、前記アップリンクキャリアのＴｙｐｅ１ ＰＨを生成し、
もし、現在アップリンクサブフレームｉにおいて、前記アップリンクキャリア上で、端末がＰＵＳＣＨ伝送を行わなければ、下記の数１０に基づいて、前記アップリンクキャリアのＴｙｐｅ１ ＰＨを生成し、
（数８）
2016510561.tif 000108
[ｄＢ]；
ここで、ｃは前記アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアの、現在アップリンクサブフレームｉにおける全部の上り伝送関連情報に基づいて確定され、MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタであり、
（数９）
2016510561.tif 000109
[ｄＢ]
ここで、ｃは前記アップリンクキャリア的キャリア番号であり、P~CMAX,c(i)は、端末が現在アップリンクサブフレームｉにおいて、アップリンクキャリアｃ上の最大発送電力であり、P~CMAX,c(i)を確定する際に利用する電力低減値は、現在アップリンクサブフレームｉにおいて、全部のアップリンクキャリア上で、ＰＵＳＣＨ伝送のみを行えば、且つ前記ＰＵＳＣＨに対応する上り伝送関連情報に基づいて確定され、または、P~CMAX,c(i)を確定する際に利用する電力低減値は、現在アップリンクサブフレームｉにおいて、前記アップリンクキャリアｃ上でＰＵＳＣＨ伝送のみを行えば、前記アップリンクキャリアｃ上の、ＰＵＳＣＨに対応する上り伝送関連情報、及び前記端末の前記アップリンクキャリアｃ以外のアップリンクキャリアの上り伝送関連情報に基づいて確定され、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタであり、
（数１０）
2016510561.tif 000110
[ｄＢ]；
ここで、ｃは前記アップリンクキャリア的キャリア番号であり、P~CMAX,c(i)は、端末が現在アップリンクサブフレームｉにおいて、アップリンクキャリアｃ上の最大発送電力であり、P~CMAX,c(i)は、ＭＰＲ値が０、Ａ−ＭＰＲ値が０ｄＢ、Ｐ−ＭＰＲ値が０、及びΔＴＣ値が０である前提で得る値であり、PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタであり、
及び/または，
前記第４生成ユニットは、
もし現在アップリンクサブフレームｉにおいて、前記アップリンクキャリア上で、端末がＰＵＣＣＨ伝送及びＰＵＳＣＨ伝送をともに行えば、下記の数１１に基づいて、前記アップリンクキャリアのＴｙｐｅ２ ＰＨを生成し、
もし現在アップリンクサブフレームｉにおいて、前記アップリンクキャリア上で、端末がＰＵＳＣＨ伝送を行い、ＰＵＣＣＨ伝送を行わなければ、下記の数１２に基づいて、前記アップリンクキャリアのＴｙｐｅ２ ＰＨを生成し、
もし、現在アップリンクサブフレームｉにおいて、前記アップリンクキャリア上で、端末がＰＵＣＣＨ伝送を行なうが、ＰＵＳＣＨ伝送をしなければ、下記の数１３に基づいて、前記アップリンクキャリアのＴｙｐｅ２ ＰＨを生成し、
もし、現在アップリンクサブフレームｉにおいて、前記アップリンクキャリア上で、端末がＰＵＳＣＨ伝送及びＰＵＣＣＨ伝送を行わなければ、下記の数１４に基づいて、前記アップリンクキャリアのＴｙｐｅ２ ＰＨを生成し、
（数１１）
2016510561.tif 000111
[ｄＢ]
ここで、ｃは前記アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアの、現在アップリンクサブフレームｉにおける全部の上り伝送関連情報に基づいて確定され、PO_PUSCH,c, PLc, hc(nCQI, nHARQ, nSR), △F_PUCCH,c(F), △TXD,C(F′)及びgc(i) は、アップリンクキャリアｃ上の、現在アップリンクサブフレームｉにおいて伝送するＰＵＣＣＨの電力計算パラメタであり、MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタであり、
（数１２）
2016510561.tif 000112
[ｄＢ]
ここで、ｃは前記アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアの、現在アップリンクサブフレームｉにおける全部の上り伝送関連情報に基づいて確定され、PO_PUSCH,c、PLc及びgc(i)は、事前定義したアップリンクキャリアｃ上の、現在アップリンクサブフレームｉにおけるバーチャルなＰＵＣＣＨ伝送の電力計算パラメタであり、MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタであり、
（数１３）
2016510561.tif 000113
[ｄＢ]
ここで、ｃは前記アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアの、現在アップリンクサブフレームｉにおける全部の上り伝送関連情報に基づいて確定され、PO_PUSCH,c, PLc, hc(nCQI, nHARQ, nSR), △F_PUCCH,c(F), △TXD,C(F′)及びgc(i) は、アップリンクキャリアｃ上の、現在アップリンクサブフレームｉにおいて伝送するＰＵＣＣＨの電力計算パラメタであり、PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタであり、
（数１４）
2016510561.tif 000114
[ｄＢ]
ここで、ｃは前記アップリンクキャリア的キャリア番号であり、P~CMAX,c(i)は、端末が現在アップリンクサブフレームｉにおいて、アップリンクキャリアｃ上の最大発送電力であり、P~CMAX,c(i)は、ＭＰＲ値が０、Ａ−ＭＰＲ値が０ｄＢ、Ｐ−ＭＰＲ値が０、及びサイドバンド伝送電力低減ＴＣ値が０である前提で得る値であり、PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタであり、PO_PUSCH,c、PLc及びgc(i)は、事前定義したアップリンクキャリアｃ上の、現在アップリンクサブフレームｉにおけるバーチャルなＰＵＣＣＨ伝送の電力計算パラメタであることを特徴とする請求項1２に記載の端末。
【請求項１４】
前記第１生成ユニットは、数２に基づいて、前記アップリンクキャリアのＴｙｐｅ１ ＰＨを生成する場合、前記P~CMAX,c(i)を前記端末の上位層に報告し、
及び/または，
前記第３生成ユニットは、数９に基づいて、前記アップリンクキャリアのＴｙｐｅ１ ＰＨを生成する場合、前記P~CMAX,c(i)を前記端末の上位層に報告することを特徴とする請求項1３に記載の端末。
【請求項１５】
基地局であって、
前記基地局は、
端末から報告したパワーヘッドルームＰＨ情報を受信し、前記端末が複数のダウンリンクキャリアをアグリゲーションし、前記複数のダウンリンクキャリアを複数のキャリア組に分け、各キャリア組に対し、前記キャリア組における１個の指定したダウンリンクキャリアとペア関係になるアップリンクキャリアを、前記キャリア組に対応する伝送物理アップリンク制御チャネル（ＰＵＣＣＨ）伝送用のアップリンクキャリアとして指定するＰＨ受信ユニットと、
前記ＰＨ情報から、ＰＨ報告する必要がある複数のＰＵＣＣＨ伝送用のアップリンクキャリア中の各アップリンクキャリアそれぞれに対応する１個のタイプＴｙｐｅ１ ＰＨ及び１個のＴｙｐｅ２ ＰＨを取得し、前記ＰＨ情報から、ＰＨ報告する必要があるＰＵＣＣＨ伝送用のアップリンクキャリア以外の各アップリンクキャリアそれぞれに対応する１個のＴｙｐｅ１ ＰＨを取得するＰＨ取得ユニットとを備えることを特徴とする基地局。
【請求項１６】
前記基地局は、設定ユニットとを備え、
前記設定ユニットは、端末から報告したＰＨ情報を受信する前に、端末に設定情報を送信し、前記設定情報は、アグリゲーションの複数のダウンリンクキャリアを、複数のキャリア組に分けるように、端末に指示し、各キャリア組には、少なくとも１個のダウンリンクキャリアが含まれ、
端末に上位層シグナリングを送信し、前記上位層シグナリングは、各キャリア組に対し前記キャリア組における１個の指定したダウンリンクキャリアとペア関係になるアップリンクキャリアを、前記キャリア組に対応するＰＵＣＣＨ伝送用のアップリンクキャリアとするように指示し、または、各キャリア組に対し、端末との事前協議に基づいて、前記キャリア組における１個の指定したダウンリンクキャリアとペア関係になるアップリンクキャリアを、前記キャリア組に対応するＰＵＣＣＨ伝送用のアップリンクキャリアとして確定することを特徴とする請求項15に記載の基地局。
【請求項１７】
前記ＰＨ取得ユニットは、仕様１または仕様２を採用して、前記ＰＨから、前記Ｔｙｅｐ１ ＰＨ及び/または前記Ｔｙｐｅ２ ＰＨを取得し、
仕様１：
前記ＰＵＣＣＨ伝送用のアップリンクキャリア、及びＰＵＣＣＨ伝送用のアップリンクキャリア以外のアップリンクキャリアに対し、前記アップリンクキャリアに対応するＴｙｐｅ１ ＰＨが、端末が前記アップリンクキャリアに対応するキャリア組における各ダウンリンクキャリアとペア関係になるアップリンクキャリアの上り伝送関連情報に基づいて生成したことを確定し、
前記ＰＵＣＣＨ伝送用のアップリンクキャリアに対し、前記アップリンクキャリアに対応するＴｙｐｅ２ ＰＨが、端末が前記アップリンクキャリアに対応するキャリア組における各ダウンリンクキャリアとペア関係になるアップリンクキャリアの上り伝送関連情報に基づいて生成したものであることを確定し、
仕様２：
前記ＰＵＣＣＨ伝送用のアップリンクキャリア、及びＰＵＣＣＨ伝送用のアップリンクキャリア以外のアップリンクキャリアに対し、前記アップリンクキャリアに対応するＴｙｐｅ１ ＰＨが、端末が全部アップリンクキャリアの上り伝送関連情報に基づいて生成したものであることを確定し、
前記ＰＵＣＣＨ伝送用のアップリンクキャリアに対し、前記アップリンクキャリアに対応するＴｙｐｅ２ ＰＨが、端末が全部のアップリンクキャリアの上り伝送関連情報に基づいて生成したものであることを確定することを特徴とする請求項15に記載の基地局。
【請求項１８】
前記ＰＨ取得ユニットが前記仕様１を採用する場合、前記ＰＨ取得ユニットは、下記の仕様で前記Ｔｙｐｅ１ ＰＨを取得し、
もし現在アップリンクサブフレームｉにおいて、前記アップリンクキャリア上で端末が物理アップリンク共有チャネルＰＵＳＣＨ伝送を行い、且つ、現在アップリンクサブフレームｉにおいて、前記アップリンクキャリアに対応するキャリア組における各ダウンリンクキャリアとペア関係になるアップリンクキャリア上で、端末がＰＵＣＣＨ伝送をしないと確定すれば、端末が下記の（数１）に基づいて前記アップリンクキャリアのＴｙｐｅ１ ＰＨを生成することを確定し、
現在アップリンクサブフレームｉにおいて、前記アップリンクキャリア上で端末がＰＵＳＣＨ伝送を行い、且つ、現在アップリンクサブフレームｉにおいて、前記アップリンクキャリアに対応するキャリア組の各ダウンリンクキャリアとペア関係になるアップリンクキャリア上で、端末がＰＵＣＣＨ伝送を行なうと確定すれば、端末が下記の数２に基づいて、前記アップリンクキャリアのＴｙｐｅ１ ＰＨを生成することを確定し、
現在アップリンクサブフレームｉにおいて、前記アップリンクキャリア上で端末がＰＵＳＣＨ伝送を行わないと確定すれば、端末が以下の数３に基づいて、前記アップリンクキャリアのＴｙｐｅ１ ＰＨを生成することを確定し、
または、
現在アップリンクサブフレームｉにおいて、前記アップリンクキャリア上で端末がＰＵＳＣＨ伝送を行うがＰＵＣＣＨ伝送をしないと確定すれば、端末が下記の数１に基づいて前記アップリンクキャリアのＴｙｐｅ１ ＰＨを生成することを確定し、
現在アップリンクサブフレームｉにおいて、前記アップリンクキャリア上で端末がＰＵＳＣＨ及びＰＵＣＣＨ伝送をともに行うと確定すれば、端末が下記の数２に基づいて、前記アップリンクキャリアのＴｙｐｅ１ ＰＨを生成することを確定し、
現在アップリンクサブフレームｉにおいて、前記アップリンクキャリア上で端末がＰＵＳＣＨ伝送を行わないと確定すれば、端末が以下の数３に基づいて、前記アップリンクキャリアのＴｙｐｅ１ ＰＨを生成することを確定し、
（数１）
2016510561.tif 000115
[ｄＢ]
ここで、ｃは前記アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアｃに対応するキャリア組における各ダウンリンクキャリアとペア関係になるアップリンクキャリアの、現在アップリンクサブフレームｉにおける上り伝送関連情報に基づいて、確定したものであり、MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタであり、
（数２）
2016510561.tif 000116
[ｄＢ]
ここで、ｃは前記アップリンクキャリア的キャリア番号であり、P~CMAX,c(i)は、端末が現在アップリンクサブフレームｉにおいて、アップリンクキャリアｃ上の最大発送電力であり、P~CMAX,c(i)を確定する際に利用する電力低減値は、現在アップリンクサブフレームｉにおいて、アップリンクキャリアｃに対応するキャリア組における各ダウンリンクキャリアとペア関係になるアップリンクキャリア上で、ＰＵＳＣＨ伝送のみを行えば、且つ前記ＰＵＳＣＨに対応する上り伝送関連情報に基づいて確定され、または、P~CMAX,c(i)を確定する際に利用する電力低減値は、現在アップリンクサブフレームｉにおいて、前記アップリンクキャリアｃ上でＰＵＳＣＨ伝送のみを行えば、前記アップリンクキャリアｃ上の、ＰＵＳＣＨに対応する上り伝送関連情報と、前記アップリンクキャリアｃに対応するキャリア組における各ダウンリンクキャリアとペア関係になる、前記アップリンクキャリアｃ以外のアップリンクキャリアの上り伝送関連情報とに基づいて、確定され、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタであり、
（数３）
2016510561.tif 000117
[ｄＢ]
ここで、ｃは前記アップリンクキャリア的キャリア番号であり、P~CMAX,c(i)は、端末が現在アップリンクサブフレームｉにおいて、アップリンクキャリアｃ上の最大発送電力であり、P~CMAX,c(i)は、最大電力低減ＭＰＲ値が０、付加最大電力低減Ａ−ＭＰＲ値が０ｄＢ、電力管理最大電力低減Ｐ−ＭＰＲ値が０、及びサイドバンド伝送電力低減ＴＣ値が０であるとの前提で、得られた値であり、PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタであり、
及び/または，以下の仕様で前記Ｔｙｐｅ２ ＰＨを取得し、
もし現在アップリンクサブフレームｉにおいて、前記アップリンクキャリア上で端末がＰＵＣＣＨ及びＰＵＳＣＨ伝送をともに行うと確定すれば、端末が下記の数４に基づいて、前記アップリンクキャリアのＴｙｐｅ２ ＰＨを生成することを確定し、
現在アップリンクサブフレームｉにおいて、前記アップリンクキャリア上で端末がＰＵＳＣＨ伝送を行うがＰＵＣＣＨ伝送をしないと確定すれば、端末が下記の数５に基づいて、前記アップリンクキャリアのＴｙｐｅ２ ＰＨを生成することを確定し、
もし現在アップリンクサブフレームｉにおいて、前記アップリンクキャリア上で端末がＰＵＣＣＨ伝送を行うがＰＵＳＣＨ伝送をしないと確定すれば、端末が下記の数６に基づいて、前記アップリンクキャリアのＴｙｐｅ２ ＰＨを生成することを確定し、
もし現在アップリンクサブフレームｉにおいて、前記アップリンクキャリア上で端末がＰＵＳＣＨ伝送及びＰＵＣＣＨ伝送を行わないと確定すれば、端末が下記の数７に基づいて、前記アップリンクキャリアのＴｙｐｅ２ ＰＨを生成することを確定し、
（数４）
2016510561.tif 000118
[ｄＢ]
ここで、ｃは前記アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアｃに対応するキャリア組における各ダウンリンクキャリアとペア関係になるアップリンクキャリアの、現在アップリンクサブフレームｉにおける上り伝送関連情報に基づいて、確定したものであり、PO_PUSCH,c, PLc, hc(nCQI, nHARQ, nSR), △F_PUCCH,c(F), △TXD,C(F′)及びgc(i) は、アップリンクキャリアｃ上の、現在アップリンクサブフレームｉにおいて伝送するＰＵＣＣＨの電力計算パラメタであり、MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタであり、
（数５）
2016510561.tif 000119
[ｄＢ]
ここで、ｃは前記アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアｃに対応するキャリア組における各ダウンリンクキャリアとペア関係になるアップリンクキャリアの、現在アップリンクサブフレームｉにおける上り伝送関連情報に基づいて、確定したものであり、PO_PUSCH,c、PLc及びgc(i)は、事前定義したアップリンクキャリアｃ上の、現在アップリンクサブフレームｉにおけるバーチャルなＰＵＣＣＨ伝送の電力計算パラメタであり、MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタであり、
（数６）
2016510561.tif 000120
[ｄＢ]
ここで、ｃは前記アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアｃに対応するキャリア組における各ダウンリンクキャリアとペア関係になるアップリンクキャリアの、現在アップリンクサブフレームｉにおける上り伝送関連情報に基づいて、確定したものであり、PO_PUSCH,c, PLc, hc(nCQI, nHARQ, nSR), △F_PUCCH,c(F), △TXD,C(F′)及びgc(i) は、アップリンクキャリアｃ上の、現在アップリンクサブフレームｉにおいて伝送するＰＵＣＣＨの電力計算パラメタであり、PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタであり、
（数７）
2016510561.tif 000121
[ｄＢ]
ここで、ｃは前記アップリンクキャリア的キャリア番号であり、P~CMAX,c(i)は、端末が現在アップリンクサブフレームｉにおいて、アップリンクキャリアｃ上の最大発送電力であり、P~CMAX,c(i)は、ＭＰＲ値が０、Ａ−ＭＰＲ値が０ｄＢ、Ｐ−ＭＰＲ値が０、及びΔＴＣ値が０である前提で得る値であり、PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタであり、PO_PUSCH,c、PLc及びgc(i)は、事前定義したアップリンクキャリアｃ上の、現在アップリンクサブフレームｉにおけるバーチャルなＰＵＣＣＨ伝送の電力計算パラメタであり、
または、
前記ＰＨ取得ユニットが前記仕様２を採用する場合、前記ＰＨ取得ユニットは、以下の仕様で前記Ｔｙｐｅ１ ＰＨを取得し、
現在アップリンクサブフレームｉにおいて、前記アップリンクキャリアが端末がＰＵＳＣＨ伝送をおこない、且つ、現在アップリンクサブフレームｉにおいて、いずれのキャリア組に対応するＰＵＣＣＨ伝送用のアップリンクキャリアにおいても、端末がＰＵＣＣＨ伝送をしないと確定すれば、端末が下記の数８に基づいて、前記アップリンクキャリアのＴｙｐｅ１ ＰＨを生成することを確定し、 
現在アップリンクサブフレームｉにおいて、前記アップリンクキャリアが端末がＰＵＳＣＨ伝送をおこない、且つ、現在アップリンクサブフレームｉにおいて、少なくとも１個のキャリア組に対応するＰＵＣＣＨ伝送用のアップリンクキャリア上で、端末がＰＵＣＣＨ伝送を行うと確定すれば、端末が下記の数９に基づいて、前記アップリンクキャリアのＴｙｐｅ１ ＰＨを生成ことを確定し、 
現在アップリンクサブフレームｉにおいて、前記アップリンクキャリア上で端末がＰＵＳＣＨ伝送を行わないと確定すれば、端末が下記の数１０に基づいて、前記アップリンクキャリアのＴｙｐｅ１ ＰＨを生成ことを確定し、 
または、
現在アップリンクサブフレームｉにおいて、前記アップリンクキャリア上で端末がＰＵＳＣＨ伝送を行うがＰＵＣＣＨ伝送をしないと確定すれば、端末が下記の数８に基づいて、前記アップリンクキャリアのＴｙｐｅ１ ＰＨを生成ことを確定し、
現在アップリンクサブフレームｉにおいて、前記アップリンクキャリア上で端末がＰＵＳＣＨ及びＰＵＣＣＨ伝送をともに行うと確定すれば、端末が下記の数９に基づいて、前記アップリンクキャリアのＴｙｐｅ１ ＰＨを生成ことを確定し、
現在アップリンクサブフレームｉにおいて、前記アップリンクキャリア上で端末がＰＵＳＣＨ伝送を行わないと確定すれば、端末が下記の数１０に基づいて、前記アップリンクキャリアのＴｙｐｅ１ ＰＨを生成ことを確定し、
（数８）
2016510561.tif 000122
[ｄＢ]
ここで、ｃは前記アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアの、現在アップリンクサブフレームｉにおける全部の上り伝送関連情報に基づいて確定され、MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタであり、
（数９）
2016510561.tif 000123
[ｄＢ]
ここで、ｃは前記アップリンクキャリア的キャリア番号であり、P~CMAX,c(i)は、端末が現在アップリンクサブフレームｉにおいて、アップリンクキャリアｃ上の最大発送電力であり、P~CMAX,c(i)を確定する際に利用する電力低減値は、現在アップリンクサブフレームｉにおいて、全部のアップリンクキャリア上で、ＰＵＳＣＨ伝送のみを行えば、且つ前記ＰＵＳＣＨに対応する上り伝送関連情報に基づいて確定され、または、P~CMAX,c(i)を確定する際に利用する電力低減値は、現在アップリンクサブフレームｉにおいて、前記アップリンクキャリアｃ上でＰＵＳＣＨ伝送のみを行えば、前記アップリンクキャリアｃ上の、ＰＵＳＣＨに対応する上り伝送関連情報、及び前記端末の前記アップリンクキャリアｃ以外のアップリンクキャリアの上り伝送関連情報に基づいて確定され、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタであり、
（数１０）
2016510561.tif 000124
[ｄＢ]
ここで、ｃは前記アップリンクキャリア的キャリア番号であり、P~CMAX,c(i)は、端末が現在アップリンクサブフレームｉにおいて、アップリンクキャリアｃ上の最大発送電力であり、P~CMAX,c(i)は、ＭＰＲ値が０、Ａ−ＭＰＲ値が０ｄＢ、Ｐ−ＭＰＲ値が０、及びΔＴＣ値が０である前提で得る値であり、PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタであり、及び/または，以下の仕様で前記Ｔｙｐｅ２ ＰＨを取得し、
現在アップリンクサブフレームｉにおいて、前記アップリンクキャリア上で端末がＰＵＣＣＨ伝送及びＰＵＳＣＨ伝送をともに行うと確定すれば、端末が下記の数１１に基づいて、前記アップリンクキャリアのＴｙｐｅ２ ＰＨを生成ことを確定し、
現在アップリンクサブフレームｉにおいて、前記アップリンクキャリア上で端末がＰＵＳＣＨ伝送を行うがＰＵＣＣＨ伝送をしないと確定すれば、端末が下記の数１２に基づいて、前記アップリンクキャリアのＴｙｐｅ２ ＰＨを生成ことを確定し、
もし現在アップリンクサブフレームｉにおいて、前記アップリンクキャリア上で端末がＰＵＣＣＨ伝送を行うがＰＵＳＣＨ伝送をしないと確定すれば、端末が下記の数１３に基づいて、前記アップリンクキャリアのＴｙｐｅ２ ＰＨを生成ことを確定し、
もし現在アップリンクサブフレームｉにおいて、前記アップリンクキャリア上で端末がＰＵＳＣＨ伝送及びＰＵＣＣＨ伝送を行わないと確定すれば、端末が下記の数１４に基づいて、前記アップリンクキャリアのＴｙｐｅ２ ＰＨを生成ことを確定し、
（数１１）
2016510561.tif 000125
[ｄＢ]
ここで、ｃは前記アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアの、現在アップリンクサブフレームｉにおける全部の上り伝送関連情報に基づいて確定され、PO_PUSCH,c, PLc, hc(nCQI, nHARQ, nSR), △F_PUCCH,c(F), △TXD,C(F′)及びgc(i) は、アップリンクキャリアｃ上の、現在アップリンクサブフレームｉにおいて伝送するＰＵＣＣＨの電力計算パラメタであり、MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタであり、
（数１２）
2016510561.tif 000126
[ｄＢ]
ここで、ｃは前記アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアの、現在アップリンクサブフレームｉにおける全部の上り伝送関連情報に基づいて確定され、PO_PUSCH,c、PLc及びgc(i)は、事前定義したアップリンクキャリアｃ上の、現在アップリンクサブフレームｉにおけるバーチャルなＰＵＣＣＨ伝送の電力計算パラメタであり、MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタであり、
（数１３）
2016510561.tif 000127
[ｄＢ]
ここで、ｃは前記アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアの、現在アップリンクサブフレームｉにおける全部の上り伝送関連情報に基づいて確定され、PO_PUSCH,c, PLc, hc(nCQI, nHARQ, nSR), △F_PUCCH,c(F), △TXD,C(F′)及びgc(i) は、アップリンクキャリアｃ上の、現在アップリンクサブフレームｉにおいて伝送するＰＵＣＣＨの電力計算パラメタであり、PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタであり、
（数１４）
2016510561.tif 000128
[ｄＢ]；
ここで、ｃは前記アップリンクキャリア的キャリア番号であり、P~CMAX,c(i)は、端末が現在アップリンクサブフレームｉにおいて、アップリンクキャリアｃ上の最大発送電力であり、P~CMAX,c(i)は、ＭＰＲ値が０、Ａ−ＭＰＲ値が０ｄＢ、Ｐ−ＭＰＲ値が０、及びサイドバンド伝送電力低減ＴＣ値が０である前提で得る値であり、PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタであり、PO_PUSCH,c、PLc及びgc(i)は、事前定義したアップリンクキャリアｃ上の、現在アップリンクサブフレームｉにおけるバーチャルなＰＵＣＣＨ伝送の電力計算パラメタであることを特徴とする請求項1７に記載の基地局。
【発明の詳細な説明】
【技術分野】
【０００１】
本出願は、無線通信分野に関し、特にキャリアアグリゲーション場合のパワーヘッドルームの報告方法及び装置に関する。
【背景技術】
【０００２】
本出願は、２０１３年１月２９日に中国特許局に提出し、出願番号が２０１３１００３４６２７.４であり、発明名称が「キャリアアグリゲーション場合のパワーヘッドルームの報告方法及び装置」との中国特許出願を基礎とする優先権を主張し、その開示の総てをここに取り込む。
【０００３】
ロング・ターム・エボリューション（Ｌｏｎｇ Ｔｅｒｍ Ｅｖｏｌｕｔｉｏｎ，ＬＴＥ）及びその前の無線通信システムにおいては、セルごとにキャリア１個のみがあり、最大帯域幅は２０ＭＨｚであり、図１に示すようである。また、ＬＴＥ−Ａ（Ｌｏｎｇ Ｔｅｒｍ Ｅｖｏｌｕｔｉｏｎ - Ａｄｖａｎｃｅｄ）システムにおいては、システムのピーク速度は、ＬＴＥより大幅に向上され、ダウンリンク１ＧｂｐＳ、アップリンク５００ＭｂｐＳに達することが要求される。そうすると、２０ＭＨｚであるキャリア１個でピーク速度の要求に応じられなくなるため、ＬＴＥ−Ａシステムにキャリアアグリゲーション（Ｃａｒｒｉｅｒ Ａｇｇｒｅｇａｔｉｏｎ，ＣＡ）技術が導入された。即ち、同一のｅＮＢ（基地局）における複数の連続または不連続のキャリアをアグリゲーションするとともに、ユーザー設備（ＵＳｅｒ Ｅｑｕｉｐｍｅｎｔ，ＵＥ）にサビースを提供し、図２に示すようである。これらのアグリゲーションされたキャリアをコンポーネントキャリア（Ｃｏｍｐｏｎｅｎｔ Ｃａｒｒｉｅｒ，ＣＣと略称）と称する。各セルが１個のコンポーネントキャリアであることができ、異なるｅＮＢ下のセル（コンポーネントキャリア）はアグリゲーションできない。ＬＴＥ ＵＥの後方互換性を確保するため、各キャリアが最大２０ＭＨｚを超えない。
【０００４】
ＵＥによりアグリゲーションしたコンポーネントキャリアにおいて、ダウンリンクＰＣＣ及びアップリンクＰＣＣを含むプライマリー・コンポーネントキャリア（Ｐｒｉｍａｒｙ Ｃｏｍｐｏｎｅｎｔ Ｃａｒｒｉｅｒ，ＰＣＣ）１個を定義し、他のコンポーネントキャリアをセカンダリー・コンポーネントキャリア（Ｓｅｃｏｎｄａｒｙ Ｃｏｍｐｏｎｅｎｔ Ｃａｒｒｉｅｒ，ＳＣＣ）と称する。
【０００５】
ＬＴＥ−Ａリリース１０（Ｒｅｌ−１０）において、ＵＥによりアグリゲーションした各コンポーネントキャリアは、１個のキャリアの最大発送電力ＰＣＭＡX,ｃに対応し、当該キャリアの最大発送電力の範囲は、ＰＣＭＡX_Ｌ,ｃ ≦ ＰＣＭＡX,ｃ ≦ ＰＣＭＡX_Ｈ,ｃであり、ＰＣＭＡX_Ｌ,ｃ及びＰＣＭＡX_Ｈ,ｃは、ＵＥが下記のように確定したものである。
バンド内（Iｎｔｒａ−ｂａｎｄ） ＣＡの場合、（式１）、（式２）で確定する。
【０００６】
PCMAX_L,c = MIN { PEMAX,c - TC,c,  PPowerClass - 
MAX(MPR c + A-MPR c, P-MPR c) - TC, c }      （式１）
【０００７】
PCMAX_H,c= MIN {PEMAX,c,  PPowerClass}      （式２）
【０００８】
バンド間（Iｎｔｅｒ−ｂａｎｄ） ＣＡの場合、（式３）、（式４）で確定する。
【０００９】
PCMAX_L,c = MIN { PEMAX,c - TC,c,  PPowerClass - MAX(MPR c + A-MPR c +
TIB,c, P-MPR c) - TC, c }      (式３)
【００１０】
PCMAX_H,c = MIN {PEMAX,c,  PPowerClass}      （式４）
【００１１】
ＰＥＭＡX,ｃは、ネットワーク側が各コンポーネントキャリアのために設定した許容最大電力であり、ＰＰｏｗｅｒＣｌａｓｓは、いずれの電力低減を考えない、ＵＥ伝送が位置するバンドと関連するＵＥ電力レベルである。Ｐ−ＭＰＲ（Ｐｏｗｅｒ Ｍａｎａｇｅｍｅｎｔ Ｍａｘｉｍｕｍ Ｐｏｗｅｒ Ｒｅｄｕｃｔｉｏｎ，電力管理最大電力低減）は、事前定義した最大電力低減値であり、ＴＣ,ｃ = １.５ ｄＢまたは、０であり、各コンポーネントキャリアに対応するサイドバンド伝送電力低減値である。ＭＰＲｃ（Ｍａｘｉｍｕｍ Ｐｏｗｅｒ Ｒｅｄｕｃｔｉｏｎ，最大電力低減）、Ａ−ＭＰＲｃ（Ａｄｄｉｔｉｏｎａｌ− Ｍａｘｉｍｕｍ Ｐｏｗｅｒ Ｒｅｄｕｃｔｉｏｎ，付加最大電力低減）は、各コンポーネントキャリアに対応する、伝送帯域幅、変調階数（ｍｏｄｕｌａｔｉｏｎ  ｏｒｄｅｒ）、具体的なリソースブロック（Ｒｅｓｏｕｒｃｅ Ｂｌｏｃｋ，ＲＢ）割り当て等と関連する電力低減値である。ＴIＢ,ｃは、付加サイドバンド低減値である。
Iｎｔｒａ−ｂａｎｄ ＣＡの場合、各コンポーネントキャリアのＭＰＲｃは、同一であり、Ａ−ＭＰＲｃも同一であり、各アグリゲーションのコンポーネントキャリア上の同時に伝送するアップリンクチャネル及びアップリンク信号の伝送帯域幅の和に基づいて確定する。複数の変調方法を有する場合、最高次変調方法に準ずる。Iｎｔｅｒ−ｂａｎｄ ＣＡの場合、各アグリゲーションコンポーネントキャリアが、それぞれ異なる独立のバンドに位置し、各コンポーネントキャリアは、単に当該コンポーネントキャリア上で同時に伝送するアップリンクチャネル及びアップリンク信号の伝送帯域幅の和に基づいて、電力低減パラメタを確定するため、各コンポーネントキャリアのＭＰＲｃが異なる可能性があり、Ａ−ＭＰＲｃも異なるかもしれない。複数の変調方法を有する場合、最高次変調方法に準ずる。
【００１２】
ＬＴＥシステムと異なり、ＬＴＥ−Ａシステムは、以下の特性をサポートする。
１個のコンポーネントキャリア上で、非連続リソース割り当て方法で物理アップリンク共有チャネル（Ｐｈｙｓｉｃａｌ Ｕｐｌｉｎｋ Ｓｈａｒｅｄ Ｃｈａｎｎｅｌ，ＰＵＳＣＨ）を伝送する。
ＰＣＣ上で、ＰＵＳＣＨ及び物理アップリンク制御チャネル（Ｐｈｙｓｉｃａｌ Ｕｐｌｉｎｋ Ｃｏｎｔｒｏｌ Ｃｈａｎｎｅｌ，ＰＵＣＣＨ）を同時に送信する。
異なるコンポーネントキャリア上のＰＵＳＣＨ及びＰＵＣＣＨを同時に送信する。
異なるコンポーネントキャリア上のＰＵＳＣＨを同時に送信する。
【００１３】
ＵＥが報告するパワーヘッドルーム（Ｐｏｗｅｒ Ｈｅａｄｒｏｏｍ，ＰＨ）は、主に基地局がＵＥの残りの電力を判断することに用いられる。こうすることにより、ＰＵＳＣＨがより多い物理リソースブロック（ＰＲＢ）上で伝送するようにスケジューリングし、電力が制限されることを防止できる。よって、ＬＴＥ−Ａシステムの上述伝送に基づいて、各コンポーネントキャリアの電力低減状況がそれぞれ異なる可能性があるため、各コンポーネントキャリアが対応のＰＨを報告して、基地局が当該コンポーネントキャリア上のアップリンク伝送をより合理的にスケジューリングする必要がある。また、ＰＨは、ＰＵＳＣＨのパワーヘッドルームだけを示すではなく、ＰＵＣＣＨ及びＰＵＳＣＨの同時に伝送する際のパワーヘッドルームも示さないといけないため、ＬＴＥ−ＡＲｅｌ−１０システムにおいて、以下のような２つのＰＨ報告タイプを定義した。
【００１４】
タイプ１（Ｔｙｐｅ １）ＰＨ
主にＰＵＳＣＨ伝送のパワーヘッドルームを示し、各コンポーネントキャリアにより報告する必要がある。
【００１５】
タイプ２（Ｔｙｐｅ ２）ＰＨは、主にＰＵＣＣＨ及びＰＵＳＣＨの同時に伝送する際のパワーヘッドルームを示し、ＰＣＣのみにより当該ＰＨを報告する。
【００１６】
ＬＴＥは、図３Ａに示す周波数分割デュープレックス（Ｆｒｅｑｕｅｎｃｙ Ｄｉvｉｓｉｏｎ Ｄｕｐｌｅｘ，ＦＤＤ）、図３Ｂに示す半周波数分割デュープレックス（Ｈａｌf−ＦＤＤ，Ｈ−ＦＤＤ）及び図３Ｃに示す時分割デュープレックス（Ｔｉｍｅ Ｄｉvｉｓｉｏｎ Ｄｕｐｌｅｘ，ＴＤＤ）との３つのデュープレックスをサポートする。
ここで、ＦＤＤとは、アップリンク伝送及びダウンリンク伝送が異なるキャリア帯域で行われ、基地局及び端末がともに信号を同時に送受信することができる技術を指す。このような目的を達成するため、ＦＤＤ装置は、２セットの送受信機及びデュープレックスフィルターを要する。端末が信号を同時に送受信できないところが、Ｈ−ＦＤＤとＦＤＤの相違点になる。即ち、Ｈ−ＦＤＤの基地局とＦＤＤの基地局が同一であるが、Ｈ−ＦＤＤの端末は、ＦＤＤの端末より簡易化され、１セットの送受信機のみを有するため、送受共用器にかかるコストが節約できる。ＴＤＤとは、アップリンク伝送及びダウンリンク伝送が同一のキャリア帯域で行われ、基地局（端末）が異なる時期においてチャネル送信（受信）または受信（送信）を行う技術を指す。
【発明の概要】
【発明が解決しようとする課題】
【００１７】
ＬＴＥ−Ａの後続進化システムは、ＦＤＤキャリア及びＴＤＤキャリアのキャリアアグリゲーションをサポートする可能性が大きい。そうてあれば、ＵＥは、異なるキャリア組に対応する異なるアップリンクキャリア上でＰＵＣＣＨを伝送することをサポートする可能性があるため、複数のアップリンクキャリア上でＰＵＣＣＨ及びＰＵＳＣＨの同時伝送が行われる可能性がある。これに対し、現在、対応できるＰＨ報告案はまだ案出できていない。
本出願に係る実施例は、キャリアアグリゲーション下的パワーヘッドルーム報告方法及び装置を提供し、端末が異なるキャリア組に対応する異なるアップリンクキャリア上でＰＵＣＣＨを伝送することをサポートする場合、ＰＨ報告がどう進めるかとの技術課題を解決できる。
【課題を解決するための手段】
【００１８】
本発明に係るキャリアアグリゲーション場合のＰＨ報告方法において、端末は複数のダウンリンクキャリアをアグリゲーションし、当該複数のダウンリンクキャリアを複数のキャリア組に分け、各キャリア組において、当該キャリア組の１個の指定したダウンリンクキャリアとペア関係となるアップリンクキャリアは、当該キャリア組に対応するＰＵＣＣＨ伝送用のアップリンクキャリアとして指定される。
当該方法は、端末がＰＨ報告が必要となる複数のＰＵＣＣＨ伝送用のアップリンクキャリアにおける各アップリンクキャリアのため、１個のタイプＴｙｐｅ１ ＰＨ及び１個のＴｙｐｅ２ ＰＨを生成し、ＰＨ報告が必要となる、ＰＵＣＣＨ伝送用のアップリンクキャリア以外の各アップリンクキャリアのため、１個のＴｙｐｅ１ ＰＨを生成するステップと、端末が生成下各Ｔｙｐｅ１ ＰＨ及びＴｙｐｅ２ ＰＨを、現在アップリンクサブフレームにおいて、ネットワーク側に報告するステップとを備える。
【００１９】
本出願に係る実施例が提供する案によれば、端末が異なるキャリア組に対応する異なるアップリンクキャリア上でＰＵＣＣＨを伝送することをサポートする場合、本技術案は、端末がＰＨ報告をする具体的な実施方法を提供する。端末が異なるキャリア組に対応する異なるアップリンクキャリア上でＰＵＣＣＨを伝送することをサポートする場合、ＰＨ報告をどうするのかとの技術課題を解決した。
【００２０】
好ましくは、端末がＰＨ報告が必要となる複数のＰＵＣＣＨ伝送用のアップリンクキャリアにおける各アップリンクキャリアのため、１個のＴｙｐｅ１ ＰＨ及び１個のＴｙｐｅ２ ＰＨを生成する前に、端末がネットワーク側から送信した設定情報に基づいて、自身がアグリゲーションした複数のダウンリンクキャリアを複数のキャリア組に分け、各キャリア組には、少なくとも１個のダウンリンクキャリアが含まれる。
端末は、各キャリア組に対し、ネットワーク側から送信した上位層シグナリングに基づくか、またはネットワーク側との事前協議に基づいて、当該キャリア組における１個の指定したダウンリンクキャリアとペア関係になるアップリンクキャリアを、当該キャリア組に対応するＰＵＣＣＨ伝送用のアップリンクキャリアとして確定する。
【００２１】
上述いずれの方法実施例に基づいて、好ましくは、端末は、Ｔｙｐｅ１ ＰＨ及び/またはＴｙｐｅ２ ＰＨを以下のように生成することができる。前記ＰＵＣＣＨ伝送用のアップリンクキャリア、及びＰＵＣＣＨ伝送用のアップリンクキャリア以外のアップリンクキャリアに対し、端末は、当該アップリンクキャリアに対応するキャリア組における各ダウンリンクキャリアとペア関係になるアップリンクキャリアの上り伝送関連情報に基づいて、当該アップリンクキャリアのＴｙｐｅ１ ＰＨを生成する。前記ＰＵＣＣＨ伝送用のアップリンクキャリアに対し、端末は、当該アップリンクキャリアに対応するキャリア組における各ダウンリンクキャリアとペア関係になるアップリンクキャリアの上り伝送関連情報に基づいて、当該アップリンクキャリアのＴｙｐｅ２ ＰＨを生成する。ここで、当該アップリンクキャリアに対応するキャリア組とは、当該アップリンクキャリアとペア関係になるダウンリンクキャリアが属するキャリア組である。
【００２２】
好ましくは、前記ＰＵＣＣＨ伝送用のアップリンクキャリア、及びＰＵＣＣＨ伝送用のアップリンクキャリア以外のアップリンクキャリアに対し、端末は、当該アップリンクキャリアに対応するキャリア組における各ダウンリンクキャリアとペア関係になるアップリンクキャリアの上り伝送関連情報に基づいて、当該アップリンクキャリアのＴｙｐｅ１ ＰＨを生成することは、具体的に以下のようになる。
もし、現在アップリンクサブフレームｉにおいて、当該アップリンクキャリア上で、端末が物理アップリンク共有チャネルＰＵＳＣＨ伝送を行い、且つ、現在アップリンクサブフレームｉにおいて、当該アップリンクキャリアに対応するキャリア組における各ダウンリンクキャリアとペア関係になるアップリンクキャリア上で、端末がＰＵＣＣＨ伝送をしなければ、以下の数１に基づいて、当該アップリンクキャリアのＴｙｐｅ１ ＰＨを生成する。
もし、現在アップリンクサブフレームｉにおいて、当該アップリンクキャリア上上で、端末がＰＵＳＣＨ伝送を行い、且つ、現在アップリンクサブフレームｉにおいて、当該アップリンクキャリアに対応するキャリア組の各ダウンリンクキャリアとペア関係になるアップリンクキャリア上で、端末がＰＵＣＣＨ伝送をすれば、下記の数２に基づいて、当該アップリンクキャリアのＴｙｐｅ１ ＰＨを生成する。
もし、現在アップリンクサブフレームｉにおいて、当該アップリンクキャリア上で、端末がＰＵＳＣＨ伝送を行わなければ、以下の数３に基づいて、当該アップリンクキャリアのＴｙｐｅ１ ＰＨを生成する。
または、もし現在アップリンクサブフレームｉにおいて、当該アップリンクキャリア上で、端末がＰＵＳＣＨ伝送を行い、ＰＵＣＣＨ伝送を行わなければ、以下の数１に基づいて、当該アップリンクキャリアのＴｙｐｅ１ ＰＨを生成する。
もし現在アップリンクサブフレームｉにおいて、当該アップリンクキャリア上で、端末がＰＵＳＣＨ及びＰＵＣＣＨ伝送をともに行えば、下記の数２に基づいて、当該アップリンクキャリアのＴｙｐｅ１ ＰＨを生成する。
もし、現在アップリンクサブフレームｉにおいて、当該アップリンクキャリア上で、端末がＰＵＳＣＨ伝送を行わなければ、以下の数３に基づいて、当該アップリンクキャリアのＴｙｐｅ１ ＰＨを生成する。
【００２３】
（数１）
2016510561.tif 000003
[ｄＢ]
【００２４】
ここで、ｃは当該アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアｃに対応するキャリア組における各ダウンリンクキャリアとペア関係になるアップリンクキャリアの、現在アップリンクサブフレームｉにおける上り伝送関連情報に基づいて、確定したものである。MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタである。
【００２５】
（数２）
2016510561.tif 000004
[ｄＢ] 
【００２６】
ここで、ｃは当該アップリンクキャリア的キャリア番号であり、P~CMAX,c(i)は、端末が現在アップリンクサブフレームｉにおいて、アップリンクキャリアｃ上の最大発送電力であり、P~CMAX,c(i)を確定する際に利用する電力低減値は、現在アップリンクサブフレームｉにおいて、アップリンクキャリアｃに対応するキャリア組における各ダウンリンクキャリアとペア関係になるアップリンクキャリア上で、ＰＵＳＣＨ伝送のみを行う場合、前記ＰＵＳＣＨに対応する上り伝送関連情報に基づいて確定される。または、P~CMAX,c(i)を確定する際に利用する電力低減値は、現在アップリンクサブフレームｉにおいて、当該アップリンクキャリアｃ上でＰＵＳＣＨ伝送のみを行う場合、当該アップリンクキャリアｃ上の、ＰＵＳＣＨに対応する上り伝送関連情報と、当該アップリンクキャリアｃに対応するキャリア組における各ダウンリンクキャリアとペア関係になる、当該アップリンクキャリアｃ以外のアップリンクキャリアの上り伝送関連情報とに基づいて、確定される。
PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタである。
【００２７】
（数３）
2016510561.tif 000005
[ｄＢ]
【００２８】
ここで、ｃは当該アップリンクキャリア的キャリア番号であり、P~CMAX,c(i)は、端末が現在アップリンクサブフレームｉにおいて、アップリンクキャリアｃ上の最大発送電力であり、P~CMAX,c(i)は、最大電力低減ＭＰＲ値が０、付加最大電力低減Ａ−ＭＰＲ値が０ｄＢ、電力管理最大電力低減Ｐ−ＭＰＲ値が０、及びサイドバンド伝送電力低減ＴＣ値が０であるとの前提で、得られた値である。PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタである。
【００２９】
好ましくは、前記ＰＵＣＣＨ伝送用のアップリンクキャリアに対し、端末は、当該アップリンクキャリアに対応するキャリア組における各ダウンリンクキャリアとペア関係になるアップリンクキャリアの上り伝送関連情報に基づいて、当該アップリンクキャリアのＴｙｐｅ２ ＰＨを生成することは、具体的に、以下のようになる。
もし現在アップリンクサブフレームｉにおいて、当該アップリンクキャリア上で、端末がＰＵＣＣＨ及びＰＵＳＣＨ伝送をともに行えば、以下の数４に基づいて、当該アップリンクキャリアのＴｙｐｅ２ ＰＨを生成する。
もし現在アップリンクサブフレームｉにおいて、当該アップリンクキャリア上で、端末がＰＵＳＣＨ伝送を行い、ＰＵＣＣＨ伝送を行わなければ、以下の数５に基づいて、当該アップリンクキャリアのＴｙｐｅ２ ＰＨを生成する。
もし、現在アップリンクサブフレームｉにおいて、当該アップリンクキャリア上で、端末がＰＵＣＣＨ伝送を行なうが、ＰＵＳＣＨ伝送をしなければ、以下の数６に基づいて、当該アップリンクキャリアのＴｙｐｅ２ ＰＨを生成する。
もし、現在アップリンクサブフレームｉにおいて、当該アップリンクキャリア上で、端末がＰＵＳＣＨ伝送及びＰＵＣＣＨ伝送を行わなければ、以下の数７に基づいて、当該アップリンクキャリアのＴｙｐｅ２ ＰＨを生成する。
【００３０】
（数４）
2016510561.tif 000006
[ｄＢ] 
【００３１】
ここで、ｃは当該アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアｃに対応するキャリア組における各ダウンリンクキャリアとペア関係になるアップリンクキャリアの、現在アップリンクサブフレームｉにおける上り伝送関連情報に基づいて、確定したものである。PO_PUSCH,c, PLc, hc(nCQI, nHARQ, nSR), △F_PUCCH,c(F), △TXD,C(F′)及びgc(i) は、アップリンクキャリアｃ上の、現在アップリンクサブフレームｉにおいて伝送するＰＵＣＣＨの電力計算パラメタである。MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタである。
【００３２】
（数５）
2016510561.tif 000007
[ｄＢ]
【００３３】
ここで、ｃは当該アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアｃに対応するキャリア組における各ダウンリンクキャリアとペア関係になるアップリンクキャリアの、現在アップリンクサブフレームｉにおける上り伝送関連情報に基づいて、確定したものである。PO_PUSCH,c、PLc及びgc(i)は、事前定義したアップリンクキャリアｃ上の、現在アップリンクサブフレームｉにおけるバーチャルなＰＵＣＣＨ伝送の電力計算パラメタである。MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタである。
【００３４】
（数６）
2016510561.tif 000008
[ｄＢ]
【００３５】
ここで、ｃは当該アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアｃに対応するキャリア組における各ダウンリンクキャリアとペア関係になるアップリンクキャリアの、現在アップリンクサブフレームｉにおける上り伝送関連情報に基づいて、確定したものである。PO_PUSCH,c, PLc, hc(nCQI, nHARQ, nSR), △F_PUCCH,c(F), △TXD,C(F′)及びgc(i) は、アップリンクキャリアｃ上の、現在アップリンクサブフレームｉにおいて伝送するＰＵＣＣＨの電力計算パラメタである。PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタである。
【００３６】
（数７）
2016510561.tif 000009
[ｄＢ]
【００３７】
ここで、ｃは当該アップリンクキャリア的キャリア番号であり、P~CMAX,c(i)は、端末が現在アップリンクサブフレームｉにおいて、アップリンクキャリアｃ上の最大発送電力であり、P~CMAX,c(i)は、ＭＰＲ値が０、Ａ−ＭＰＲ値が０ｄＢ、Ｐ−ＭＰＲ値が０、及びΔＴＣ値が０である前提で得る値である。PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタである。PO_PUSCH,c、PLc及びgc(i)は、事前定義したアップリンクキャリアｃ上の、現在アップリンクサブフレームｉにおけるバーチャルなＰＵＣＣＨ伝送の電力計算パラメタである。
【００３８】
上述いずれの方法実施例に基づいて、好ましくは、前記ＰＵＣＣＨ伝送用のアップリンクキャリア、及びＰＵＣＣＨ伝送用のアップリンクキャリア以外のアップリンクキャリアに対し、端末は、アップリンクキャリアの全部の上り伝送関連情報に基づいて、当該アップリンクキャリアのＴｙｐｅ１ ＰＨを生成する。
前記ＰＵＣＣＨ伝送用のアップリンクキャリアに対し、端末は、アップリンクキャリアの全部の上り伝送関連情報に基づいて、当該アップリンクキャリアのＴｙｐｅ２ ＰＨを生成する。
【００３９】
好ましくは、前記ＰＵＣＣＨ伝送用のアップリンクキャリア、及びＰＵＣＣＨ伝送用のアップリンクキャリア以外のアップリンクキャリアに対し、端末は、アップリンクキャリアの全部の上り伝送関連情報に基づいて、当該アップリンクキャリアのＴｙｐｅ１ ＰＨを生成することは、以下のようである。
もし現在アップリンクサブフレームｉにおいて、当該アップリンクキャリア上で、端末がＰＵＳＣＨ伝送を行い、且つ、現在アップリンクサブフレームｉにおいて、いずれのキャリア組に対応するＰＵＣＣＨ伝送用のアップリンクキャリアにおいても、端末がＰＵＣＣＨ伝送をしなければ、以下の数８に基づいて、当該アップリンクキャリアのＴｙｐｅ１ ＰＨを生成する。 
もし現在アップリンクサブフレームｉにおいて、当該アップリンクキャリア上で、端末がＰＵＳＣＨ伝送を行い、且つ、現在アップリンクサブフレームｉにおいて、少なくとも１個のキャリア組に対応するＰＵＣＣＨ伝送用のアップリンクキャリア上で、端末がＰＵＣＣＨ伝送を行えば、下記の数９に基づいて、当該アップリンクキャリアのＴｙｐｅ１ ＰＨを生成する。 
もし、現在アップリンクサブフレームｉにおいて、当該アップリンクキャリア上で、端末がＰＵＳＣＨ伝送を行わなければ、下記の数１０に基づいて、当該アップリンクキャリアのＴｙｐｅ１ ＰＨを生成する。 
または、もし現在アップリンクサブフレームｉにおいて、当該アップリンクキャリア上で、端末がＰＵＳＣＨ伝送を行い、ＰＵＣＣＨ伝送を行わなければ、以下の数８に基づいて、当該アップリンクキャリアのＴｙｐｅ１ ＰＨを生成する。
もし現在アップリンクサブフレームｉにおいて、当該アップリンクキャリア上で、端末がＰＵＳＣＨ及びＰＵＣＣＨ伝送をともに行えば、下記の数９に基づいて、当該アップリンクキャリアのＴｙｐｅ１ ＰＨを生成する。
もし、現在アップリンクサブフレームｉにおいて、当該アップリンクキャリア上で、端末がＰＵＳＣＨ伝送を行わなければ、下記の数１０に基づいて、当該アップリンクキャリアのＴｙｐｅ１ ＰＨを生成する。
【００４０】
（数８）
2016510561.tif 000010
[ｄＢ]
【００４１】
ここで、ｃは当該アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアの、現在アップリンクサブフレームｉにおける全部の上り伝送関連情報に基づいて確定される。MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタである。
【００４２】
（数９）
2016510561.tif 000011
[ｄＢ]
【００４３】
ここで、ｃは当該アップリンクキャリア的キャリア番号であり、P~CMAX,c(i)は、端末が現在アップリンクサブフレームｉにおいて、アップリンクキャリアｃ上の最大発送電力であり、P~CMAX,c(i)を確定する際に利用する電力低減値は、現在アップリンクサブフレームｉにおいて、全部のアップリンクキャリア上で、ＰＵＳＣＨ伝送のみを行う場合、前記ＰＵＳＣＨに対応する上り伝送関連情報に基づいて確定される。または、P~CMAX,c(i)を確定する際に利用する電力低減値は、現在アップリンクサブフレームｉにおいて、当該アップリンクキャリアｃ上でＰＵＳＣＨ伝送のみを行う場合、当該アップリンクキャリアｃ上の、ＰＵＳＣＨに対応する上り伝送関連情報、及び前記端末の当該アップリンクキャリアｃ以外のアップリンクキャリアの上り伝送関連情報に基づいて確定される。PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタである。
【００４４】
（数１０）
2016510561.tif 000012
[ｄＢ]
【００４５】
ここで、ｃは当該アップリンクキャリア的キャリア番号であり、P~CMAX,c(i)は、端末が現在アップリンクサブフレームｉにおいて、アップリンクキャリアｃ上の最大発送電力であり、P~CMAX,c(i)は、ＭＰＲ値が０、Ａ−ＭＰＲ値が０ｄＢ、Ｐ−ＭＰＲ値が０、及びΔＴＣ値が０である前提で得る値である。PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタである。
【００４６】
好ましくは、前記ＰＵＣＣＨ伝送用のアップリンクキャリアに対し、端末は、アップリンクキャリアの全部の上り伝送関連情報に基づいて、当該アップリンクキャリアのＴｙｐｅ２ ＰＨを生成することは、以下のようである。
もし現在アップリンクサブフレームｉにおいて、当該アップリンクキャリア上で、端末がＰＵＣＣＨ伝送及びＰＵＳＣＨ伝送をともに行えば、下記の数１１に基づいて、当該アップリンクキャリアのＴｙｐｅ２ ＰＨを生成する。
もし現在アップリンクサブフレームｉにおいて、当該アップリンクキャリア上で、端末がＰＵＳＣＨ伝送を行い、ＰＵＣＣＨ伝送を行わなければ、下記の数１２に基づいて、当該アップリンクキャリアのＴｙｐｅ２ ＰＨを生成する。
もし、現在アップリンクサブフレームｉにおいて、当該アップリンクキャリア上で、端末がＰＵＣＣＨ伝送を行なうが、ＰＵＳＣＨ伝送をしなければ、下記の数１３に基づいて、当該アップリンクキャリアのＴｙｐｅ２ ＰＨを生成する。
もし、現在アップリンクサブフレームｉにおいて、当該アップリンクキャリア上で、端末がＰＵＳＣＨ伝送及びＰＵＣＣＨ伝送を行わなければ、下記の数１４に基づいて、当該アップリンクキャリアのＴｙｐｅ２ ＰＨを生成する。
【００４７】
（数１１）
2016510561.tif 000013
[ｄＢ]
【００４８】
ここで、ｃは当該アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアの、現在アップリンクサブフレームｉにおける全部の上り伝送関連情報に基づいて確定される。PO_PUSCH,c, PLc, hc(nCQI, nHARQ, nSR), △F_PUCCH,c(F), △TXD,C(F′)及びgc(i) は、アップリンクキャリアｃ上の、現在アップリンクサブフレームｉにおいて伝送するＰＵＣＣＨの電力計算パラメタである。MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタである。
【００４９】
（数１２）
2016510561.tif 000014
[ｄＢ]
【００５０】
ここで、ｃは当該アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアの、現在アップリンクサブフレームｉにおける全部の上り伝送関連情報に基づいて確定される。PO_PUSCH,c、PLc及びgc(i)は、事前定義したアップリンクキャリアｃ上の、現在アップリンクサブフレームｉにおけるバーチャルなＰＵＣＣＨ伝送の電力計算パラメタである。MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタである。
【００５１】
（数１３）
2016510561.tif 000015
[ｄＢ]
【００５２】
ここで、ｃは当該アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアの、現在アップリンクサブフレームｉにおける全部の上り伝送関連情報に基づいて確定される。PO_PUSCH,c, PLc, hc(nCQI, nHARQ, nSR), △F_PUCCH,c(F), △TXD,C(F′)及びgc(i) は、アップリンクキャリアｃ上の、現在アップリンクサブフレームｉにおいて伝送するＰＵＣＣＨの電力計算パラメタである。PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタである。
【００５３】
（数１４）
2016510561.tif 000016
[ｄＢ]
【００５４】
ここで、ｃは当該アップリンクキャリア的キャリア番号であり、P~CMAX,c(i)は、端末が現在アップリンクサブフレームｉにおいて、アップリンクキャリアｃ上の最大発送電力であり、P~CMAX,c(i)は、ＭＰＲ値が０、Ａ−ＭＰＲ値が０ｄＢ、Ｐ−ＭＰＲ値が０、及びサイドバンド伝送電力低減ＴＣ値が０である前提で得る値である。PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタである。PO_PUSCH,c、PLc及びgc(i)は、事前定義したアップリンクキャリアｃ上の、現在アップリンクサブフレームｉにおけるバーチャルなＰＵＣＣＨ伝送の電力計算パラメタである。
【００５５】
好ましくは、前記端末が数２に基づいて当該アップリンクキャリアのＴｙｐｅ１ ＰＨを生成する場合、前記端末の物理層を介して、前記P~CMAX,c(i)を前記端末的上位層に報告する。
【００５６】
好ましくは、前記端末が数９に基づいて当該アップリンクキャリアのＴｙｐｅ１ ＰＨを生成する場合、前記端末の物理層を介して、前記P~CMAX,c(i)を前記端末的上位層に報告する。
【００５７】
好ましくは、前記電力低減値は、ＭＰＲ値と、Ａ−ＭＰＲ値とを含む。
前記上り伝送関連情報は、アップリンク伝送帯域幅と、変調階数と、リソースブロックＲＢ割り当て情報うちの１つまたは多様な組み合わせである。
【００５８】
本発明に係るキャリアアグリゲーション場合のパワーヘッドルームＰＨ受信方法は、ネットワーク側が端末から報告したパワーヘッドルームＰＨ情報を受信し、当該端末が複数のダウンリンクキャリアをアグリゲーションし、当該複数のダウンリンクキャリアが複数のキャリア組に分けられ、各キャリア組に対し、当該キャリア組における１個の指定したダウンリンクキャリアとペア関係になるアップリンクキャリアを、当該キャリア組に対応する伝送物理アップリンク制御チャネル（ＰＵＣＣＨ）伝送用のアップリンクキャリアとして指定し、るステップと、ネットワーク側が前記ＰＨ情報から、ＰＨ報告する必要がある複数のＰＵＣＣＨ伝送用のアップリンクキャリアにおける各アップリンクキャリアに対応する１個のＴｙｐｅ１ ＰＨ及び１個のＴｙｐｅ２ ＰＨを取得するステップと、ネットワーク側が、前記ＰＨ情報から、ＰＨ報告する必要があるＰＵＣＣＨ伝送用のアップリンクキャリア以外の各アップリンクキャリアそれぞれに対応する１個のＴｙｐｅ１ ＰＨを取得するステップとを備える。
【００５９】
本出願に係る実施例が提供する案によれば、端末がＰＨ報告が必要となる複数のＰＵＣＣＨ伝送用のアップリンクキャリアにおける各アップリンクキャリアのため、１個のタイプＴｙｐｅ１ ＰＨ及び１個のＴｙｐｅ２ ＰＨを生成し、ＰＨ報告が必要となる、ＰＵＣＣＨ伝送用のアップリンクキャリア以外の各アップリンクキャリアのため、１個のＴｙｐｅ１ ＰＨを生成し、生成した各Ｔｙｐｅ１ ＰＨ及びＴｙｐｅ２ ＰＨを、現在アップリンクサブフレームにおいて、ネットワーク側に報告する。端末が異なるキャリア組に対応する異なるアップリンクキャリア上でＰＵＣＣＨを伝送することをサポートする場合、本技術案は、端末がＰＨ報告をする具体的な実施方法を提供する。端末が異なるキャリア組に対応する異なるアップリンクキャリア上でＰＵＣＣＨを伝送することをサポートする場合、ＰＨ報告をどうするのか技術課題を解決した。
【００６０】
好ましくは、ネットワーク側が端末から報告したＰＨ情報を受信する前に、
ネットワーク側が端末に設定情報を送信し、当該設定情報は、アグリゲーションの複数のダウンリンクキャリアを、複数のキャリア組に分けるように、端末に指示し、各キャリア組には、少なくとも１個のダウンリンクキャリアが含まれるステップと、
ネットワーク側が端末に上位層シグナリングを送信し、当該上位層シグナリングは、各キャリア組に対し当該キャリア組における１個の指定したダウンリンクキャリアとペア関係になるアップリンクキャリアを、当該キャリア組に対応するＰＵＣＣＨ伝送用のアップリンクキャリアとするように指示し、または、ネットワーク側各キャリア組に対し、端末との事前協議に基づいて、当該キャリア組における１個の指定したダウンリンクキャリアとペア関係になるアップリンクキャリアを、当該キャリア組に対応するＰＵＣＣＨ伝送用のアップリンクキャリアとして確定するステップとを備える。
【００６１】
上記任意のネットワーク側方法実施例に基づいて、好ましくは、前記ＰＵＣＣＨ伝送用のアップリンクキャリア、及びＰＵＣＣＨ伝送用のアップリンクキャリア以外のアップリンクキャリアに対し、ネットワーク側は、当該アップリンクキャリアに対応するＴｙｐｅ１ ＰＨは、端末が当該アップリンクキャリアに対応するキャリア組における各ダウンリンクキャリアとペア関係になるアップリンクキャリアの上り伝送関連情報に基づいて生成したものであるｋとを確定する。
前記ＰＵＣＣＨ伝送用のアップリンクキャリアに対し、ネットワーク側は、当該アップリンクキャリアに対応するＴｙｐｅ２ ＰＨは、端末が当該アップリンクキャリアに対応するキャリア組における各ダウンリンクキャリアとペア関係になるアップリンクキャリアの上り伝送関連情報に基づいて生成したものであると確定する。
【００６２】
好ましくは、前記ＰＵＣＣＨ伝送用のアップリンクキャリア、及びＰＵＣＣＨ伝送用のアップリンクキャリア以外のアップリンクキャリアに対し、ネットワーク側が、当該アップリンクキャリアに対応するＴｙｐｅ１ ＰＨは、端末が、当該アップリンクキャリアに対応するキャリア組における各ダウンリンクキャリアとペア関係になるアップリンクキャリアの上り伝送関連情報に基づいて生成したものであることを確定することは、以下のようになる。
もしネットワーク側が、現在アップリンクサブフレームｉにおいて、当該アップリンクキャリア上で、端末が物理アップリンク共有チャネルＰＵＳＣＨ伝送を行い、且つ、現在アップリンクサブフレームｉにおいて、当該アップリンクキャリアに対応するキャリア組における各ダウンリンクキャリアとペア関係になるアップリンクキャリア上で、端末がＰＵＣＣＨ伝送をすることを確定すれば、ネットワーク側は、端末が下記の数１に基づいて、当該アップリンクキャリアのＴｙｐｅ１ ＰＨを生成することを確定する。
もしネットワーク側が、現在アップリンクサブフレームｉにおいて、当該アップリンクキャリア上で端末がＰＵＳＣＨ伝送を行い、且つ、現在アップリンクサブフレームｉにおいて、当該アップリンクキャリアに対応するキャリア組の各ダウンリンクキャリアとペア関係になるアップリンクキャリア上で、端末がＰＵＣＣＨ伝送を行うことを確定すれば、ネットワーク側は、端末が下記数２に基づいて当該アップリンクキャリアのＴｙｐｅ１ ＰＨを生成することを確定する。
もしネットワーク側が、現在アップリンクサブフレームｉにおいて、当該アップリンクキャリア上で端末がＰＵＳＣＨ伝送を行わないと確定すれば、ネットワーク側は、端末が以下の数３に基づいて、当該アップリンクキャリアのＴｙｐｅ１ ＰＨを生成することを確定する。
または、もしネットワーク側が、現在アップリンクサブフレームｉにおいて、当該アップリンクキャリア上で端末がＰＵＳＣＨ伝送を行なうがＰＵＣＣＨ伝送をしないと確定すれば、ネットワーク側は、端末が下記の数１に基づいて、当該アップリンクキャリアのＴｙｐｅ１ ＰＨを生成することを確定する。
もしネットワーク側が、現在アップリンクサブフレームｉにおいて、当該アップリンクキャリア上で端末がＰＵＳＣＨ及びＰＵＣＣＨ伝送をともに行うと確定すれば、ネットワーク側は、端末が下記数２に基づいて当該アップリンクキャリアのＴｙｐｅ１ ＰＨを生成することを確定する。
もしネットワーク側が、現在アップリンクサブフレームｉにおいて、当該アップリンクキャリア上で端末がＰＵＳＣＨ伝送を行わないと確定すれば、ネットワーク側は、端末が以下の数３に基づいて、当該アップリンクキャリアのＴｙｐｅ１ ＰＨを生成することを確定する。
【００６３】
好ましくは、前記ＰＵＣＣＨ伝送用のアップリンクキャリアに対し、ネットワーク側は、当該アップリンクキャリアに対応するＴｙｐｅ２ ＰＨが、端末が当該アップリンクキャリアに対応するキャリア組における各ダウンリンクキャリアとペア関係になるアップリンクキャリアの上り伝送関連情報に基づいて生成したものであると確定することは、具体的に、以下のようになる。
もしネットワーク側が、現在アップリンクサブフレームｉにおいて、当該アップリンクキャリア上で端末がＰＵＣＣＨ及びＰＵＳＣＨ伝送をともに行うと確定すれば、ネットワーク側は、端末が下記の数４に基づいて、当該アップリンクキャリアのＴｙｐｅ２ ＰＨを生成することを確定する。
もしネットワーク側が、現在アップリンクサブフレームｉにおいて、当該アップリンクキャリア上で端末がＰＵＳＣＨ伝送を行なうがＰＵＣＣＨ伝送をしないと確定すれば、ネットワーク側は、端末が下記の数５に基づいて、当該アップリンクキャリアのＴｙｐｅ２ ＰＨを生成することを確定する。
もしネットワーク側が、現在アップリンクサブフレームｉにおいて、当該アップリンクキャリア上で端末がＰＵＣＣＨ伝送を行い、ＰＵＳＣＨ伝送をしないと確定すれば、ネットワーク側は、端末が下記の数６に基づいて、当該アップリンクキャリアのＴｙｐｅ２ ＰＨを生成する確定する。
もしネットワーク側が、現在アップリンクサブフレームｉにおいて、当該アップリンクキャリア上で端末がＰＵＳＣＨ伝送及びＰＵＣＣＨ伝送を行わないと確定すれば、ネットワーク側は、端末が下記の数７に基づいて、当該アップリンクキャリアのＴｙｐｅ２ ＰＨを生成することを確定する。
【００６４】
上記任意のネットワーク側方法実施例に基づいて、好ましくは、前記ＰＵＣＣＨ伝送用のアップリンクキャリア、及びＰＵＣＣＨ伝送用のアップリンクキャリア以外のアップリンクキャリアに対し、ネットワーク側は、当該アップリンクキャリアに対応するＴｙｐｅ１ ＰＨが、端末が全部アップリンクキャリアの上り伝送関連情報に基づいて生成したものであることを確定する。
前記ＰＵＣＣＨ伝送用のアップリンクキャリアに対し、ネットワーク側は、当該アップリンクキャリアに対応するＴｙｐｅ２ ＰＨが、端末が全部のアップリンクキャリアの上り伝送関連情報に基づいて生成したものであることを確定する。
【００６５】
好ましくは、前記ＰＵＣＣＨ伝送用のアップリンクキャリア、及びＰＵＣＣＨ伝送用のアップリンクキャリア以外のアップリンクキャリアに対し、ネットワーク側が、当該アップリンクキャリアに対応するＴｙｐｅ１ ＰＨが、端末が全部アップリンクキャリアの上り伝送関連情報に基づいて生成したものであることを確定することは、以下のようである。
もしネットワーク側が、現在アップリンクサブフレームｉにおいて、当該アップリンクキャリア上で端末がＰＵＳＣＨ伝送を行い、且つ、現在アップリンクサブフレームｉにおいて、いずれのキャリア組に対応するＰＵＣＣＨ伝送用のアップリンクキャリアにおいても、端末がＰＵＣＣＨ伝送をしないと確定すれば、ネットワーク側は、端末が下記の数８に基づいて、当該アップリンクキャリアのＴｙｐｅ１ ＰＨを生成することを確定する。 
もしネットワーク側が、現在アップリンクサブフレームｉにおいて、当該アップリンクキャリア上で端末がＰＵＳＣＨ伝送を行い、且つ、現在アップリンクサブフレームｉにおいて、少なくとも１個のキャリア組に対応するＰＵＣＣＨ伝送用のアップリンクキャリア上で、端末がＰＵＣＣＨ伝送を行うと確定すれば、ネットワーク側は、端末が下記の数９に基づいて、当該アップリンクキャリアのＴｙｐｅ１ ＰＨを生成することを確定する。 
もしネットワーク側が、現在アップリンクサブフレームｉにおいて、当該アップリンクキャリア上で端末がＰＵＳＣＨ伝送を行わないと確定すれば、ネットワーク側は、端末が下記の数１０に基づいて、当該アップリンクキャリアのＴｙｐｅ１ ＰＨを生成することを確定する。 
または、もしネットワーク側が、現在アップリンクサブフレームｉにおいて、当該アップリンクキャリア上で端末がＰＵＳＣＨ伝送を行なうがＰＵＣＣＨ伝送をしないと確定すれば、ネットワーク側は、端末が下記の数８に基づいて、当該アップリンクキャリアのＴｙｐｅ１ ＰＨを生成することを確定する。
もしネットワーク側が、現在アップリンクサブフレームｉにおいて、当該アップリンクキャリア上で端末がＰＵＳＣＨ及びＰＵＣＣＨ伝送をともに行うと確定すれば、ネットワーク側は、端末が下記の数９に基づいて、当該アップリンクキャリアのＴｙｐｅ１ ＰＨを生成することを確定する。
もしネットワーク側が、現在アップリンクサブフレームｉにおいて、当該アップリンクキャリア上で端末がＰＵＳＣＨ伝送を行わないと確定すれば、ネットワーク側端末が下記の数１０に基づいて、当該アップリンクキャリアのＴｙｐｅ１ ＰＨを生成することを確定する。
【００６６】
好ましくは、前記ＰＵＣＣＨ伝送用のアップリンクキャリアに対し、ネットワーク側が、当該アップリンクキャリアに対応するＴｙｐｅ２ ＰＨが、端末が全部のアップリンクキャリアの上り伝送関連情報に基づいて生成したものであることを確定することは、以下のようである。
もしネットワーク側が、現在アップリンクサブフレームｉにおいて、当該アップリンクキャリア上で端末がＰＵＣＣＨ伝送及びＰＵＳＣＨ伝送をともに行うと確定すれば、ネットワーク側は、端末が下記の数１１に基づいて、当該アップリンクキャリアのＴｙｐｅ２ ＰＨを生成することを確定する。
もしネットワーク側が、現在アップリンクサブフレームｉにおいて、当該アップリンクキャリア上で端末がＰＵＳＣＨ伝送を行なうがＰＵＣＣＨ伝送をしないと確定すれば、ネットワーク側は、端末が下記の数１２に基づいて、当該アップリンクキャリアのＴｙｐｅ２ ＰＨを生成することを確定する。
もしネットワーク側が、現在アップリンクサブフレームｉにおいて、当該アップリンクキャリア上で端末がＰＵＣＣＨ伝送を行い、ＰＵＳＣＨ伝送をしないと確定すれば、ネットワーク側は、端末が下記の数１３に基づいて、当該アップリンクキャリアのＴｙｐｅ２ ＰＨを生成することを確定する。
もしネットワーク側が、現在アップリンクサブフレームｉにおいて、当該アップリンクキャリア上で端末がＰＵＳＣＨ伝送及びＰＵＣＣＨ伝送を行わないと確定すれば、ネットワーク側は、端末が下記の数１４に基づいて、当該アップリンクキャリアのＴｙｐｅ２ ＰＨを生成することを確定する
好ましくは、上述電力低減値は、ＭＰＲ値と、Ａ−ＭＰＲ値とを含む。
前記上り伝送関連情報は、アップリンク伝送帯域幅と、、変調階数及びリソースブロックＲＢ割り当て情報うちのいずれの１つまたは任意の組み合わせを含む。
【００６７】
本発明に係る端末は、複数のダウンリンクキャリアをアグリゲーションし、当該複数のダウンリンクキャリアを複数のキャリア組に分け、各キャリア組に対し、当該キャリア組における１個の指定したダウンリンクキャリアとペア関係になるアップリンクキャリアを、当該キャリア組に対応する伝送物理アップリンク制御チャネル（ＰＵＣＣＨ）伝送用のアップリンクキャリアとして指定し、
当該端末は、
ＰＨ報告が必要となる複数のＰＵＣＣＨ伝送用のアップリンクキャリア中の各アップリンクキャリアのために、１個のタイプＴｙｐｅ１ ＰＨ及び１個のＴｙｐｅ２ ＰＨを生成し、ＰＨ報告が必要となる、ＰＵＣＣＨ伝送用のアップリンクキャリア以外の各アップリンクキャリアのため、１個のＴｙｐｅ１ ＰＨを生成するＰＨ生成ユニットと、
生成した各Ｔｙｐｅ１ ＰＨ及びＴｙｐｅ２ ＰＨを、現在アップリンクサブフレームにおいて、ネットワーク側に報告するＰＨ報告ユニットとを備える。
【００６８】
本出願に係る実施例が提供する案によれば、端末がＰＨ報告が必要となる複数のＰＵＣＣＨ伝送用のアップリンクキャリアにおける各アップリンクキャリアのため、１個のタイプＴｙｐｅ１ ＰＨ及び１個のＴｙｐｅ２ ＰＨを生成し、ＰＨ報告が必要となる、ＰＵＣＣＨ伝送用のアップリンクキャリア以外の各アップリンクキャリアのため、１個のＴｙｐｅ１ ＰＨを生成し、生成した各Ｔｙｐｅ１ ＰＨ及びＴｙｐｅ２ ＰＨを、現在アップリンクサブフレームにおいて、ネットワーク側に報告する。端末が異なるキャリア組に対応する異なるアップリンクキャリア上でＰＵＣＣＨを伝送することをサポートする場合、本技術案は、端末がＰＨ報告をする具体的な実施方法を提供する。端末が異なるキャリア組に対応する異なるアップリンクキャリア上でＰＵＣＣＨを伝送することをサポートする場合、ＰＨ報告をどうするかとの技術課題を解決した。
【００６９】
好ましくは、当該端末は、設定ユニットを更に備える。
当該設定ユニットは、ＰＨ報告が必要となる複数のＰＵＣＣＨ伝送用のアップリンクキャリア中の各アップリンクキャリアのため、１個のＴｙｐｅ１ ＰＨ及び１個のＴｙｐｅ２ ＰＨを生成する前に、ネットワーク側から送信した設定情報に基づいて、自身がアグリゲーションした複数のダウンリンクキャリアを複数のキャリア組に分け、各キャリア組には、少なくとも１個のダウンリンクキャリアが含まれ、
各キャリア組に対し、ネットワーク側から送信した上位層シグナリングに基づくか、またはネットワーク側との事前協議に基づいて、当該キャリア組における１個の指定したダウンリンクキャリアとペア関係になるアップリンクキャリアを、当該キャリア組に対応するＰＵＣＣＨ伝送用のアップリンクキャリアとして確定する。
【００７０】
上記任意の端末実施例に基づいて、好ましくは、前記ＰＨ生成ユニットは、
前記ＰＵＣＣＨ伝送用のアップリンクキャリア、及びＰＵＣＣＨ伝送用のアップリンクキャリア以外のアップリンクキャリアに対し、当該アップリンクキャリアに対応するキャリア組における各ダウンリンクキャリアとペア関係になるアップリンクキャリアの上り伝送関連情報に基づいて、当該アップリンクキャリアのＴｙｐｅ１ ＰＨを生成する第１生成ユニットと、
前記ＰＵＣＣＨ伝送用のアップリンクキャリアに対し、当該アップリンクキャリアに対応するキャリア組における各ダウンリンクキャリアとペア関係になるアップリンクキャリアの上り伝送関連情報に基づいて、当該アップリンクキャリアのＴｙｐｅ２ ＰＨを生成する第２生成ユニットとを備え、
当該アップリンクキャリアに対応するキャリア組は、当該アップリンクキャリアとペア関係になるダウンリンクキャリアが属するキャリア組である。
【００７１】
好ましくは、前記第１生成ユニットは、以下のことに用いられる。
もし、現在アップリンクサブフレームｉにおいて、当該アップリンクキャリア上で、端末が物理アップリンク共有チャネルＰＵＳＣＨ伝送を行い、且つ、現在アップリンクサブフレームｉにおいて、当該アップリンクキャリアに対応するキャリア組における各ダウンリンクキャリアとペア関係になるアップリンクキャリア上で、端末がＰＵＣＣＨ伝送をしなければ、以下の数１に基づいて、当該アップリンクキャリアのＴｙｐｅ１ ＰＨを生成する。
もし、現在アップリンクサブフレームｉにおいて、当該アップリンクキャリア上上で、端末がＰＵＳＣＨ伝送を行い、且つ、現在アップリンクサブフレームｉにおいて、当該アップリンクキャリアに対応するキャリア組の各ダウンリンクキャリアとペア関係になるアップリンクキャリア上で、端末がＰＵＣＣＨ伝送をすれば、下記の数２に基づいて、当該アップリンクキャリアのＴｙｐｅ１ ＰＨを生成する。
もし、現在アップリンクサブフレームｉにおいて、当該アップリンクキャリア上で、端末がＰＵＳＣＨ伝送を行わなければ、以下の数３に基づいて、当該アップリンクキャリアのＴｙｐｅ１ ＰＨを生成する。
または、もし現在アップリンクサブフレームｉにおいて、当該アップリンクキャリア上で、端末がＰＵＳＣＨ伝送を行い、ＰＵＣＣＨ伝送を行わなければ、以下の数１に基づいて、当該アップリンクキャリアのＴｙｐｅ１ ＰＨを生成する。
もし現在アップリンクサブフレームｉにおいて、当該アップリンクキャリア上で、端末がＰＵＳＣＨ及びＰＵＣＣＨ伝送をともに行えば、下記の数２に基づいて、当該アップリンクキャリアのＴｙｐｅ１ ＰＨを生成する。
もし、現在アップリンクサブフレームｉにおいて、当該アップリンクキャリア上で、端末がＰＵＳＣＨ伝送を行わなければ、以下の数３に基づいて、当該アップリンクキャリアのＴｙｐｅ１ ＰＨを生成する。
【００７２】
好ましくは、前記第２生成ユニットは、以下のことに用いられる。
もし現在アップリンクサブフレームｉにおいて、当該アップリンクキャリア上で、端末がＰＵＣＣＨ及びＰＵＳＣＨ伝送をともに行えば、以下の数４に基づいて、当該アップリンクキャリアのＴｙｐｅ２ ＰＨを生成する。
もし現在アップリンクサブフレームｉにおいて、当該アップリンクキャリア上で、端末がＰＵＳＣＨ伝送を行い、ＰＵＣＣＨ伝送を行わなければ、以下の数５に基づいて、当該アップリンクキャリアのＴｙｐｅ２ ＰＨを生成する。
もし、現在アップリンクサブフレームｉにおいて、当該アップリンクキャリア上で、端末がＰＵＣＣＨ伝送を行なうが、ＰＵＳＣＨ伝送をしなければ、以下の数６に基づいて、当該アップリンクキャリアのＴｙｐｅ２ ＰＨを生成する。
もし、現在アップリンクサブフレームｉにおいて、当該アップリンクキャリア上で、端末がＰＵＳＣＨ伝送及びＰＵＣＣＨ伝送を行わなければ、以下の数７に基づいて、当該アップリンクキャリアのＴｙｐｅ２ ＰＨを生成する。
【００７３】
上記任意の端末実施例に基づいて、好ましくは、前記ＰＨ生成ユニットは、
前記ＰＵＣＣＨ伝送用のアップリンクキャリア、及びＰＵＣＣＨ伝送用のアップリンクキャリア以外のアップリンクキャリアに対し、端末は、アップリンクキャリアの全部の上り伝送関連情報に基づいて、当該アップリンクキャリアのＴｙｐｅ１ ＰＨを生成する第３生成ユニットと、
前記ＰＵＣＣＨ伝送用のアップリンクキャリアに対し、端末は、アップリンクキャリアの全部の上り伝送関連情報に基づいて、当該アップリンクキャリアのＴｙｐｅ２ ＰＨを生成する第４生成ユニットとを備える。
【００７４】
好ましくは、前記第３生成ユニットは、以下のことに用いられる。
もし現在アップリンクサブフレームｉにおいて、当該アップリンクキャリア上で、端末がＰＵＳＣＨ伝送を行い、且つ、現在アップリンクサブフレームｉにおいて、いずれのキャリア組に対応するＰＵＣＣＨ伝送用のアップリンクキャリアにおいても、端末がＰＵＣＣＨ伝送をしなければ、以下の数８に基づいて、当該アップリンクキャリアのＴｙｐｅ１ ＰＨを生成する。 
もし現在アップリンクサブフレームｉにおいて、当該アップリンクキャリア上で、端末がＰＵＳＣＨ伝送を行い、且つ、現在アップリンクサブフレームｉにおいて、少なくとも１個のキャリア組に対応するＰＵＣＣＨ伝送用のアップリンクキャリア上で、端末がＰＵＣＣＨ伝送を行えば、下記の数９に基づいて、当該アップリンクキャリアのＴｙｐｅ１ ＰＨを生成する。 
もし、現在アップリンクサブフレームｉにおいて、当該アップリンクキャリア上で、端末がＰＵＳＣＨ伝送を行わなければ、下記の数１０に基づいて、当該アップリンクキャリアのＴｙｐｅ１ ＰＨを生成する。 
または、もし現在アップリンクサブフレームｉにおいて、当該アップリンクキャリア上で、端末がＰＵＳＣＨ伝送を行い、ＰＵＣＣＨ伝送を行わなければ、以下の数８に基づいて、当該アップリンクキャリアのＴｙｐｅ１ ＰＨを生成する。
もし現在アップリンクサブフレームｉにおいて、当該アップリンクキャリア上で、端末がＰＵＳＣＨ及びＰＵＣＣＨ伝送をともに行えば、下記の数９に基づいて、当該アップリンクキャリアのＴｙｐｅ１ ＰＨを生成する。
もし、現在アップリンクサブフレームｉにおいて、当該アップリンクキャリア上で、端末がＰＵＳＣＨ伝送を行わなければ、下記の数１０に基づいて、当該アップリンクキャリアのＴｙｐｅ１ ＰＨを生成する。
【００７５】
好ましくは、前記第４生成ユニットは、以下のことに用いる。
もし現在アップリンクサブフレームｉにおいて、当該アップリンクキャリア上で、端末がＰＵＣＣＨ伝送及びＰＵＳＣＨ伝送をともに行えば、下記の数１１に基づいて、当該アップリンクキャリアのＴｙｐｅ２ ＰＨを生成する。
もし現在アップリンクサブフレームｉにおいて、当該アップリンクキャリア上で、端末がＰＵＳＣＨ伝送を行い、ＰＵＣＣＨ伝送を行わなければ、下記の数１２に基づいて、当該アップリンクキャリアのＴｙｐｅ２ ＰＨを生成する。
もし、現在アップリンクサブフレームｉにおいて、当該アップリンクキャリア上で、端末がＰＵＣＣＨ伝送を行なうが、ＰＵＳＣＨ伝送をしなければ、下記の数１３に基づいて、当該アップリンクキャリアのＴｙｐｅ２ ＰＨを生成する。
もし、現在アップリンクサブフレームｉにおいて、当該アップリンクキャリア上で、端末がＰＵＳＣＨ伝送及びＰＵＣＣＨ伝送を行わなければ、下記の数１４に基づいて、当該アップリンクキャリアのＴｙｐｅ２ ＰＨを生成する。
【００７６】
好ましくは、前記第１生成ユニットは、数２に基づいて、当該アップリンクキャリアのＴｙｐｅ１ ＰＨを生成する場合、前記P~CMAX,c(i)を前記端末的上位層に報告する。
好ましくは、前記第３生成ユニットは、数９に基づいて、当該アップリンクキャリアのＴｙｐｅ１ ＰＨを生成する場合、前記P~CMAX,c(i)を前記端末的上位層に報告する。
好ましくは、上述電力低減値は、ＭＰＲ値と、Ａ−ＭＰＲ値とを含む。
前記上り伝送関連情報は、アップリンク伝送帯域幅と、変調階数と、リソースブロックＲＢ割り当て情報うちの１つまたは多様な組み合わせである。
【００７７】
方法と同様な発明思想に基づいて、本発明に係る実施例は端末を提供する。当該端末が複数のダウンリンクキャリアをアグリゲーションし、当該複数のダウンリンクキャリアを複数のキャリア組に分け、各キャリア組に対し、当該キャリア組における１個の指定したダウンリンクキャリアとペア関係になるアップリンクキャリアを、当該キャリア組に対応する伝送物理アップリンク制御チャネル（ＰＵＣＣＨ）伝送用のアップリンクキャリアとして指定し、る。当該端末は、プロセッサと、無線ユニットとを備える。
当該プロセッサは、ＰＨ報告が必要となる複数のＰＵＣＣＨ伝送用のアップリンクキャリア中の各アップリンクキャリアのために、１個のタイプＴｙｐｅ１ ＰＨ及び１個のＴｙｐｅ２ ＰＨを生成し、ＰＨ報告が必要となる、ＰＵＣＣＨ伝送用のアップリンクキャリア以外の各アップリンクキャリアのため、１個のＴｙｐｅ１ ＰＨを生成する。
当該無線ユニットは、生成した各Ｔｙｐｅ１ ＰＨ及びＴｙｐｅ２ ＰＨを、現在アップリンクサブフレームにおいて、ネットワーク側に報告する。
【００７８】
本出願に係る実施例が提供する案によれば、端末がＰＨ報告が必要となる複数のＰＵＣＣＨ伝送用のアップリンクキャリアにおける各アップリンクキャリアのため、１個のタイプＴｙｐｅ１ ＰＨ及び１個のＴｙｐｅ２ ＰＨを生成し、ＰＨ報告が必要となる、ＰＵＣＣＨ伝送用のアップリンクキャリア以外の各アップリンクキャリアのため、１個のＴｙｐｅ１ ＰＨを生成し、生成した各Ｔｙｐｅ１ ＰＨ及びＴｙｐｅ２ ＰＨを、現在アップリンクサブフレームにおいて、ネットワーク側に報告する。端末が異なるキャリア組に対応する異なるアップリンクキャリア上でＰＵＣＣＨを伝送することをサポートする場合、本技術案は、端末がＰＨ報告をする具体的な実施方法を提供する。端末が異なるキャリア組に対応する異なるアップリンクキャリア上でＰＵＣＣＨを伝送することをサポートする場合、ＰＨ報告をどうするかとの技術課題を解決した。
【００７９】
本発明に係る基地局は、
端末から報告したパワーヘッドルームＰＨ情報を受信し、当該端末が複数のダウンリンクキャリアをアグリゲーションし、当該複数のダウンリンクキャリアを複数のキャリア組に分け、各キャリア組に対し、当該キャリア組における１個の指定したダウンリンクキャリアとペア関係になるアップリンクキャリアを、当該キャリア組に対応する伝送物理アップリンク制御チャネル（ＰＵＣＣＨ）伝送用のアップリンクキャリアとして指定し、るＰＨ受信ユニットと、
前記ＰＨ情報から、ＰＨ報告する必要がある複数のＰＵＣＣＨ伝送用のアップリンクキャリア中の各アップリンクキャリアそれぞれに対応する１個のタイプＴｙｐｅ１ ＰＨ及び１個のＴｙｐｅ２ ＰＨＰＨを取得し、前記ＰＨ情報から、ＰＨ報告する必要があるＰＵＣＣＨ伝送用のアップリンクキャリア以外の各アップリンクキャリアそれぞれに対応する１個のＴｙｐｅ１ ＰＨを取得する取得ユニットとを備える。
【００８０】
本出願に係る実施例が提供する案によれば、端末がＰＨ報告が必要となる複数のＰＵＣＣＨ伝送用のアップリンクキャリアにおける各アップリンクキャリアのため、１個のタイプＴｙｐｅ１ ＰＨ及び１個のＴｙｐｅ２ ＰＨを生成し、ＰＨ報告が必要となる、ＰＵＣＣＨ伝送用のアップリンクキャリア以外の各アップリンクキャリアのため、１個のＴｙｐｅ１ ＰＨを生成し、生成した各Ｔｙｐｅ１ ＰＨ及びＴｙｐｅ２ ＰＨを、現在アップリンクサブフレームにおいて、ネットワーク側に報告する。端末が異なるキャリア組に対応する異なるアップリンクキャリア上でＰＵＣＣＨを伝送することをサポートする場合、本技術案は、端末がＰＨ報告をする具体的な実施方法を提供する。端末が異なるキャリア組に対応する異なるアップリンクキャリア上でＰＵＣＣＨを伝送することをサポートする場合、ＰＨ報告をどうするかとの技術課題を解決した。
【００８１】
好ましくは、当該基地局は、設定ユニットを更に備える。
当該設定ユニットは、端末から報告したＰＨ情報を受信する前に、端末に設定情報を送信し、当該設定情報は、アグリゲーションの複数のダウンリンクキャリアを、複数のキャリア組に分けるように、端末に指示し、各キャリア組には、少なくとも１個のダウンリンクキャリアが含まれる。
また、当該設定ユニットは、端末に上位層シグナリングを送信し、当該上位層シグナリングは、各キャリア組に対し当該キャリア組における１個の指定したダウンリンクキャリアとペア関係になるアップリンクキャリアを、当該キャリア組に対応するＰＵＣＣＨ伝送用のアップリンクキャリアとするように指示し、または、各キャリア組に対し、端末との事前協議に基づいて、当該キャリア組における１個の指定したダウンリンクキャリアとペア関係になるアップリンクキャリアを、当該キャリア組に対応するＰＵＣＣＨ伝送用のアップリンクキャリアとして確定する。
【００８２】
上記いずれの基地局実施例に基づいて、好ましくは、前記ＰＨ取得ユニットは、以下のことに用いられる。
前記ＰＵＣＣＨ伝送用のアップリンクキャリア、及びＰＵＣＣＨ伝送用のアップリンクキャリア以外のアップリンクキャリアに対し、当該アップリンクキャリアに対応するＴｙｐｅ１ ＰＨが、端末が当該アップリンクキャリアに対応するキャリア組における各ダウンリンクキャリアとペア関係になるアップリンクキャリアの上り伝送関連情報に基づいて生成したことを確定する。
前記ＰＵＣＣＨ伝送用のアップリンクキャリアに対し、当該アップリンクキャリアに対応するＴｙｐｅ２ ＰＨが、端末が当該アップリンクキャリアに対応するキャリア組における各ダウンリンクキャリアとペア関係になるアップリンクキャリアの上り伝送関連情報に基づいて生成したものであることを確定する。
【００８３】
好ましくは、前記ＰＨ取得ユニットは以下のことに用いられる。
もし現在アップリンクサブフレームｉにおいて、当該アップリンクキャリア上で端末が物理アップリンク共有チャネルＰＵＳＣＨ伝送を行い、且つ、現在アップリンクサブフレームｉにおいて、当該アップリンクキャリアに対応するキャリア組における各ダウンリンクキャリアとペア関係になるアップリンクキャリア上で、端末がＰＵＣＣＨ伝送をしないと確定すれば、端末が下記の数１に基づいて当該アップリンクキャリアのＴｙｐｅ１ ＰＨを生成することを確定する。
現在アップリンクサブフレームｉにおいて、当該アップリンクキャリア上で端末がＰＵＳＣＨ伝送を行い、且つ、現在アップリンクサブフレームｉにおいて、当該アップリンクキャリアに対応するキャリア組の各ダウンリンクキャリアとペア関係になるアップリンクキャリア上で、端末がＰＵＣＣＨ伝送を行うと確定すれば、端末が下記の数２に基づいて、当該アップリンクキャリアのＴｙｐｅ１ ＰＨを生成することを確定する。
現在アップリンクサブフレームｉにおいて、当該アップリンクキャリア上で端末がＰＵＳＣＨ伝送を行わないと確定すれば、端末は以下の数３に基づいて、当該アップリンクキャリアのＴｙｐｅ１ ＰＨを生成することを確定する。
または、現在アップリンクサブフレームｉにおいて、当該アップリンクキャリア上で端末がＰＵＳＣＨ伝送を行うがＰＵＣＣＨ伝送をしないと確定すれば、端末が下記の数１に基づいて当該アップリンクキャリアのＴｙｐｅ１ ＰＨを生成することを確定する。
現在アップリンクサブフレームｉにおいて、当該アップリンクキャリア上で端末がＰＵＳＣＨ及びＰＵＣＣＨ伝送をともに行うと確定すれば、端末は、下記の数２に基づいて、当該アップリンクキャリアのＴｙｐｅ１ ＰＨを生成することを確定する。
現在アップリンクサブフレームｉにおいて、当該アップリンクキャリア上で端末がＰＵＳＣＨ伝送を行わないと確定すれば、端末は以下の数３に基づいて、当該アップリンクキャリアのＴｙｐｅ１ ＰＨを生成することを確定する。
【００８４】
好ましくは、前記ＰＨ取得ユニットは、以下のことに用いられる。
もし現在アップリンクサブフレームｉにおいて、当該アップリンクキャリア上で端末がＰＵＣＣＨ及びＰＵＳＣＨ伝送をともに行うと確定すれば、端末が下記の数４に基づいて、当該アップリンクキャリアのＴｙｐｅ２ ＰＨを生成することを確定する。
現在アップリンクサブフレームｉにおいて、当該アップリンクキャリア上で端末がＰＵＳＣＨ伝送を行うがＰＵＣＣＨ伝送をしないと確定すれば、端末が下記の数５に基づいて、当該アップリンクキャリアのＴｙｐｅ２ ＰＨを生成することを確定する。
もし現在アップリンクサブフレームｉにおいて、当該アップリンクキャリア上で端末がＰＵＣＣＨ伝送を行うがＰＵＳＣＨ伝送をしないと確定すれば、端末が下記の数６に基づいて、当該アップリンクキャリアのＴｙｐｅ２ ＰＨを生成することを確定する。
もし現在アップリンクサブフレームｉにおいて、当該アップリンクキャリア上で端末がＰＵＳＣＨ伝送及びＰＵＣＣＨ伝送を行わないと確定すれば、端末が下記の数７に基づいて、当該アップリンクキャリアのＴｙｐｅ２ ＰＨを生成することを確定する。
【００８５】
上記いずれの基地局実施例に基づいて、好ましくは、前記ＰＨ取得ユニットは以下のことに用いられる。
前記ＰＵＣＣＨ伝送用のアップリンクキャリア、及びＰＵＣＣＨ伝送用のアップリンクキャリア以外のアップリンクキャリアに対し、当該アップリンクキャリアに対応するＴｙｐｅ１ ＰＨが、端末が全部アップリンクキャリアの上り伝送関連情報に基づいて生成したものであることを確定する。
前記ＰＵＣＣＨ伝送用のアップリンクキャリアに対し、当該アップリンクキャリアに対応するＴｙｐｅ２ ＰＨが、端末が全部のアップリンクキャリアの上り伝送関連情報に基づいて生成したものであることを確定する。
【００８６】
好ましくは、前記ＰＨ取得ユニットは以下のことに用いられる。
現在アップリンクサブフレームｉにおいて、当該アップリンクキャリアが端末がＰＵＳＣＨ伝送をおこない、且つ、現在アップリンクサブフレームｉにおいて、いずれのキャリア組に対応するＰＵＣＣＨ伝送用のアップリンクキャリアにおいても、端末がＰＵＣＣＨ伝送をしないと確定すれば、端末が下記の数８に基づいて、当該アップリンクキャリアのＴｙｐｅ１ ＰＨを生成することを確定する。 
現在アップリンクサブフレームｉにおいて、当該アップリンクキャリアが端末がＰＵＳＣＨ伝送をおこない、且つ、現在アップリンクサブフレームｉにおいて、少なくとも１個のキャリア組に対応するＰＵＣＣＨ伝送用のアップリンクキャリア上で、端末がＰＵＣＣＨ伝送を行うと確定すれば、端末が下記の数９に基づいて、当該アップリンクキャリアのＴｙｐｅ１ ＰＨを生成することを確定する。 
現在アップリンクサブフレームｉにおいて、当該アップリンクキャリア上で端末がＰＵＳＣＨ伝送を行わないと確定すれば、端末が下記の数１０に基づいて、当該アップリンクキャリアのＴｙｐｅ１ ＰＨを生成することを確定する。 
または、現在アップリンクサブフレームｉにおいて、当該アップリンクキャリア上で端末がＰＵＳＣＨ伝送を行うがＰＵＣＣＨ伝送をしないと確定すれば、端末が下記の数８に基づいて、当該アップリンクキャリアのＴｙｐｅ１ ＰＨを生成することを確定する。
現在アップリンクサブフレームｉにおいて、当該アップリンクキャリア上で端末がＰＵＳＣＨ及びＰＵＣＣＨ伝送をともに行うと確定すれば、端末が下記の数９に基づいて、当該アップリンクキャリアのＴｙｐｅ１ ＰＨを生成することを確定する。
現在アップリンクサブフレームｉにおいて、当該アップリンクキャリア上で端末がＰＵＳＣＨ伝送を行わないと確定すれば、端末が下記の数１０に基づいて、当該アップリンクキャリアのＴｙｐｅ１ ＰＨを生成することを確定する。
【００８７】
好ましくは、前記ＰＨ取得ユニットは、下記のことに用いられる。
現在アップリンクサブフレームｉにおいて、当該アップリンクキャリア上で端末がＰＵＣＣＨ伝送及びＰＵＳＣＨ伝送をともに行うと確定すれば、端末が下記の数１１に基づいて、当該アップリンクキャリアのＴｙｐｅ２ ＰＨを生成することを確定する。
現在アップリンクサブフレームｉにおいて、当該アップリンクキャリア上で端末がＰＵＳＣＨ伝送を行うがＰＵＣＣＨ伝送をしないと確定すれば、端末が下記の数１２に基づいて、当該アップリンクキャリアのＴｙｐｅ２ ＰＨを生成することを確定する。
もし現在アップリンクサブフレームｉにおいて、当該アップリンクキャリア上で端末がＰＵＣＣＨ伝送を行うがＰＵＳＣＨ伝送をしないと確定すれば、端末が下記の数１３に基づいて、当該アップリンクキャリアのＴｙｐｅ２ ＰＨを生成することを確定する。
もし現在アップリンクサブフレームｉにおいて、当該アップリンクキャリア上で端末がＰＵＳＣＨ伝送及びＰＵＣＣＨ伝送を行わないと確定すれば、端末が下記の数１４に基づいて、当該アップリンクキャリアのＴｙｐｅ２ ＰＨを生成することを確定する。
【００８８】
好ましくは、上記電力低減値は、ＭＰＲ値と、Ａ−ＭＰＲ値とを含む。
前記上り伝送関連情報は、アップリンク伝送帯域幅、変調階数、およびリソースブロックＲＢ割り当て情報のうちの１個のまたは任意の組み合わせを含む。
【００８９】
方法と同様な発明思想に基づいて、本発明に係る実施例は基地局を提供する。当該基地局は、無線ユニットと、プロセッサとを備える。
当該無線ユニットは、端末から報告したパワーヘッドルームＰＨ情報を受信し、当該端末が複数のダウンリンクキャリアをアグリゲーションし、当該複数のダウンリンクキャリアを複数のキャリア組に分け、各キャリア組に対し、当該キャリア組における１個の指定したダウンリンクキャリアとペア関係になるアップリンクキャリアを、当該キャリア組に対応する伝送物理アップリンク制御チャネル（ＰＵＣＣＨ）伝送用のアップリンクキャリアとして指定し、
当該プロセッサは、前記ＰＨ情報から、ＰＨ報告する必要がある複数のＰＵＣＣＨ伝送用のアップリンクキャリア中の各アップリンクキャリアそれぞれに対応する１個のタイプＴｙｐｅ１ ＰＨ及び１個のＴｙｐｅ２ ＰＨを取得し、前記ＰＨ情報から、ＰＨ報告する必要があるＰＵＣＣＨ伝送用のアップリンクキャリア以外の各アップリンクキャリアそれぞれに対応する１個のＴｙｐｅ１ ＰＨを取得する。
【発明の効果】
【００９０】
本出願に係る実施例が提供する案によれば、端末がＰＨ報告が必要となる複数のＰＵＣＣＨ伝送用のアップリンクキャリアにおける各アップリンクキャリアのため、１個のタイプＴｙｐｅ１ ＰＨ及び１個のＴｙｐｅ２ ＰＨを生成し、ＰＨ報告が必要となる、ＰＵＣＣＨ伝送用のアップリンクキャリア以外の各アップリンクキャリアのため、１個のＴｙｐｅ１ ＰＨを生成し、生成した各Ｔｙｐｅ１ ＰＨ及びＴｙｐｅ２ ＰＨを、現在アップリンクサブフレームにおいて、ネットワーク側に報告する。端末が異なるキャリア組に対応する異なるアップリンクキャリア上でＰＵＣＣＨを伝送することをサポートする場合、本技術案は、端末がＰＨ報告をする具体的な実施方法を提供する。端末が異なるキャリア組に対応する異なるアップリンクキャリア上でＰＵＣＣＨを伝送することをサポートする場合、ＰＨ報告をどうするのかとの技術課題を解決した。
【図面の簡単な説明】
【００９１】
【図１】図１は従来技術のＬＴＥセルのキャリア分布図である
【図２】図２は従来技術のＬＴＥ−Ａ キャリアアグリゲーションを示す図である。
【図３Ａ】図３Ａは従来技術のＦＤＤを示す図である。
【図３Ｂ】図３Ｂは従来技術のＨ−ＦＤＤを示す図である。
【図３Ｃ】図３Ｃは従来技術のＴＤＤを示す図である。
【図４】図４は本出願に係る実施例のキャリア組の組み分けを示す図である。
【図５】図５は本出願に係る実施例の方法フローチャート図である。
【図６】図６は本出願に係る実施例の他の方法フローチャート図である。
【図７】図７は本出願に係る実施例の端末構造図である。
【図８】図８は本出願に係る実施例の基地局構造図である。
【発明を実施するための形態】
【００９２】
ＦＤＤキャリア及びＴＤＤキャリアアグリゲーションの場合、ＦＤＤキャリア及びＴＤＤキャリアの動作方式が異なるため、図４に示すような新いアップリンク伝送案が導入される可能性がある。
【００９３】
端末は、複数のダウンリンクキャリアをアグリゲーションし、各ダウンリンクキャリアは、１個のアップリンクキャリアとペアとなる。アグリゲーションのダウンリンクキャリア（図４における各ダウンリンクキャリアはＣで示す）を、Ｎ個のキャリア組Ｓｉに分け、１個のダウンリンクキャリアは、１個のキャリア組に属する。各キャリア組におけるキャリアは、同様なデュープレックス方法を採用する。１個のキャリア組内の全部のＴＤＤキャリアは、同様なＴＤＤアップリンク/ダウンリンク構成を採用する。Ｎは、１より大きい整数である。
【００９４】
各キャリア組Ｓｉに対し、当該キャリア組における１個の指定したダウンリンクキャリアとペア関係になるアップリンクキャリアＣＵＬ,ｉは、当該キャリア組に対応する物理アップリンク制御チャネル（ＰＵＣＣＨ）伝送用のアップリンクキャリアに指定される。  当該キャリア組に対応するＰＵＣＣＨ伝送用のアップリンクキャリアは、当該キャリア組と同様なデュープレックス方法を採用する。もし現在キャリア組にはＴＤＤキャリアが含まれば、当該アップリンクキャリアは、対応のキャリア組と同様なＴＤＤアップリンク/ダウンリンク構成を採用する。異なるキャリア組に対応するＰＵＣＣＨ伝送用のアップリンクキャリアは異なる。
【００９５】
ＵＥは、キャリア組において、ダウンリンクデータに対応する肯定応答/否定応答（ＡＣＫ/ＮＡＣＫ）情報を受信し、当該キャリア組に対応するＰＵＣＣＨ伝送用のアップリンクキャリア上のＰＵＣＣＨを介して伝送する。即ち、ＵＥは複数のアップリンクキャリアにおいて、ＰＵＣＣＨをそれぞれに伝送することができる。
【００９６】
上記ダウンリンクキャリアとアップリンクキャリアのペア関係は、ネットワーク側がシステム情報ＳIＢ−１により、ＵＥに通知する。１個のダウンリンクキャリアは、１個のアップリンクキャリアとペアとなる。当該ペア関係は、一般的にＳIＢ−１メッセージによりＵＥに通知されるため、ＳIＢ−１ペア関係（ＳIＢ−１ ｌｉｎｋａｇｅ）とも呼ばれる。通常、ダウンリンクキャリアごとに、ペアとなるアップリンクキャリアは１個のみであるが、またはペアとなるアップリンクキャリアがない。ＦＤＤの場合、アップリンクキャリア及びダウンリンクキャリアは、異なる周波数リソースを使用する。通常、ダウンリンクキャリア及びアップリンクキャリアは、ペアとなり、アップリンク・ダウンリンク対称のキャリアアグリゲーションと呼ばれる。もちろん、ＦＤＤキャリアは、ペアとなるアップリンクキャリアがないＦＤＤダウンリンクキャリア（ＤＬ ｏｎｌｙキャリアとも呼ばれる）を有することができ、この場合、アップリンク・ダウンリンク非対称のキャリアアグリゲーションと呼ばれる。ＴＤＤの場合、アップリンクキャリア及びダウンリンクキャリアは、同一な周波数リソースを共有し、異なる送信時間により、アップリンク・ダウンリンク伝送を区別するため、同一のキャリアは異なる伝送時間において、それぞれアップリンクキャリアまたはダウンリンクキャリアとして利用される。よって、ダウンリンクキャリアを組み分けする場合、ダウンリンクキャリアとペア関係になるアップリンクキャリアは、原則として同一のキャリア組に属する。
【００９７】
サービング・セル（ｓｅｒｖｉｎｇ  ｃｅｌｌ）アグリゲーション概念の角度から説明すれば、ＵＥによりアグリゲーションした各サービング・セルには、１個のアップリンクキャリア及び１個のダウンリンクキャリアが含まれる。ＦＤＤの場合、当該サービング・セルに含まれるアップリンクキャリア及びダウンリンクキャリアは、異なる周波数のキャリアであり、ＴＤＤの場合、当該サービング・セルに含まれるアップリンクキャリア及びダウンリンクキャリアは、同一周波数のキャリアである。各サービング・セルは、１個のアップリンクキャリア及び１個のダウンリンクキャリアをともに含むことができるし、１個のダウンリンクキャリアのみを含むこともできる。これは、ＳIＢ−１情報により取得することができる。例えば、サービング・セル１、２、３それぞれは、１個のアップリンクキャリア及び１個のダウンリンクキャリアを含み、サービング・セル４は、１個のダウンリンクキャリアのみを含み、そうすると、キャリア組み分け後に、サービング・セル１、２が１組になれば（またはダウンリンクキャリア１及びダウンリンクキャリア２が１組になる）、当該キャリア組には、実に２個のアップリンクキャリア及び２個のダウンリンクキャリアが含まれる。この２つのアップリンクキャリアは、当該２つのダウンリンクキャリアそれぞれとペア関係を有するアップリンクキャリアである。組み分け後にサービング・セル３及び４が１組になれば（またはダウンリンクキャリア３及び４が１組になる）、当該キャリア組には、実に１個のアップリンクキャリア及び２個のダウンリンクキャリアが含まれる。そのうち、１個のダウンリンクキャリアは、ペアとなるアップリンクキャリアを有しない。
【００９８】
端末が異なるキャリア組に対応する異なるアップリンクキャリア上でＰＵＣＣＨを伝送することをサポートする場合、ＰＨ報告をどうするかの課題を解決するために、本出願に係る実施例は、下記のようなキャリアアグリゲーション場合のＰＨ報告方法を提供する。
【００９９】
図５を参照する。本出願に係る実施例が提供するキャリアアグリゲーション場合のＰＨ報告方法は、ステップ５０と、ステップ５１とを備える。
【０１００】
ステップ５０において、端末は、ＰＨ報告が必要となる複数のＰＵＣＣＨ伝送用のアップリンクキャリアにおける各アップリンクキャリアのため、１個のタイプ（Ｔｙｐｅ）１ ＰＨ及び１個のＴｙｐｅ２ ＰＨを生成し、ＰＨ報告が必要となる、ＰＵＣＣＨ伝送用のアップリンクキャリア以外の各アップリンクキャリアのため、１個のＴｙｐｅ１ ＰＨを生成する。
【０１０１】
ステップ５１において、端末は、生成した各Ｔｙｐｅ１ ＰＨ及びＴｙｐｅ２ ＰＨを、現在アップリンクサブフレームにおいて、ネットワーク側に報告する。
【０１０２】
さらに、ステップ５０の前に、端末は下記の方法でキャリア組を分けることができる。端末は、ネットワーク側から送信した設定情報に基づいて、自身がアグリゲーションした複数のダウンリンクキャリアを複数のキャリア組に分け、各キャリア組には、少なくとも１個のダウンリンクキャリアが含まれる。
【０１０３】
また、端末は、各キャリア組に対し、ネットワーク側から送信した上位層シグナリングに基づくか、またはネットワーク側との事前協議に基づいて、当該キャリア組における１個の指定したダウンリンクキャリアとペア関係になるアップリンクキャリアを、当該キャリア組に対応するＰＵＣＣＨ伝送用のアップリンクキャリアとして確定する。
【０１０４】
１つの実施方法として、ステップ５０は以下のように実施される。
ＰＨ報告が必要であるＰＵＣＣＨ伝送用のアップリンクキャリア、及びＰＨ報告が必要であるＰＵＣＣＨ伝送用のアップリンクキャリア以外のアップリンクキャリアに対し、端末は、当該アップリンクキャリアに対応するキャリア組における各ダウンリンクキャリアとペア関係になるアップリンクキャリアの上り伝送関連情報に基づいて、当該アップリンクキャリアのＴｙｐｅ１ ＰＨを生成する。
【０１０５】
ＰＨ報告が必要であるＰＵＣＣＨ伝送用のアップリンクキャリアに対し、端末は、当該アップリンクキャリアに対応するキャリア組における各ダウンリンクキャリアとペア関係になるアップリンクキャリアの上り伝送関連情報に基づいて、当該アップリンクキャリアのＴｙｐｅ２ ＰＨを生成する。
【０１０６】
ここで、アップリンクキャリアに対応するキャリア組は、当該アップリンクキャリアとペア関係になるダウンリンクキャリアが属するキャリア組である。
【０１０７】
具体的に、上述のＰＵＣＣＨ伝送用のアップリンクキャリア、及びＰＵＣＣＨ伝送用のアップリンクキャリア以外のアップリンクキャリアに対し、端末が、当該アップリンクキャリアに対応するキャリア組における各ダウンリンクキャリアとペア関係になるアップリンクキャリアの上り伝送関連情報に基づいて、当該アップリンクキャリアのＴｙｐｅ１ ＰＨを生成することは、以下のように実施される。
【０１０８】
もし現在アップリンクサブフレームｉにおいて、当該アップリンクキャリア上で端末が物理アップリンク共有チャネル（ＰＵＳＣＨ）伝送を行い、且つ、現在アップリンクサブフレームｉにおいて、当該アップリンクキャリアに対応するキャリア組における各ダウンリンクキャリアとペア関係になるアップリンクキャリア上で、端末がＰＵＣＣＨ伝送（１個のキャリア組における各ダウンリンクキャリアとペア関係になるアップリンクキャリアには、１個のみのアップリンクキャリアがＰＵＣＣＨを伝送できることを考えると、上記の内容は、端末が現在アップリンクサブフレームｉにおいて、当該アップリンクキャリアに対応するキャリア組に対応するＰＵＣＣＨ伝送用のアップリンクキャリア上で、ＰＵＣＣＨ伝送を行わないことに相当する。以下、同様の内容に対する説明は、ここでの説明と一致する）を行わなければ、以下の数１に基づいて、当該アップリンクキャリアのＴｙｐｅ１ ＰＨを生成する。
【０１０９】
もし、現在アップリンクサブフレームｉにおいて、当該アップリンクキャリア上で、端末がＰＵＳＣＨ伝送を行い、且つ、現在アップリンクサブフレームｉにおいて、当該アップリンクキャリアに対応するキャリア組の各ダウンリンクキャリアとペア関係になるアップリンクキャリア上で、端末がＰＵＣＣＨ伝送をすれば、下記の数２に基づいて、当該アップリンクキャリアのＴｙｐｅ１ ＰＨを生成する。
【０１１０】
もし、現在アップリンクサブフレームｉにおいて、当該アップリンクキャリア上で、端末がＰＵＳＣＨ伝送を行わなければ、以下の数３に基づいて、アップリンクキャリアｃのＴｙｐｅ１ ＰＨを生成する。
【０１１１】
具体的に、上記ＰＵＣＣＨ伝送用のアップリンクキャリア及びＰＵＣＣＨ伝送用のアップリンクキャリア以外のアップリンクキャリアに対し、端末は、当該アップリンクキャリアに対応するキャリア組における各ダウンリンクキャリアとペア関係になるアップリンクキャリアの上り伝送関連情報に基づいて、当該アップリンクキャリアのＴｙｐｅ１ ＰＨを生成することは、以下のように実施することもできる。
【０１１２】
もし現在アップリンクサブフレームｉにおいて、当該アップリンクキャリア上で、端末がＰＵＳＣＨ伝送を行い、ＰＵＣＣＨ伝送を行わなければ、以下の数１に基づいて、当該アップリンクキャリアのＴｙｐｅ１ ＰＨを生成する。
【０１１３】
もし現在アップリンクサブフレームｉにおいて、当該アップリンクキャリア上で、端末がＰＵＳＣＨ及びＰＵＣＣＨ伝送をともに行えば、下記の数２に基づいて、当該アップリンクキャリアのＴｙｐｅ１ ＰＨを生成する。
【０１１４】
もし、現在アップリンクサブフレームｉにおいて、当該アップリンクキャリア上で、端末がＰＵＳＣＨ伝送を行わなければ、以下の数３に基づいて、当該アップリンクキャリアのＴｙｐｅ１ ＰＨを生成する。
【０１１５】
（数１）
2016510561.tif 000017
[ｄＢ]
【０１１６】
ここで、ｃは当該アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアｃに対応するキャリア組における各ダウンリンクキャリアとペア関係になるアップリンクキャリアの、現在アップリンクサブフレームｉにおける上り伝送関連情報に基づいて、確定したものである（即ち、当該キャリア組における各ダウンリンクキャリアとペア関係になる各アップリンクキャリア上の、現在アップリンクサブフレームｉにおいて実に行うアップリンク伝送（如ＰＵＣＣＨ伝送、ＰＵＳＣＨ伝送、ＳＲＳ伝送等）に対応する上り伝送関連情報に基づいて、確定される。他のキャリア組の対応のアップリンク伝送を考えない）。MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタである。具体的には、ＬＴＥ−Ａ通信プロトコルを参照することができる。
【０１１７】
（数２）
2016510561.tif 000018
[ｄＢ]
【０１１８】
ここで、ｃは当該アップリンクキャリア的キャリア番号であり、P~CMAX,c(i)は、端末が現在アップリンクサブフレームｉにおいて、アップリンクキャリアｃ上の最大発送電力であり、P~CMAX,c(i)を確定する際に利用する電力低減値は、現在アップリンクサブフレームｉにおいて、アップリンクキャリアｃに対応するキャリア組における各ダウンリンクキャリアとペア関係になるアップリンクキャリア上で、ＰＵＳＣＨ伝送のみを行えば、前記ＰＵＳＣＨに対応する上り伝送関連情報に基づいて確定される（即ち、当該キャリア組の各ダウンリンクキャリアとペア関係になる各アップリンクキャリア上でＰＵＣＣＨ伝送と関係ず、現在アップリンクサブフレームｉにおいて、これらのアップリンクキャリア上でＰＵＳＣＨ伝送のみが行われると仮説する。また、他のキャリア組の対応のアップリンク伝送も考慮しない）。または、P~CMAX,c(i)を確定する際に利用する電力低減値は、現在アップリンクサブフレームｉにおいて、当該アップリンクキャリアｃ上でＰＵＳＣＨ伝送のみを行えば、当該アップリンクキャリアｃ上の、ＰＵＳＣＨに対応する上り伝送関連情報と、当該アップリンクキャリアｃに対応するキャリア組における各ダウンリンクキャリアとペア関係になる、当該アップリンクキャリアｃ以外のアップリンクキャリアの上り伝送関連情報とに基づいて、確定される（即ち、現在アップリンクキャリア上没有ＰＵＣＣＨ伝送，在当該アップリンクキャリアｃに対応するキャリア組における各ダウンリンクキャリアとペア関係になる、当該アップリンクキャリアｃ以外のアップリンクキャリア上で、アップリンク伝送（例えば、ＰＵＳＣＨ、ＳＲＳ等）がないと仮想すると、これらのアップリンク伝送の上り伝送関連情報を考慮する必要がある。）。PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタである。具体的に、ＬＴＥ−Ａ通信プロトコルを参照することができる。
【０１１９】
（数３）
2016510561.tif 000019
[ｄＢ]
【０１２０】
ここで、ｃは当該アップリンクキャリア的キャリア番号であり、P~CMAX,c(i)は、端末が現在アップリンクサブフレームｉにおいて、アップリンクキャリアｃ上の最大発送電力であり、P~CMAX,c(i)は、最大電力低減ＭＰＲ値が０、付加最大電力低減Ａ−ＭＰＲ値が０ｄＢ、電力管理最大電力低減Ｐ−ＭＰＲ値が０、及びサイドバンド伝送電力低減ＴＣ値が０であるとの前提で、得られた値である。PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタである。具体的には、ＬＴＥ−Ａ通信プロトコルを参照することができる。
【０１２１】
上記３つの場合のいずれの場合においても、他のキャリア組には、ＰＵＣＣＨ伝送があるのかを考慮しない。即ち、他のキャリア組に対応するＰＵＣＣＨ伝送用のアップリンクキャリア上で、ＰＵＣＣＨ伝送の有無と関係ず、上記の条件を満足すれば、対応の数１/数２/数３に基づいて、当該アップリンクキャリアのＴｙｐｅ１ ＰＨを生成する。
【０１２２】
具体的に、ＰＵＣＣＨ伝送用のアップリンクキャリアに対し、端末は、当該アップリンクキャリアに対応するキャリア組における各ダウンリンクキャリアとペア関係になるアップリンクキャリアの上り伝送関連情報に基づいて、当該アップリンクキャリアのＴｙｐｅ２ ＰＨを生成することは、以下のように実施される。
【０１２３】
もし現在アップリンクサブフレームｉにおいて、当該アップリンクキャリア上で、端末がＰＵＣＣＨ及びＰＵＳＣＨ伝送をともに行えば、以下の数４に基づいて、当該アップリンクキャリアのＴｙｐｅ２ ＰＨを生成する。
【０１２４】
もし現在アップリンクサブフレームｉにおいて、当該アップリンクキャリア上で、端末がＰＵＳＣＨ伝送を行い、ＰＵＣＣＨ伝送を行わなければ、以下の数５に基づいて、当該アップリンクキャリアのＴｙｐｅ２ ＰＨを生成する。
【０１２５】
もし、現在アップリンクサブフレームｉにおいて、当該アップリンクキャリア上で、端末がＰＵＣＣＨ伝送を行なうが、ＰＵＳＣＨ伝送をしなければ、以下の数６に基づいて、当該アップリンクキャリアのＴｙｐｅ２ ＰＨを生成する。
【０１２６】
もし、現在アップリンクサブフレームｉにおいて、当該アップリンクキャリア上で、端末がＰＵＳＣＨ伝送及びＰＵＣＣＨ伝送を行わなければ、以下の数７に基づいて、当該アップリンクキャリアのＴｙｐｅ２ ＰＨを生成する。
【０１２７】
（数４）
2016510561.tif 000020
[ｄＢ]
【０１２８】
ここで、ｃは当該アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアｃに対応するキャリア組における各ダウンリンクキャリアとペア関係になるアップリンクキャリアの、現在アップリンクサブフレームｉにおける上り伝送関連情報に基づいて、確定したものである（即ち、当該キャリア組の各ダウンリンクキャリアとペア関係になる各アップリンクキャリア上の、現在アップリンクサブフレームｉに実に行うアップリンク伝送（如ＰＵＣＣＨ、ＰＵＳＣＨ、ＳＲＳ等）に対応する上り伝送関連情報に基づいて確定する。他のキャリア組における対応のアップリンク伝送を考慮しない）。PO_PUSCH,c, PLc, hc(nCQI, nHARQ, nSR), △F_PUCCH,c(F), △TXD,C(F′)及びgc(i) は、アップリンクキャリアｃ上の、現在アップリンクサブフレームｉにおいて伝送するＰＵＣＣＨの電力計算パラメタである。具体的には、ＬＴＥ−Ａ通信プロトコルを参照することができる。MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタである。具体的には、ＬＴＥ−Ａ通信プロトコルを参照することができる。
【０１２９】
（数５）
2016510561.tif 000021
[ｄＢ]
【０１３０】
ここで、ｃは当該アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアｃに対応するキャリア組における各ダウンリンクキャリアとペア関係になるアップリンクキャリアの、現在アップリンクサブフレームｉにおける上り伝送関連情報に基づいて、確定したものである。PO_PUSCH,c、PLc及びgc(i)は、事前定義したアップリンクキャリアｃ上の、現在アップリンクサブフレームｉにおけるバーチャルなＰＵＣＣＨ伝送の電力計算パラメタである。具体的には、ＬＴＥ−Ａ通信プロトコルを参照することができる。MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタである。具体的には、ＬＴＥ−Ａ通信プロトコルを参照することができる。
【０１３１】
（数６）
2016510561.tif 000022
[ｄＢ]
【０１３２】
ここで、ｃは当該アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアｃに対応するキャリア組における各ダウンリンクキャリアとペア関係になるアップリンクキャリアの、現在アップリンクサブフレームｉにおける上り伝送関連情報に基づいて、確定したものである。PO_PUSCH,c, PLc, hc(nCQI, nHARQ, nSR), △F_PUCCH,c(F), △TXD,C(F′)及びgc(i) は、アップリンクキャリアｃ上の、現在アップリンクサブフレームｉにおいて伝送するＰＵＣＣＨの電力計算パラメタである。具体的には、ＬＴＥ−Ａ通信プロトコルを参照することができる。PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタである。具体的には、ＬＴＥ−Ａ通信プロトコルを参照することができる。
【０１３３】
（数７）
2016510561.tif 000023
[ｄＢ]
【０１３４】
ここで、ｃは当該アップリンクキャリア的キャリア番号であり、AX,c(i)は、端末が現在アップリンクサブフレームｉにおいて、アップリンクキャリアｃ上の最大発送電力であり、AX,c(i)は、ＭＰＲ値が０、Ａ−ＭＰＲ値が０ｄＢ、Ｐ−ＭＰＲ値が０、及びΔＴＣ値が０である前提で得る値である。PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタである。PO_PUSCH,c、PLc及びgc(i)は、事前定義したアップリンクキャリアｃ上の、現在アップリンクサブフレームｉにおけるバーチャルなＰＵＣＣＨ伝送の電力計算パラメタである。具体的には、ＬＴＥ−Ａ通信プロトコルを参照することができる。
【０１３５】
上記４つの場合のいずれの場合においても、他のキャリア組には、ＰＵＣＣＨ伝送があるのかを考慮しない。即ち、他のキャリア組に対応するＰＵＣＣＨ伝送用のアップリンクキャリア上で、ＰＵＣＣＨ伝送の有無と関係ず、上記の条件を満足すれば、対応の数４/数５/数６/数７に基づいて、当該アップリンクキャリアのＴｙｐｅ２ ＰＨを生成する。電力低減値を計算する場合も、他のキャリア組における各ダウンリンクキャリアとペア関係になるアップリンクキャリアの上り伝送関連情報を考慮しない。
【０１３６】
他の実施方法として、ステップ５０は、以下のように実施することができる。ＰＵＣＣＨ伝送用のアップリンクキャリア及びＰＵＣＣＨ伝送用のアップリンクキャリア以外のアップリンクキャリアに対し、端末は、アップリンクキャリアの全部の上り伝送関連情報に基づいて、当該アップリンクキャリアのＴｙｐｅ１ ＰＨを生成する。
【０１３７】
ＰＵＣＣＨ伝送用のアップリンクキャリアに対し、端末は、アップリンクキャリアの全部の上り伝送関連情報に基づいて、当該アップリンクキャリアのＴｙｐｅ２ ＰＨを生成する。
【０１３８】
具体的に、ＰＵＣＣＨ伝送用のアップリンクキャリア及びＰＵＣＣＨ伝送用のアップリンクキャリア以外のアップリンクキャリアに対し、端末は、アップリンクキャリアの全部の上り伝送関連情報に基づいて、当該アップリンクキャリアのＴｙｐｅ１ ＰＨを生成することは、以下のように実施される。
【０１３９】
もし現在アップリンクサブフレームｉにおいて、当該アップリンクキャリア上で、端末がＰＵＳＣＨ伝送を行い、且つ、現在アップリンクサブフレームｉにおいて、いずれのキャリア組に対応するＰＵＣＣＨ伝送用のアップリンクキャリアにおいても、端末がＰＵＣＣＨ伝送をしなければ、以下の数８に基づいて、当該アップリンクキャリアのＴｙｐｅ１ ＰＨを生成する。 
【０１４０】
もし現在アップリンクサブフレームｉにおいて、当該アップリンクキャリア上で、端末がＰＵＳＣＨ伝送を行い、且つ、現在アップリンクサブフレームｉにおいて、少なくとも１個のキャリア組に対応するＰＵＣＣＨ伝送用のアップリンクキャリア上で、端末がＰＵＣＣＨ伝送を行えば、下記の数９に基づいて、当該アップリンクキャリアのＴｙｐｅ１ ＰＨを生成する。 
【０１４１】
もし、現在アップリンクサブフレームｉにおいて、当該アップリンクキャリア上で、端末がＰＵＳＣＨ伝送を行わなければ、下記の数１０に基づいて、当該アップリンクキャリアのＴｙｐｅ１ ＰＨを生成する。 
【０１４２】
具体的に、ＰＵＣＣＨ伝送用のアップリンクキャリア及びＰＵＣＣＨ伝送用のアップリンクキャリア以外のアップリンクキャリアに対し、端末は、アップリンクキャリアの全部の上り伝送関連情報に基づいて、当該アップリンクキャリアのＴｙｐｅ１ ＰＨを生成することは、以下のように実施することもできる。
【０１４３】
もし現在アップリンクサブフレームｉにおいて、当該アップリンクキャリア上で、端末がＰＵＳＣＨ伝送を行い、ＰＵＣＣＨ伝送を行わなければ、以下の数８に基づいて、当該アップリンクキャリアのＴｙｐｅ１ ＰＨを生成する。
【０１４４】
もし現在アップリンクサブフレームｉにおいて、当該アップリンクキャリア上で、端末がＰＵＳＣＨ及びＰＵＣＣＨ伝送をともに行えば、下記の数９に基づいて、当該アップリンクキャリアのＴｙｐｅ１ ＰＨを生成する。
【０１４５】
もし、現在アップリンクサブフレームｉにおいて、当該アップリンクキャリア上で、端末がＰＵＳＣＨ伝送を行わなければ、下記の数１０に基づいて、当該アップリンクキャリアのＴｙｐｅ１ ＰＨを生成する。
【０１４６】
（数８）
2016510561.tif 000024
[ｄＢ]
【０１４７】
ここで、ｃは当該アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアの、現在アップリンクサブフレームｉにおける全部の上り伝送関連情報に基づいて確定される。MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタである。具体的には、ＬＴＥ−Ａ通信プロトコルを参照することができる。
【０１４８】
（数９）
2016510561.tif 000025
[ｄＢ]
【０１４９】
ここで、ｃは当該アップリンクキャリア的キャリア番号であり、P~CMAX,c(i)は、端末が現在アップリンクサブフレームｉにおいて、アップリンクキャリアｃ上の最大発送電力であり、P~CMAX,c(i)を確定する際に利用する電力低減値は、現在アップリンクサブフレームｉにおいて、全部のアップリンクキャリア上で、ＰＵＳＣＨ伝送のみを行えば、前記ＰＵＳＣＨに対応する上り伝送関連情報に基づいて確定される（端末のいずれのキャリア組に対応するＰＵＣＣＨ伝送用のアップリンクキャリア上でＰＵＣＣＨ伝送がないと仮想し、全部のアップリンクキャリア上で実にあるＰＵＳＣＨに対応する上り伝送関連情報のみを考慮する）。または、P~CMAX,c(i)を確定する際に利用する電力低減値は、現在アップリンクサブフレームｉにおいて、当該アップリンクキャリアｃ上でＰＵＳＣＨ伝送のみを行うと仮想し、当該アップリンクキャリアｃ上の、ＰＵＳＣＨに対応する上り伝送関連情報、及び前記ＵＥ的除了当該アップリンクキャリアｃ以外的アップリンクキャリアの上り伝送関連情報に基づいて確定される（即ち、当該アップリンクキャリア上でＵＥがＰＵＣＣＨ伝送をしないと仮想し、他のキャリア組に対応するＰＵＣＣＨ伝送用のアップリンクキャリア上でもしＰＵＣＣＨ伝送があれば、当該ＰＵＣＣＨに対応する上り伝送関連情報を考慮する必要がある。即ち、現在アップリンクキャリア以外の其他アップリンクキャリア上のアップリンクチャネルに対し、例えばＰＵＣＣＨ/ＰＵＳＣＨ/ＳＲＳに対応する上り伝送関連情報を考慮する必要がある）。PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタである。具体的には、ＬＴＥ−Ａ通信プロトコルを参照することができる。
【０１５０】
（数１０）
2016510561.tif 000026
[ｄＢ]
【０１５１】
ここで、ｃは当該アップリンクキャリア的キャリア番号であり、P~CMAX,c(i)は、端末が現在アップリンクサブフレームｉにおいて、アップリンクキャリアｃ上の最大発送電力であり、P~CMAX,c(i)は、ＭＰＲ値が０、Ａ−ＭＰＲ値が０ｄＢ、Ｐ−ＭＰＲ値が０、及びΔＴＣ値が０である前提で得る値である。PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタである。具体的には、ＬＴＥ−Ａ通信プロトコルを参照することができる。
【０１５２】
上記３つの場合のいずれの場合においても、他のキャリア組にＰＵＣＣＨ伝送があるのかを考慮する必要がある。即ち、他のキャリア組に対応するＰＵＣＣＨ伝送用のアップリンクキャリアにＰＵＣＣＨ伝送がある場合、当該アップリンクサブフレームｉにＰＵＣＣＨ伝送があると見なし、且つ満足すべき条件に従い、数８/または数９/または数１０当該アップリンクキャリアのＴｙｐｅ１ ＰＨを生成する。
【０１５３】
具体的に、ＰＵＣＣＨ伝送用のアップリンクキャリアに対し、端末は、アップリンクキャリアの全部の上り伝送関連情報に基づいて、当該アップリンクキャリアのＴｙｐｅ２ ＰＨを生成することは、以下のように実施される。
【０１５４】
もし現在アップリンクサブフレームｉにおいて、当該アップリンクキャリア上で、端末がＰＵＣＣＨ伝送及びＰＵＳＣＨ伝送をともに行えば、下記の数１１に基づいて、当該アップリンクキャリアのＴｙｐｅ２ ＰＨを生成する。
【０１５５】
もし現在アップリンクサブフレームｉにおいて、当該アップリンクキャリア上で、端末がＰＵＳＣＨ伝送を行い、ＰＵＣＣＨ伝送を行わなければ、下記の数１２に基づいて、当該アップリンクキャリアのＴｙｐｅ２ ＰＨを生成する。
【０１５６】
もし、現在アップリンクサブフレームｉにおいて、当該アップリンクキャリア上で、端末がＰＵＣＣＨ伝送を行なうが、ＰＵＳＣＨ伝送をしなければ、下記の数１３に基づいて、当該アップリンクキャリアのＴｙｐｅ２ ＰＨを生成する。
【０１５７】
もし、現在アップリンクサブフレームｉにおいて、当該アップリンクキャリア上で、端末がＰＵＳＣＨ伝送及びＰＵＣＣＨ伝送を行わなければ、下記の数１４に基づいて、当該アップリンクキャリアのＴｙｐｅ２ ＰＨを生成する。
【０１５８】
（数１１）
2016510561.tif 000027
[ｄＢ]
【０１５９】
ここで、ｃは当該アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアの、現在アップリンクサブフレームｉにおける全部の上り伝送関連情報に基づいて確定される。PO_PUSCH,c, PLc, hc(nCQI, nHARQ, nSR), △F_PUCCH,c(F), △TXD,C(F′)及びgc(i) は、アップリンクキャリアｃ上の、現在アップリンクサブフレームｉにおいて伝送するＰＵＣＣＨの電力計算パラメタである。具体的に、ＬＴＥ−Ａ通信プロトコルを参照することができる。MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタである。具体的に、ＬＴＥ−Ａ通信プロトコルを参照することができる。
【０１６０】
（数１２）
2016510561.tif 000028
[ｄＢ]
【０１６１】
ここで、ｃは当該アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアの、現在アップリンクサブフレームｉにおける全部の上り伝送関連情報に基づいて確定される。PO_PUSCH,c、PLc及びgc(i)は、事前定義したアップリンクキャリアｃ上の、現在アップリンクサブフレームｉにおけるバーチャルなＰＵＣＣＨ伝送の電力計算パラメタである。MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタである。具体的に、ＬＴＥ−Ａ通信プロトコルを参照することができる。
【０１６２】
（数１３）
2016510561.tif 000029
[ｄＢ]
【０１６３】
ここで、ｃは当該アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアの、現在アップリンクサブフレームｉにおける全部の上り伝送関連情報に基づいて確定される。PO_PUSCH,c, PLc, hc(nCQI, nHARQ, nSR), △F_PUCCH,c(F), △TXD,C(F′)及びgc(i) は、アップリンクキャリアｃ上の、現在アップリンクサブフレームｉにおいて伝送するＰＵＣＣＨの電力計算パラメタである。PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタである。具体的に、ＬＴＥ−Ａ通信プロトコルを参照することができる。
【０１６４】
（数１４）
2016510561.tif 000030
[ｄＢ]
【０１６５】
ここで、ｃは当該アップリンクキャリア的キャリア番号であり、P~CMAX,c(i)は、端末が現在アップリンクサブフレームｉにおいて、アップリンクキャリアｃ上の最大発送電力であり、P~CMAX,c(i)は、ＭＰＲ値が０、Ａ−ＭＰＲ値が０ｄＢ、Ｐ−ＭＰＲ値が０、及びサイドバンド伝送電力低減ＴＣ値が０である前提で得る値である。PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタである。PO_PUSCH,c、PLc及びgc(i)は、事前定義したアップリンクキャリアｃ上の、現在アップリンクサブフレームｉにおけるバーチャルなＰＵＣＣＨ伝送の電力計算パラメタである。具体的には、ＬＴＥ−Ａ通信プロトコルを参照することができる。
【０１６６】
さらに、端末が数２または数９に基づいて当該アップリンクキャリアのＴｙｐｅ１ ＰＨを生成する場合、端末の物理層は、P~CMAX,c(i)端末の上位層に報告することができる。
【０１６７】
当該方法において、電力低減値は、ＭＰＲ値と、Ａ−ＭＰＲ値とを含むが、これに限られない。上り伝送関連情報は、アップリンク伝送帯域幅と、変調階数と、リソースブロックＲＢ割り当て情報のうちの１つまたは多様な組み合わせである。本出願において、上り伝送関連情報に基づいて電力低減値を確定する方法、及び電力低減値に基づいてPCMAX,c(i)またはP~CMAX,c(i)を確定する方法は、ＬＴＥ−Ａ通信プロトコル３６.１０１を参照することができる。
【０１６８】
図６を参照する。本出願に係る実施例提供一種キャリアアグリゲーション下的ＰＨ接收方法は、ステップ６０と、ステップ６１とを備える。
【０１６９】
ステップ６０において、ネットワーク側は、端末から報告したＰＨ情報を受信する。当該端末は、複数のダウンリンクキャリアをアグリゲーションする。当該複数のダウンリンクキャリアは複数のキャリア組に分けられ、各キャリア組において、当該キャリア組の１個の指定したダウンリンクキャリアとペア関係となるアップリンクキャリアは、当該キャリア組に対応するＰＵＣＣＨ伝送用のアップリンクキャリアとして指定される。 
【０１７０】
ステップ６１において、ネットワーク側は、受信したＰＨ情報から、ＰＨ報告する必要がある複数のＰＵＣＣＨ伝送用のアップリンクキャリア中の各アップリンクキャリアそれぞれに対応する１個のＴｙｐｅ１ ＰＨ及び１個のＴｙｐｅ２ ＰＨを取得する。ネットワーク側は、受信したＰＨ情報から、ＰＨ報告する必要があるＰＵＣＣＨ伝送用のアップリンクキャリア以外の各アップリンクキャリアそれぞれに対応する１個のＴｙｐｅ１ ＰＨを取得する。
【０１７１】
さらに、ネットワーク側が端末から報告したＰＨ情報を受信する前に、 ネットワーク側は端末に設定情報を送信することができる。当該設定情報は、アグリゲーションの複数のダウンリンクキャリアを、複数のキャリア組に分けるように、端末に指示し、各キャリア組には、少なくとも１個のダウンリンクキャリアが含まれる。
及び、ネットワーク側が端末に上位層シグナリングを送信し、当該上位層シグナリングは、各キャリア組に対し当該キャリア組における１個の指定したダウンリンクキャリアとペア関係になるアップリンクキャリアを、当該キャリア組に対応するＰＵＣＣＨ伝送用のアップリンクキャリアとするように指示し、または、ネットワーク側各キャリア組に対し、端末との事前協議に基づいて、当該キャリア組における１個の指定したダウンリンクキャリアとペア関係になるアップリンクキャリアを、当該キャリア組に対応するＰＵＣＣＨ伝送用のアップリンクキャリアとして確定する。
【０１７２】
１つの実施方法として、ステップ６１後に、ＰＵＣＣＨ伝送用のアップリンクキャリア及びＰＵＣＣＨ伝送用のアップリンクキャリア以外のアップリンクキャリアに対し、ネットワーク側は、当該アップリンクキャリアに対応するＴｙｐｅ１ ＰＨが、端末が当該アップリンクキャリアに対応するキャリア組における各ダウンリンクキャリアとペア関係になるアップリンクキャリアの上り伝送関連情報に基づいて生成したものであることを確定する。
【０１７３】
ＰＵＣＣＨ伝送用のアップリンクキャリアに対し、ネットワーク側は、当該アップリンクキャリアに対応するＴｙｐｅ２ ＰＨは、端末が当該アップリンクキャリアに対応するキャリア組における各ダウンリンクキャリアとペア関係になるアップリンクキャリアの上り伝送関連情報に基づいて生成したものであると確定する。
【０１７４】
具体的に、ＰＵＣＣＨ伝送用のアップリンクキャリア及びＰＵＣＣＨ伝送用のアップリンクキャリア以外のアップリンクキャリアに対し、ネットワーク側は、当該アップリンクキャリアに対応するＴｙｐｅ１ ＰＨが、端末が当該アップリンクキャリアに対応するキャリア組における各ダウンリンクキャリアとペア関係になるアップリンクキャリアの上り伝送関連情報に基づいて生成したものであることを確定することは、以下のように実施される。
【０１７５】
もしネットワーク側が、現在アップリンクサブフレームｉにおいて、当該アップリンクキャリア上で端末がＰＵＳＣＨ伝送を行い、且つ、現在アップリンクサブフレームｉにおいて、当該アップリンクキャリアに対応するキャリア組における各ダウンリンクキャリアとペア関係になるアップリンクキャリア上で、端末がＰＵＣＣＨ伝送をしないと確定すれば、ネットワーク側は、端末が下記の数１に基づいて、当該アップリンクキャリアのＴｙｐｅ１ ＰＨを生成することを確定する。
【０１７６】
もしネットワーク側が、現在アップリンクサブフレームｉにおいて、当該アップリンクキャリア上で端末がＰＵＳＣＨ伝送を行い、且つ、現在アップリンクサブフレームｉにおいて、当該アップリンクキャリアに対応するキャリア組の各ダウンリンクキャリアとペア関係になるアップリンクキャリア上で、端末がＰＵＣＣＨ伝送を行うと確定すれば、ネットワーク側は、端末が下記数２に基づいて当該アップリンクキャリアのＴｙｐｅ１ ＰＨを生成することを確定する。
【０１７７】
もしネットワーク側が、現在アップリンクサブフレームｉにおいて、当該アップリンクキャリア上で端末がＰＵＳＣＨ伝送を行わないと確定すれば、ネットワーク側は、端末が以下の数３に基づいて、当該アップリンクキャリアのＴｙｐｅ１ ＰＨを生成することを確定する。
【０１７８】
具体的に、ＰＵＣＣＨ伝送用のアップリンクキャリア及びＰＵＣＣＨ伝送用のアップリンクキャリア以外のアップリンクキャリアに対し、ネットワーク側は、当該アップリンクキャリアに対応するＴｙｐｅ１ ＰＨが、端末が当該アップリンクキャリアに対応するキャリア組における各ダウンリンクキャリアとペア関係になるアップリンクキャリアの上り伝送関連情報に基づいて生成したものであることを確定することは、以下のように実施することもできる。
【０１７９】
もしネットワーク側が、現在アップリンクサブフレームｉにおいて、当該アップリンクキャリア上で端末がＰＵＳＣＨ伝送を行なうがＰＵＣＣＨ伝送をしないと確定すれば、ネットワーク側は、端末が下記の数１に基づいて、当該アップリンクキャリアのＴｙｐｅ１ ＰＨを生成することを確定する。
【０１８０】
もしネットワーク側が、現在アップリンクサブフレームｉにおいて、当該アップリンクキャリア上で端末がＰＵＳＣＨ及びＰＵＣＣＨ伝送をともに行うと確定すれば、ネットワーク側は、端末が下記数２に基づいて当該アップリンクキャリアのＴｙｐｅ１ ＰＨを生成することを確定する。
【０１８１】
もしネットワーク側が、現在アップリンクサブフレームｉにおいて、当該アップリンクキャリア上で端末がＰＵＳＣＨ伝送を行わないと確定すれば、ネットワーク側は、端末が以下の数３に基づいて、当該アップリンクキャリアのＴｙｐｅ１ ＰＨを生成することを確定する。
【０１８２】
（数１）
2016510561.tif 000031
[ｄＢ]
【０１８３】
ここで、ｃは当該アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアｃに対応するキャリア組における各ダウンリンクキャリアとペア関係になるアップリンクキャリアの、現在アップリンクサブフレームｉにおける上り伝送関連情報に基づいて、確定したものである。MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタである。
【０１８４】
（数２）
2016510561.tif 000032
[ｄＢ]
【０１８５】
ここで、ｃは当該アップリンクキャリア的キャリア番号であり、P~CMAX,c(i)は、端末が現在アップリンクサブフレームｉにおいて、アップリンクキャリアｃ上の最大発送電力であり、P~CMAX,c(i)を確定する際に利用する電力低減値は、現在アップリンクサブフレームｉにおいて、アップリンクキャリアｃに対応するキャリア組における各ダウンリンクキャリアとペア関係になるアップリンクキャリア上で、ＰＵＳＣＨ伝送のみを行えば、且つ前記ＰＵＳＣＨに対応する上り伝送関連情報に基づいて確定される。または、P~CMAX,c(i)を確定する際に利用する電力低減値は、現在アップリンクサブフレームｉにおいて、当該アップリンクキャリアｃ上でＰＵＳＣＨ伝送のみを行えば、当該アップリンクキャリアｃ上の、ＰＵＳＣＨに対応する上り伝送関連情報と、当該アップリンクキャリアｃに対応するキャリア組における各ダウンリンクキャリアとペア関係になる、当該アップリンクキャリアｃ以外のアップリンクキャリアの上り伝送関連情報とに基づいて、確定される。PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタである。
【０１８６】
（数３）
2016510561.tif 000033
[ｄＢ]
【０１８７】
ここで、ｃは当該アップリンクキャリア的キャリア番号であり、P~CMAX,c(i)は、端末が現在アップリンクサブフレームｉにおいて、アップリンクキャリアｃ上の最大発送電力であり、P~CMAX,c(i)は、最大電力低減ＭＰＲ値が０、付加最大電力低減Ａ−ＭＰＲ値が０ｄＢ、電力管理最大電力低減Ｐ−ＭＰＲ値が０、及びサイドバンド伝送電力低減ＴＣ値が０であるとの前提で、得られた値である。PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタである。
【０１８８】
具体的に、ＰＵＣＣＨ伝送用のアップリンクキャリアに対し、ネットワーク側は、当該アップリンクキャリアに対応するＴｙｐｅ２ ＰＨは、端末が当該アップリンクキャリアに対応するキャリア組における各ダウンリンクキャリアとペア関係になるアップリンクキャリアの上り伝送関連情報に基づいて生成したものであると確定することは、具体的に、以下のように実施することができる。
【０１８９】
もしネットワーク側が、現在アップリンクサブフレームｉにおいて、当該アップリンクキャリア上で端末がＰＵＣＣＨ及びＰＵＳＣＨ伝送をともに行うと確定すれば、ネットワーク側は、端末が下記の数４に基づいて、当該アップリンクキャリアのＴｙｐｅ２ ＰＨを生成することを確定する。
【０１９０】
もしネットワーク側が、現在アップリンクサブフレームｉにおいて、当該アップリンクキャリア上で端末がＰＵＳＣＨ伝送を行なうがＰＵＣＣＨ伝送をしないと確定すれば、ネットワーク側は、端末が下記の数５に基づいて、当該アップリンクキャリアのＴｙｐｅ２ ＰＨを生成することを確定する。
【０１９１】
もしネットワーク側が、現在アップリンクサブフレームｉにおいて、当該アップリンクキャリア上で端末がＰＵＣＣＨ伝送を行い、ＰＵＳＣＨ伝送をしないと確定すれば、ネットワーク側は、定端末が下記の数６に基づいて、当該アップリンクキャリアのＴｙｐｅ２ ＰＨを生成することを確定する。
【０１９２】
もしネットワーク側が、現在アップリンクサブフレームｉにおいて、当該アップリンクキャリア上で端末がＰＵＳＣＨ伝送及びＰＵＣＣＨ伝送を行わないと確定すれば、ネットワーク側は、端末が下記の数７に基づいて、当該アップリンクキャリアのＴｙｐｅ２ ＰＨを生成することを確定する。
【０１９３】
（数4）
2016510561.tif 000034
[ｄＢ]
【０１９４】
ここで、ｃは当該アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアｃに対応するキャリア組における各ダウンリンクキャリアとペア関係になるアップリンクキャリアの、現在アップリンクサブフレームｉにおける上り伝送関連情報に基づいて、確定したものである。PO_PUSCH,c, PLc, hc(nCQI, nHARQ, nSR), △F_PUCCH,c(F), △TXD,C(F′)及びgc(i) は、アップリンクキャリアｃ上の、現在アップリンクサブフレームｉにおいて伝送するＰＵＣＣＨの電力計算パラメタである。MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタである。
【０１９５】
（数５）
2016510561.tif 000035
[ｄＢ]
【０１９６】
ここで、ｃは当該アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアｃに対応するキャリア組における各ダウンリンクキャリアとペア関係になるアップリンクキャリアの、現在アップリンクサブフレームｉにおける上り伝送関連情報に基づいて、確定したものである。PO_PUSCH,c、PLc及びgc(i)は、事前定義したアップリンクキャリアｃ上の、現在アップリンクサブフレームｉにおけるバーチャルなＰＵＣＣＨ伝送の電力計算パラメタである。MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタである。
【０１９７】
（数６）
2016510561.tif 000036
[ｄＢ]
【０１９８】
ここで、ｃは当該アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアｃに対応するキャリア組における各ダウンリンクキャリアとペア関係になるアップリンクキャリアの、現在アップリンクサブフレームｉにおける上り伝送関連情報に基づいて、確定したものである。PO_PUSCH,c, PLc, hc(nCQI, nHARQ, nSR), △F_PUCCH,c(F), △TXD,C(F′)及びgc(i) は、アップリンクキャリアｃ上の、現在アップリンクサブフレームｉにおいて伝送するＰＵＣＣＨの電力計算パラメタである。PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタである。
【０１９９】
（数７）
2016510561.tif 000037
[ｄＢ]；
【０２００】
ここで、ｃは当該アップリンクキャリア的キャリア番号であり、P~CMAX,c(i)は、端末が現在アップリンクサブフレームｉにおいて、アップリンクキャリアｃ上の最大発送電力であり、P~CMAX,c(i)は、ＭＰＲ値が０、Ａ−ＭＰＲ値が０ｄＢ、Ｐ−ＭＰＲ値が０、及びΔＴＣ値が０である前提で得る値である。PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタである。PO_PUSCH,c、PLc及びgc(i)は、事前定義したアップリンクキャリアｃ上の、現在アップリンクサブフレームｉにおけるバーチャルなＰＵＣＣＨ伝送の電力計算パラメタである。
【０２０１】
他の実施方法として、ステップ６１後に、ＰＵＣＣＨ伝送用のアップリンクキャリア及びＰＵＣＣＨ伝送用のアップリンクキャリア以外のアップリンクキャリアに対し、ネットワーク側は、当該アップリンクキャリアに対応するＴｙｐｅ１ ＰＨが、端末が全部アップリンクキャリアの上り伝送関連情報に基づいて生成したものであることを確定する。
【０２０２】
ＰＵＣＣＨ伝送用のアップリンクキャリアに対し、ネットワーク側は、当該アップリンクキャリアに対応するＴｙｐｅ２ ＰＨが、端末が全部のアップリンクキャリアの上り伝送関連情報に基づいて生成したものであることを確定する。
【０２０３】
具体的に、ＰＵＣＣＨ伝送用のアップリンクキャリア及びＰＵＣＣＨ伝送用のアップリンクキャリア以外のアップリンクキャリアに対し、ネットワーク側は、当該アップリンクキャリアに対応するＴｙｐｅ１ ＰＨが、端末が全部アップリンクキャリアの上り伝送関連情報に基づいて生成したものであることを確定することは、以下のように実施される。
【０２０４】
もしネットワーク側が、現在アップリンクサブフレームｉにおいて、当該アップリンクキャリア上で端末がＰＵＳＣＨ伝送を行い、且つ、現在アップリンクサブフレームｉにおいて、いずれのキャリア組に対応するＰＵＣＣＨ伝送用のアップリンクキャリアにおいても、端末がＰＵＣＣＨ伝送をしないと確定すれば、ネットワーク側は、端末が下記の数８に基づいて、当該アップリンクキャリアのＴｙｐｅ１ ＰＨを生成することを確定する。 
【０２０５】
もしネットワーク側が、現在アップリンクサブフレームｉにおいて、当該アップリンクキャリア上で端末がＰＵＳＣＨ伝送を行い、且つ、現在アップリンクサブフレームｉにおいて、少なくとも１個のキャリア組に対応するＰＵＣＣＨ伝送用のアップリンクキャリア上で、端末がＰＵＣＣＨ伝送を行うと確定すれば、ネットワーク側は、端末が下記の数９に基づいて、当該アップリンクキャリアのＴｙｐｅ１ ＰＨを生成することを確定する。 
【０２０６】
もしネットワーク側が、現在アップリンクサブフレームｉにおいて、当該アップリンクキャリア上で端末がＰＵＳＣＨ伝送を行わないと確定すれば、ネットワーク側は、端末が下記の数１０に基づいて、当該アップリンクキャリアのＴｙｐｅ１ ＰＨを生成することを確定する。 
【０２０７】
具体的に、ＰＵＣＣＨ伝送用のアップリンクキャリア及びＰＵＣＣＨ伝送用のアップリンクキャリア以外のアップリンクキャリアに対し、ネットワーク側は、当該アップリンクキャリアに対応するＴｙｐｅ１ ＰＨが、端末が全部アップリンクキャリアの上り伝送関連情報に基づいて生成したものであることを確定することは、以下のように実施することもできる。
【０２０８】
もしネットワーク側が、現在アップリンクサブフレームｉにおいて、当該アップリンクキャリア上で端末がＰＵＳＣＨ伝送を行なうがＰＵＣＣＨ伝送をしないと確定すれば、ネットワーク側は、端末が下記の数８に基づいて、当該アップリンクキャリアのＴｙｐｅ１ ＰＨを生成することを確定する。
【０２０９】
もしネットワーク側が、現在アップリンクサブフレームｉにおいて、当該アップリンクキャリア上で端末がＰＵＳＣＨ及びＰＵＣＣＨ伝送をともに行うと確定すれば、ネットワーク側は、端末が下記の数９に基づいて、当該アップリンクキャリアのＴｙｐｅ１ ＰＨを生成することを確定する。
【０２１０】
もしネットワーク側が、現在アップリンクサブフレームｉにおいて、当該アップリンクキャリア上で端末がＰＵＳＣＨ伝送を行わないと確定すれば、ネットワーク側は、端末が下記の数１０に基づいて、当該アップリンクキャリアのＴｙｐｅ１ ＰＨを生成することを確定する。
【０２１１】
（数８）
2016510561.tif 000038
[ｄＢ]
【０２１２】
ここで、ｃは当該アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアの、現在アップリンクサブフレームｉにおける全部の上り伝送関連情報に基づいて確定される。MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタである。
【０２１３】
（数９）
2016510561.tif 000039
[ｄＢ]
【０２１４】
ここで、ｃは当該アップリンクキャリア的キャリア番号であり、P~CMAX,c(i)は、端末が現在アップリンクサブフレームｉにおいて、アップリンクキャリアｃ上の最大発送電力であり、P~CMAX,c(i)を確定する際に利用する電力低減値は、現在アップリンクサブフレームｉにおいて、全部のアップリンクキャリア上で、ＰＵＳＣＨ伝送のみを行えば、前記ＰＵＳＣＨに対応する上り伝送関連情報に基づいて確定される。または、P~CMAX,c(i)を確定する際に利用する電力低減値は、現在アップリンクサブフレームｉにおいて、当該アップリンクキャリアｃ上でＰＵＳＣＨ伝送のみを行えば、当該アップリンクキャリアｃ上の、ＰＵＳＣＨに対応する上り伝送関連情報、及び前記端末の当該アップリンクキャリアｃ以外のアップリンクキャリアの上り伝送関連情報に基づいて確定される。PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタである。
【０２１５】
（数１０）
2016510561.tif 000040
[ｄＢ]
【０２１６】
ここで、ｃは当該アップリンクキャリア的キャリア番号であり、P~CMAX,c(i)は、端末が現在アップリンクサブフレームｉにおいて、アップリンクキャリアｃ上の最大発送電力であり、P~CMAX,c(i)は、ＭＰＲ値が０、Ａ−ＭＰＲ値が０ｄＢ、Ｐ−ＭＰＲ値が０、及びΔＴＣ値が０である前提で得る値である。PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタである。
【０２１７】
具体的に、ＰＵＣＣＨ伝送用のアップリンクキャリアに対し、ネットワーク側は、当該アップリンクキャリアに対応するＴｙｐｅ２ ＰＨが、端末が全部のアップリンクキャリアの上り伝送関連情報に基づいて生成したものであることを確定することは、以下のように実施される。
【０２１８】
もしネットワーク側が、現在アップリンクサブフレームｉにおいて、当該アップリンクキャリア上で端末がＰＵＣＣＨ伝送及びＰＵＳＣＨ伝送をともに行うと確定すれば、ネットワーク側は、端末が下記の数１１に基づいて、当該アップリンクキャリアのＴｙｐｅ２ ＰＨを生成することを確定する。
【０２１９】
もしネットワーク側が、現在アップリンクサブフレームｉにおいて、当該アップリンクキャリア上で端末がＰＵＳＣＨ伝送を行なうがＰＵＣＣＨ伝送をしないと確定すれば、ネットワーク側は、端末が下記の数１２に基づいて、当該アップリンクキャリアのＴｙｐｅ２ ＰＨを生成することを確定する。
【０２２０】
もしネットワーク側が、現在アップリンクサブフレームｉにおいて、当該アップリンクキャリア上で端末がＰＵＣＣＨ伝送を行い、ＰＵＳＣＨ伝送をしないと確定すれば、ネットワーク側は、端末が下記の数１３に基づいて、当該アップリンクキャリアのＴｙｐｅ２ ＰＨを生成することを確定する。
【０２２１】
もしネットワーク側が、現在アップリンクサブフレームｉにおいて、当該アップリンクキャリア上で端末がＰＵＳＣＨ伝送及びＰＵＣＣＨ伝送を行わないと確定すれば、ネットワーク側は、端末が下記の数１４に基づいて、当該アップリンクキャリアのＴｙｐｅ２ ＰＨを生成することを確定する。
【０２２２】
（数１１）
2016510561.tif 000041
[ｄＢ]
【０２２３】
ここで、ｃは当該アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアの、現在アップリンクサブフレームｉにおける全部の上り伝送関連情報に基づいて確定される。PO_PUSCH,c, PLc, hc(nCQI, nHARQ, nSR), △F_PUCCH,c(F), △TXD,C(F′)及びgc(i) は、アップリンクキャリアｃ上の、現在アップリンクサブフレームｉにおいて伝送するＰＵＣＣＨの電力計算パラメタである。MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタである。
【０２２４】
（数１２）
2016510561.tif 000042
[ｄＢ]
【０２２５】
ここで、ｃは当該アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアの、現在アップリンクサブフレームｉにおける全部の上り伝送関連情報に基づいて確定される。PO_PUSCH,c、PLc及びgc(i)は、事前定義したアップリンクキャリアｃ上の、現在アップリンクサブフレームｉにおけるバーチャルなＰＵＣＣＨ伝送の電力計算パラメタである。MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタである。
【０２２６】
（数１３）
2016510561.tif 000043
[ｄＢ]
【０２２７】
ここで、ｃは当該アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアの、現在アップリンクサブフレームｉにおける全部の上り伝送関連情報に基づいて確定される。PO_PUSCH,c, PLc, hc(nCQI, nHARQ, nSR), △F_PUCCH,c(F), △TXD,C(F′)及びgc(i) は、アップリンクキャリアｃ上の、現在アップリンクサブフレームｉにおいて伝送するＰＵＣＣＨの電力計算パラメタである。PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタである。
【０２２８】
（数１４）
2016510561.tif 000044
[ｄＢ]
【０２２９】
ここで、ｃは当該アップリンクキャリア的キャリア番号であり、P~CMAX,c(i)は、端末が現在アップリンクサブフレームｉにおいて、アップリンクキャリアｃ上の最大発送電力であり、P~CMAX,c(i)は、ＭＰＲ値が０、Ａ−ＭＰＲ値が０ｄＢ、Ｐ−ＭＰＲ値が０、及びサイドバンド伝送電力低減ＴＣ値が０である前提で得る値である。PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタである。PO_PUSCH,c、PLc及びgc(i)は、事前定義したアップリンクキャリアｃ上の、現在アップリンクサブフレームｉにおけるバーチャルなＰＵＣＣＨ伝送の電力計算パラメタである。
【０２３０】
上記実施例において、アップリンクチャネル（例えばＰＵＳＣＨ）に対応する上り伝送関連情報を特定してしていない場合、アップリンクキャリアの上り伝送関連情報は、一般的に、アップリンクキャリアに実にあるアップリンク伝送（例えば、ＰＵＣＣＨ伝送、ＰＵＳＣＨ伝送、ＳＲＳ伝送等）の上り伝送関連情報を指す。
【０２３１】
当該方法において、電力低減値は、ＭＰＲ値と、Ａ−ＭＰＲ値とを含むが、これに限られない。上り伝送関連情報は、アップリンク伝送帯域幅、変調階数及びリソースブロックＲＢ割り当て情報のうちの１個または任意の組み合わせを含む。
【０２３２】
以下実施例を参照しながら本出願を説明する。
【０２３３】
図４に示すように、システムにおいて、５個のキャリアＣ１、Ｃ２、Ｃ３、Ｃ４、Ｃ５との５つをアグリゲーションし、且つＣ１はＵＥのＰＣＣである。基地局は、５つのキャリアを３つのキャリア組に分け、ここで、Ｓ１={Ｃ１，Ｃ２}，Ｓ２={Ｃ３，Ｃ４ }，Ｓ３={Ｃ５}、キャリア組Ｓ１に対応するＰＵＣＣＨ伝送用（例えば、ＰＵＣＣＨにて当該キャリア組のダウンリンクサブフレームに対応するＡＣＫ/ＮＡＣＫ情報をフィードバックする）のアップリンクキャリアをＣＵＬ,１にし、Ｓ２に対応するＰＵＣＣＨ伝送用のアップリンクキャリアをＣＵＬ,４とし、Ｓ３に対応するＰＵＣＣＨ伝送用のアップリンクキャリアをＣＵＬ,５とする。ＵＥの各アップリンクキャリアの、現在アップリンクサブフレームに位置するアップリンクチャネルは、図４の右列に示すように、各アップリンクキャリアのＰＨは以下の方法で計算する。
【０２３４】
方法 1
当該アップリンクキャリアに対応するキャリア組における各ダウンリンクキャリアとペア関係になるアップリンクキャリア上の上り伝送関連情報のみを考慮する。
【０２３５】
アップリンクキャリアＣＵＬ,１に対し、Ｔｙｐｅ１ ＰＨ及びＴｙｐｅ２ ＰＨを同時に報告する必要がある。
【０２３６】
現在アップリンクキャリアＣＵＬ,１上でＰＵＳＣＨ伝送が行い、且つ、キャリア組のＳ１におけるダウンリンクキャリアＣ１及びＣ２それぞれと、ペア関係となるアップリンクキャリアＣＵＬ,１及びＣＵＬ,２においては、ＰＵＣＣＨがあるため、Ｔｙｐｅ１ ＰＨは、数２の条件を満足し、数２に基づいて得る。ここで、P~CMAX,c(i)の電力低減値は、キャリア組Ｓ１におけるダウンリンクキャリアＣ１及びＣ２それぞれとペア関係となるアップリンクキャリアＣＵＬ,１及びＣＵＬ,２上のＰＵＳＣＨの伝送関連情報に基づいて得る。即ち、アップリンクキャリアＣＵＬ,１上でＰＵＣＣＨ伝送を行なわないと仮設し、Iｎｔｅｒ−ｂａｎｄ ＣＡの場合、現在アップリンクキャリアＣＵＬ,１上のＰＵＳＣＨの伝送帯域幅、変調レベル、及びＲＢ割り当て等情報のみに基づいて確定する。Iｎｔｒａ−ｂａｎｄ ＣＡの場合、アップリンクキャリアＣＵＬ,１及びＣＵＬ,２上のＰＵＳＣＨ伝送帯域幅の和、最高変調レベル及びＲＢ割り当て等情報に基づいて確定する。
【０２３７】
または、現在アップリンクキャリアＣＵＬ,１上でＰＵＳＣＨ伝送が行い、且つＰＵＣＣＨがともにあるため、Ｔｙｐｅ１ ＰＨは、数２の条件を満足し、数２に基づいて得る。  ここで、P~CMAX,c(i)の電力低減値は、当該アップリンクキャリアＣＵＬ,１上のＰＵＳＣＨに対応する上り伝送関連情報、及び当該アップリンクキャリアｃに対応するキャリア組における各ダウンリンクキャリアとペア関係になる、当該アップリンクキャリアＣＵＬ,１以外のアップリンクキャリアＣＵＬ,２の上り伝送関連情報に基づいて得る。即ち、アップリンクキャリアＣＵＬ,１上でＰＵＣＣＨ伝送を行なわないと仮設し、Iｎｔｅｒ−ｂａｎｄ ＣＡの場合、現在アップリンクキャリアＣＵＬ,１上のＰＵＳＣＨの伝送帯域幅、変調レベル、及びＲＢ割り当て等情報のみに基づいて確定する。Iｎｔｒａ−ｂａｎｄ ＣＡの場合、アップリンクキャリアＣＵＬ,１及びＣＵＬ,２上のＰＵＳＣＨ伝送帯域幅の和、最高変調レベル及びＲＢ割り当て等情報に基づいて確定する。
【０２３８】
Ｔｙｐｅ２ ＰＨは、数４の条件を満足し、数４に基づいて得る。ここで、P~CMAX,c(i)の電力低減値は、キャリア組Ｓ１におけるダウンリンクキャリアＣ１及びＣ２それぞれとペア関係となるアップリンクキャリアＣＵＬ,１及びＣＵＬ,２上の実際にあるするプリンクチャネル（ＰＵＣＣＨ及びＰＵＳＣＨ）の伝送関連情報に基づいて得る。即ち、Iｎｔｅｒ−ｂａｎｄ ＣＡの場合、現在アップリンクキャリアＣＵＬ,１上のＰＵＣＣＨ及びＰＵＳＣＨの伝送帯域幅の和、最高変調レベル、ＲＢ割り当て等情報のみに基づいて確定する。Iｎｔｒａ−ｂａｎｄ ＣＡの場合、アップリンクキャリアＣＵＬ,１及びＣＵＬ,２上のＰＵＣＣＨ及びＰＵＳＣＨ伝送帯域幅の和、最高変調レベル及びＲＢ割り当て等情報に基づいて確定する。
アップリンクキャリアＣＵＬ,２に対し、Ｔｙｐｅ １ ＰＨを報告する。
【０２３９】
現在アップリンクキャリアＣＵＬ,２上でＰＵＳＣＨ伝送を行ない、且つ、キャリア組のＳ１におけるダウンリンクキャリアＣ１及びＣ２それぞれと、ペア関係となるアップリンクキャリアＣＵＬ,１及びＣＵＬ,２においては、ＰＵＣＣＨがあるため、Ｔｙｐｅ１ ＰＨは、数２の条件を満足し、数２に基づいて得る。ここで、P~CMAX,c(i)の電力低減値は、キャリア組Ｓ１におけるダウンリンクキャリアＣ１及びＣ２それぞれとペア関係となるアップリンクキャリアＣＵＬ,１及びＣＵＬ,２上のＰＵＳＣＨの伝送関連情報に基づいて得る。即ち、アップリンクキャリアＣＵＬ,１上でＰＵＣＣＨ伝送を行なわないと仮設し、Iｎｔｅｒ−ｂａｎｄ ＣＡの場合、現在アップリンクキャリアＣＵＬ,２上のＰＵＳＣＨの伝送帯域幅、変調レベル及びＲＢ割り当て等情報に基づいて確定する。Iｎｔｒａ−ｂａｎｄ ＣＡの場合、アップリンクキャリアＣＵＬ,１及びＣＵＬ,２上のＰＵＳＣＨ伝送帯域幅の和、最高変調レベル及びＲＢ割り当て等情報に基づいて確定する。
【０２４０】
または、現在アップリンクキャリアＣＵＬ,２上でＰＵＳＣＨ伝送を行なうが、ＰＵＣＣＨがないため、Ｔｙｐｅ１ ＰＨは、数１の条件を満足し、数１に基づいて得る。ここで、P~CMAX,c(i)の電力低減値は、アップリンクキャリアＣＵＬ,１に対応するキャリア組Ｓ１におけるダウンリンクキャリアＣ１及びＣ２それぞれとペア関係となるアップリンクキャリアＣＵＬ,１及びＣＵＬ,２中の上り伝送関連情報に基づいて得る。即ち、Iｎｔｅｒ−ｂａｎｄ ＣＡの場合、現在アップリンクキャリアＣＵＬ,２上のＰＵＳＣＨの伝送帯域幅、変調レベル及びＲＢ割り当て等情報に基づいて確定する。Iｎｔｒａ−ｂａｎｄ ＣＡの場合、アップリンクキャリアＣＵＬ,１及びＣＵＬ,２上の全部のＰＵＣＣＨ及びＰＵＳＣＨ伝送帯域幅の和、最高変調レベル、及びＲＢ割り当て等情報に基づいて確定する。
【０２４１】
アップリンクキャリアＣＵＬ,３に対し、Ｔｙｐｅ １ ＰＨのみを報告する。
【０２４２】
現在アップリンクキャリアＣＵＬ,３上でＰＵＳＣＨ伝送を行ない、且つキャリア組中Ｓ２におけるダウンリンクキャリアＣ３及びＣ４それぞれとペア関係になるアップリンクキャリアＣＵＬ,３及びＣＵＬ,４にＰＵＣＣＨがあるため、Ｔｙｐｅ１ ＰＨは、数２の条件を満足し、数２に基づいて得る。ここで、P~CMAX,c(i)の電力低減値は、キャリア組Ｓ２におけるダウンリンクキャリアＣ３及びＣ４それぞれとペア関係になるアップリンクキャリアＣＵＬ,３及びＣＵＬ,４上のＰＵＳＣＨの伝送関連情報に基づいて得る。即ち、アップリンクキャリアＣＵＬ,４上でＰＵＣＣＨ伝送を行なわないと仮説し、Iｎｔｅｒ−ｂａｎｄ ＣＡの場合、現在アップリンクキャリアＣＵＬ,３上のＰＵＳＣＨの伝送帯域幅、変調レベル、及びＲＢ割り当て等情報のみに基づいて確定する。Iｎｔｒａ−ｂａｎｄ ＣＡの場合、アップリンクキャリアＣＵＬ,３上のＰＵＳＣＨ伝送帯域幅、変調レベル、及びＲＢ割り当て等情報のみに基づいて確定する。
【０２４３】
または、現在アップリンクキャリアＣＵＬ,３上でＰＵＳＣＨ伝送を行ない、且つＰＵＣＣＨがないため、Ｔｙｐｅ１ ＰＨは、数１の条件を満足し、数１に基づいて得る。ここで、P~CMAX,c(i)の電力低減値は、アップリンクキャリアＣＵＬ,３に対応するキャリア組Ｓ２におけるダウンリンクキャリアＣ３及びＣ４それぞれとペア関係になるアップリンクキャリアＣＵＬ,３及びＣＵＬ,４中の上り伝送関連情報に基づいて得る。即ち、Iｎｔｅｒ−ｂａｎｄ ＣＡの場合、現在アップリンクキャリアＣＵＬ,３上のＰＵＳＣＨの伝送帯域幅、変調レベル、及びＲＢ割り当て等情報のみに基づいて確定する。Iｎｔｒａ−ｂａｎｄ ＣＡの場合、アップリンクキャリアＣＵＬ,３及びＣＵＬ,４上の全部のＰＵＣＣＨ及びＰＵＳＣＨ伝送帯域幅の和、最高変調レベル、及びＲＢ割り当て等情報に基づいて確定する。
【０２４４】
アップリンクキャリアＣＵＬ,４に対し、Ｔｙｐｅ １ ＰＨ及びＴｙｐｅ２ ＰＨを同時に報告する必要がある。
【０２４５】
現在アップリンクキャリアＣＵＬ,４上でＰＵＳＣＨ伝送を行なわないため、Ｔｙｐｅ１ ＰＨは、数３の条件を満足し、数３に基づいて得る。即ち、１個のvｉｒｔｕａｌ Ｔｙｐｅ１ ＰＨを報告する。P~CMAX,c(i)の電力低減値は、ＭＰＲ=０ｄＢ, Ａ−ＭＰＲ=０ｄＢ, Ｐ−ＭＰＲ=０ｄＢ及びΔＴＣ =０ｄＢとの前提で得る。
【０２４６】
Ｔｙｐｅ２ ＰＨは、数６の条件を満足し、数６に基づいて得る。ここで、P~CMAX,c(i)の電力低減値は、キャリア組Ｓ２におけるダウンリンクキャリアＣ３及びＣ４それぞれとペア関係になるアップリンクキャリアＣＵＬ,３及びＣＵＬ,４に実際にあるするプリンクチャネル（ＰＵＣＣＨ及びＰＵＳＣＨ）の伝送関連情報に基づいて得る。即ち、Iｎｔｅｒ−ｂａｎｄ ＣＡの場合、現在アップリンクキャリアＣＵＬ,４上のＰＵＣＣＨの伝送帯域幅、変調レベル、及びＲＢ割り当て等情報のみに基づいて確定する。Iｎｔｒａ−ｂａｎｄ ＣＡの場合、アップリンクキャリアＣＵＬ,３及びＣＵＬ,４上のＰＵＣＣＨ及びＰＵＳＣＨ伝送帯域幅の和、最高変調レベル、及びＲＢ割り当て等情報に基づいて確定する。
【０２４７】
アップリンクキャリアＣＵＬ,５に対し、Ｔｙｐｅ １ ＰＨ及びＴｙｐｅ２ ＰＨを同時に報告する必要がある。
【０２４８】
現在アップリンクキャリアＣＵＬ,５上でＰＵＳＣＨ伝送を行ない、且つ、キャリア組中Ｓ３におけるダウンリンクキャリアＣ５とペア関係になるアップリンクキャリアＣＵＬ,５にＰＵＣＣＨがないため、Ｔｙｐｅ１ ＰＨは、数１の条件を満足し、数１に基づいて得る。ここで、P~CMAX,c(i)の電力低減値は、キャリア組Ｓ３におけるダウンリンクキャリアＣ５とペア関係になるアップリンクキャリアＣＵＬ,５上のアップリンクチャネル（ＰＵＳＣＨ）の伝送関連情報に基づいて得る。即ち、Iｎｔｅｒ−ｂａｎｄ ＣＡ及びIｎｔｒａ−ｂａｎｄ ＣＡの場合、現在アップリンクキャリアＣＵＬ,５上のＰＵＳＣＨの伝送帯域幅、変調レベル、及びＲＢ割り当て等情報のみに基づいて確定する。
【０２４９】
現在アップリンクキャリアＣＵＬ,５上でＰＵＳＣＨ伝送を行ない、且つＰＵＣＣＨがないため、Ｔｙｐｅ１ ＰＨは、数１の条件を満足し、数１に基づいて得る。其中P~CMAX,c(i)の電力低減値は、キャリア組Ｓ３におけるダウンリンクキャリアＣ５とペア関係になるアップリンクキャリアＣＵＬ,５上のアップリンクチャネル（ＰＵＳＣＨ）の伝送関連情報に基づいて得る。即ち、Iｎｔｅｒ−ｂａｎｄ ＣＡ及びIｎｔｒａ−ｂａｎｄ ＣＡの場合、現在アップリンクキャリアＣＵＬ,５上のＰＵＳＣＨの伝送帯域幅、変調レベル、及びＲＢ割り当て等情報のみに基づいて確定する。
【０２５０】
Ｔｙｐｅ２ ＰＨは、数５の条件を満足し、数５に基づいて得る。ここで、P~CMAX,c(i)の電力低減値基于与キャリア組Ｓ３におけるダウンリンクキャリアＣ５とペア関係になるアップリンクキャリアＣＵＬ,５上の実際にあるするプリンクチャネル（ＰＵＳＣＨ）の伝送関連情報に基づいて得る。即ち、Iｎｔｅｒ−ｂａｎｄ ＣＡ及びIｎｔｒａ−ｂａｎｄ ＣＡの場合、現在アップリンクキャリアＣＵＬ,５上のＰＵＳＣＨの伝送帯域幅、変調レベル、及びＲＢ割り当て等情報のみに基づいて確定する。
【０２５１】
方法２
全部のアップリンクキャリア上の上り伝送関連情報を考慮する。
【０２５２】
アップリンクキャリアＣＵＬ,１に対し、Ｔｙｐｅ１ ＰＨ及びＴｙｐｅ２ ＰＨを同時に報告する必要がある。
【０２５３】
現在アップリンクキャリアＣＵＬ,１上でＰＵＳＣＨ伝送が行い、且つ少なくとも１個のキャリア組におけるダウンリンクキャリアとペア関係になるアップリンクキャリア上でＵＥがＰＵＣＣＨを有し、例えば、アップリンクキャリア、ＣＵＬ,１及びＣＵＬ,４、Ｔｙｐｅ１ ＰＨは、数９の条件を満足し、数９に基づいて得る。ここで、P~CMAX,c(i)の電力低減値は、全部のアップリンクキャリア上のＰＵＳＣＨの伝送関連情報に基づいて得る。即ち、アップリンクキャリアＣＵＬ,１及びＣＵＬ,４条でＰＵＣＣＨ伝送を行なわないと仮説し、Iｎｔｅｒ−ｂａｎｄ ＣＡの場合、現在アップリンクキャリアＣＵＬ,１上のＰＵＳＣＨの伝送帯域幅、変調レベル、及びＲＢ割り当て等情報のみに基づいて確定する。Iｎｔｒａ−ｂａｎｄ ＣＡの場合、全部のアップリンクキャリア上のＰＵＳＣＨ伝送帯域幅の和、最高変調レベル、及びＲＢ割り当て等情報に基づいて確定する。
【０２５４】
または、現在アップリンクキャリアＣＵＬ,１上でＰＵＳＣＨ伝送が行い、且つ当該キャリア上でＰＵＣＣＨもあるため、Ｔｙｐｅ１ ＰＨは、数９の条件を満足し、数９に基づいて得る。ここで、P~CMAX,c(i)の電力低減値は、当該アップリンクキャリアＣＵＬ,１上のＰＵＳＣＨに対応する上り伝送関連情報、及びＵＥの全部のアップリンクキャリア中の当該アップリンクキャリアＣＵＬ,１以外のアップリンクキャリアの上り伝送関連情報に基づいて得る。即ち、アップリンクキャリアＣＵＬ,１のみにおいてＰＵＣＣＨ伝送を行なわないと仮設し、Iｎｔｅｒ−ｂａｎｄ ＣＡの場合、現在アップリンクキャリアＣＵＬ,１上のＰＵＳＣＨの伝送帯域幅、変調レベル、及びＲＢ割り当て等情報のみに基づいて確定する。Iｎｔｒａ−ｂａｎｄ ＣＡの場合、アップリンクキャリアＣＵＬ,１上のＰＵＳＣＨ、及び他のアップリンクキャリア上のＰＵＣＣＨ及びＰＵＳＣＨの伝送帯域幅の和、最高変調レベル、及びＲＢ割り当て等情報に基づいて確定する。
【０２５５】
Ｔｙｐｅ２ ＰＨは、数１１の条件を満足し、数１１に基づいて得る。ここで、P~CMAX,c(i)の電力低減値は、全部のアップリンクキャリア上の実際にあるするプリンクチャネルの伝送関連情報に基づいて得る。即ち、Iｎｔｅｒ−ｂａｎｄ ＣＡの場合、現在アップリンクキャリアＣＵＬ,１上のＰＵＣＣＨ及びＰＵＳＣＨの伝送帯域幅の和、最高変調レベル、及びＲＢ割り当て等情報に基づいて確定する。Iｎｔｒａ−ｂａｎｄ ＣＡの場合、全部のキャリア上のＰＵＣＣＨ及びＰＵＳＣＨ伝送帯域幅の和、最高変調レベル、及びＲＢ割り当て等情報に基づいて確定する。
【０２５６】
アップリンクキャリアＣＵＬ,２に対し、Ｔｙｐｅ １ ＰＨのみを報告する。
【０２５７】
現在アップリンクキャリアＣＵＬ,２上でＰＵＳＣＨ伝送を行ない、且ＵＥ在与少なくとも１個のキャリア組におけるダウンリンクキャリアとペア関係になるアップリンクキャリアにＰＵＣＣＨ（例えば、アップリンクキャリア、ＣＵＬ,１及びＣＵＬ,４）があるため、Ｔｙｐｅ１ ＰＨは、数９の条件を満足し、数９に基づいて得る。ここで、P~CMAX,c(i)の電力低減値は、全部のアップリンクキャリア上のＰＵＳＣＨの伝送関連情報に基づいて得る。即ち、アップリンクキャリアＣＵＬ,１及びＣＵＬ,４にＰＵＣＣＨ伝送を行なわないと仮説し、Iｎｔｅｒ−ｂａｎｄ ＣＡの場合、現在アップリンクキャリアＣＵＬ,２上のＰＵＳＣＨの伝送帯域幅、変調レベル及びＲＢ割り当て等情報に基づいて確定する。Iｎｔｒａ−ｂａｎｄ ＣＡの場合全部のアップリンクキャリア上のＰＵＳＣＨ伝送帯域幅の和、最高変調レベル、及びＲＢ割り当て等情報に基づいて確定する。
【０２５８】
または、現在アップリンクキャリアＣＵＬ,２上でＰＵＳＣＨ伝送を行ない、且つ当該キャリアにＰＵＣＣＨがないため、Ｔｙｐｅ１ ＰＨは、数８の条件を満足し、数８に基づいて得る。ここで、P~CMAX,c(i)の電力低減値基于全部のアップリンクキャリアの上り伝送関連情報に基づいて得る。即ち、Iｎｔｅｒ−ｂａｎｄ ＣＡの場合、現在アップリンクキャリアＣＵＬ,２上のＰＵＳＣＨの伝送帯域幅、変調レベル及びＲＢ割り当て等情報に基づいて確定する。Iｎｔｒａ−ｂａｎｄ ＣＡの場合、全部のアップリンクキャリア上の全部のＰＵＣＣＨ及びＰＵＳＣＨの伝送帯域幅の和、最高変調レベル、及びＲＢ割り当て等情報に基づいて確定する。
【０２５９】
アップリンクキャリアＣＵＬ,３に対し、Ｔｙｐｅ １ ＰＨのみを報告する。
【０２６０】
現在アップリンクキャリアＣＵＬ,３上でＰＵＳＣＨ伝送を行ない、且つ、ＵＥが少なくとも１個のキャリア組におけるダウンリンクキャリアとペア関係になるアップリンクキャリア上でＰＵＣＣＨ（例えば、アップリンクキャリア、ＣＵＬ,１及びＣＵＬ,４）を有するため、Ｔｙｐｅ１ ＰＨは、数９の条件を満足し、数９に基づいて得る。ここで、P~CMAX,c(i)の電力低減値は、全部のアップリンクキャリア上のＰＵＳＣＨの伝送関連情報に基づいて得る。即ち、アップリンクキャリアＣＵＬ,１及びＣＵＬ,４にＰＵＣＣＨ伝送を行なわないと仮説し、Iｎｔｅｒ−ｂａｎｄ ＣＡの場合、現在アップリンクキャリアＣＵＬ,３上のＰＵＳＣＨの伝送帯域幅、変調レベル、及びＲＢ割り当て等情報のみに基づいて確定する。Iｎｔｒａ−ｂａｎｄ ＣＡの場合、全部のアップリンクキャリア上のＰＵＳＣＨ伝送帯域幅の和、最高変調レベル、及びＲＢ割り当て等情報に基づいて確定する。
【０２６１】
または、現在アップリンクキャリアＣＵＬ,３上でＰＵＳＣＨ伝送を行ない、且つ、当該キャリアにＰＵＣＣＨがないため、Ｔｙｐｅ１ ＰＨは、数８の条件を満足し、数８に基づいて得る。ここで、P~CMAX,c(i)の電力低減値は、全部のアップリンクキャリアの上り伝送関連情報に基づいて得る。即ち、Iｎｔｅｒ−ｂａｎｄ ＣＡの場合、現在アップリンクキャリアＣＵＬ,３上のＰＵＳＣＨの伝送帯域幅、変調レベル、及びＲＢ割り当て等情報のみに基づいて確定する。Iｎｔｒａ−ｂａｎｄ ＣＡの場合、全部のアップリンクキャリア上の全部のＰＵＣＣＨ及びＰＵＳＣＨの伝送帯域幅の和、最高変調レベル、及びＲＢ割り当て等情報に基づいて確定する。
【０２６２】
アップリンクキャリアＣＵＬ,４に対し、Ｔｙｐｅ １ ＰＨ及びＴｙｐｅ２ ＰＨを同時に報告する必要がある。
【０２６３】
現在アップリンクキャリアＣＵＬ,４上でＰＵＳＣＨ伝送を行なわないため、Ｔｙｐｅ１ ＰＨは、数１０の条件を満足し、数１０に基づいて得る。即ち、１個のvｉｒｔｕａｌ Ｔｙｐｅ１ ＰＨを報告する。P~CMAX,c(i)の電力低減値は、ＭＰＲ=０ｄＢ, Ａ−ＭＰＲ=０ｄＢ, Ｐ−ＭＰＲ=０ｄＢ以及ΔＴＣ =０ｄＢとの前提で得る。
【０２６４】
Ｔｙｐｅ２ ＰＨは、数１３の条件を満足し、数１３に基づいて得る。ここで、P~CMAX,c(i)の電力低減値は、全部のアップリンクキャリア上の実際にあるするプリンクチャネルの伝送関連情報に基づいて得る。即ち、Iｎｔｅｒ−ｂａｎｄ ＣＡの場合、現在アップリンクキャリアＣＵＬ,４上のＰＵＣＣＨの伝送帯域幅、変調レベル、及びＲＢ割り当て等情報のみに基づいて確定する。Iｎｔｒａ−ｂａｎｄ ＣＡの場合、全部のアップリンクキャリア上のＰＵＣＣＨ及びＰＵＳＣＨ伝送帯域幅の和、最高変調レベル、及びＲＢ割り当て等情報に基づいて確定する。
【０２６５】
アップリンクキャリアＣＵＬ,５に対し、Ｔｙｐｅ １ ＰＨ及びＴｙｐｅ２ ＰＨを同時に報告する必要がある。
【０２６６】
現在アップリンクキャリアＣＵＬ,５上でＰＵＳＣＨ伝送を行ない、かつ、ＵＥが、少なくとも１個のキャリア組におけるダウンリンクキャリアとペア関係になるアップリンクキャリア上で、ＰＵＣＣＨ（アップリンクキャリア、ＣＵＬ,１及びＣＵＬ,４）を有するため、Ｔｙｐｅ１ ＰＨは、数９の条件を満足し、数９に基づいて得る。ここで、P~CMAX,c(i)の電力低減値は、全部のアップリンクキャリア上のＰＵＳＣＨの伝送関連情報に基づいて得る。即ち、アップリンクキャリアＣＵＬ,１及びＣＵＬ,４にＰＵＣＣＨ伝送を行なわないと仮説し、Iｎｔｅｒ−ｂａｎｄ ＣＡの場合、現在アップリンクキャリアＣＵＬ,５上のＰＵＳＣＨの伝送帯域幅、変調レベル、及びＲＢ割り当て等情報のみに基づいて確定する。Iｎｔｒａ−ｂａｎｄ ＣＡの場合、全部のアップリンクキャリア上のＰＵＳＣＨ伝送帯域幅の和、最高変調レベル、及びＲＢ割り当て等情報に基づいて確定する。
【０２６７】
または、現在アップリンクキャリアＣＵＬ,５上でＰＵＳＣＨ伝送を行ない、且つ、当該キャリアにＰＵＣＣＨがないため、Ｔｙｐｅ１ ＰＨは、数８の条件を満足し、数８に基づいて得る。ここで、P~CMAX,c(i)の電力低減値は、全部のアップリンクキャリアの上り伝送関連情報に基づいて得る。即ち、，Iｎｔｅｒ−ｂａｎｄ ＣＡの場合、現在アップリンクキャリアＣＵＬ,５上のＰＵＳＣＨの伝送帯域幅、変調レベル、及びＲＢ割り当て等情報のみに基づいて確定する。Iｎｔｒａ−ｂａｎｄ ＣＡの場合、全部のアップリンクキャリア上の全部のＰＵＣＣＨ及びＰＵＳＣＨの伝送帯域幅の和、最高変調レベル、及びＲＢ割り当て等情報に基づいて確定する。
【０２６８】
Ｔｙｐｅ２ ＰＨは、数１２の条件を満足し、数１２に基づいて得る。ここで、P~CMAX,c(i)の電力低減値は、全部のアップリンクキャリア上の実際にあるするプリンクチャネルの伝送関連情報に基づいて得る。即ち、Iｎｔｅｒ−ｂａｎｄ ＣＡの場合、現在アップリンクキャリアＣＵＬ,５上のＰＵＳＣＨの伝送帯域幅、変調レベル、及びＲＢ割り当て等情報のみに基づいて確定する。Iｎｔｒａ−ｂａｎｄ ＣＡの場合、全部のアップリンクキャリア上のＰＵＣＣＨ及びＰＵＳＣＨ伝送帯域幅の和、最高変調レベル、及びＲＢ割り当て等情報に基づいて確定する。
【０２６９】
図７を参照する。本出願に係る実施例は、端末を提供する。当該端末は、複数のダウンリンクキャリアをアグリゲーションし、各ダウンリンクキャリアは、１個のアップリンクキャリアとペアになる。当該複数のダウンリンクキャリアは複数のキャリア組に分けられる。各キャリア組に対し、当該キャリア組における１個の指定したダウンリンクキャリアとペア関係になるアップリンクキャリアは、当該キャリア組に対応する伝送物理アップリンク制御チャネル（ＰＵＣＣＨ）伝送用のアップリンクキャリアとして指定される。当該端末は、ＰＨ生成ユニット８０と、ＰＨ報告ユニット８１とを備える。
【０２７０】
当該ＰＨ生成ユニット８０は、ＰＨ報告が必要となる複数のＰＵＣＣＨ伝送用のアップリンクキャリア中の各アップリンクキャリアのために、１個のタイプＴｙｐｅ１ ＰＨ及び１個のＴｙｐｅ２ ＰＨを生成し、ＰＨ報告が必要となる、ＰＵＣＣＨ伝送用のアップリンクキャリア以外の各アップリンクキャリアのため、１個のＴｙｐｅ１ ＰＨを生成する。
【０２７１】
当該ＰＨ報告ユニット８１は、生成した各Ｔｙｐｅ１ ＰＨ及びＴｙｐｅ２ ＰＨを、現在アップリンクサブフレームにおいて、ネットワーク側に報告する。
【０２７２】
当該端末還は、設定ユニット８２をさらに備える。
ＰＨ報告が必要となる複数のＰＵＣＣＨ伝送用のアップリンクキャリア中の各アップリンクキャリアのため、１個のＴｙｐｅ１ ＰＨ及び１個のＴｙｐｅ２ ＰＨを生成する前、ネットワーク側から送信した設定情報に基づいて、自身がアグリゲーションした複数のダウンリンクキャリアを複数のキャリア組に分け、各キャリア組には、少なくとも１個のダウンリンクキャリアが含まれる。
【０２７３】
各キャリア組に対し、ネットワーク側から送信した上位層シグナリングに基づくか、またはネットワーク側との事前協議に基づいて、当該キャリア組における１個の指定したダウンリンクキャリアとペア関係になるアップリンクキャリアを、当該キャリア組に対応するＰＵＣＣＨ伝送用のアップリンクキャリアとして確定する。
【０２７４】
さらに、前記ＰＨ生成ユニット８０は、第１生成ユニットと、第２生成ユニットとを備える。
【０２７５】
第１生成ユニットは、前記ＰＵＣＣＨ伝送用のアップリンクキャリア、及びＰＵＣＣＨ伝送用のアップリンクキャリア以外のアップリンクキャリアに対し、当該アップリンクキャリアに対応するキャリア組における各ダウンリンクキャリアとペア関係になるアップリンクキャリアの上り伝送関連情報に基づいて、当該アップリンクキャリアのＴｙｐｅ１ ＰＨを生成する。
【０２７６】
第２生成ユニットは、前記ＰＵＣＣＨ伝送用のアップリンクキャリアに対し、当該アップリンクキャリアに対応するキャリア組における各ダウンリンクキャリアとペア関係になるアップリンクキャリアの上り伝送関連情報に基づいて、当該アップリンクキャリアのＴｙｐｅ２ ＰＨを生成する。
【０２７７】
ここで、当該アップリンクキャリアに対応するキャリア組は、当該アップリンクキャリアとペア関係になるダウンリンクキャリアが属するキャリア組である。
【０２７８】
さらに、前記第１生成ユニットは、以下のことに用いられる。
【０２７９】
もし、現在アップリンクサブフレームｉにおいて、当該アップリンクキャリア上で、端末が物理アップリンク共有チャネルＰＵＳＣＨ伝送を行い、且つ、現在アップリンクサブフレームｉにおいて、当該アップリンクキャリアに対応するキャリア組における各ダウンリンクキャリアとペア関係になるアップリンクキャリア上で、端末がＰＵＣＣＨ伝送をしなければ、以下の数１に基づいて、当該アップリンクキャリアのＴｙｐｅ１ ＰＨを生成する。
【０２８０】
もし、現在アップリンクサブフレームｉにおいて、当該アップリンクキャリア上で、端末がＰＵＳＣＨ伝送を行い、且つ、現在アップリンクサブフレームｉにおいて、当該アップリンクキャリアに対応するキャリア組の各ダウンリンクキャリアとペア関係になるアップリンクキャリア上で、端末がＰＵＣＣＨ伝送をすれば、下記の数２に基づいて、当該アップリンクキャリアのＴｙｐｅ１ ＰＨを生成する。
【０２８１】
もし、現在アップリンクサブフレームｉにおいて、当該アップリンクキャリア上で、端末がＰＵＳＣＨ伝送を行わなければ、以下の数３に基づいて、当該アップリンクキャリアのＴｙｐｅ１ ＰＨを生成する。
【０２８２】
または、もし現在アップリンクサブフレームｉにおいて、当該アップリンクキャリア上で、端末がＰＵＳＣＨ伝送を行い、ＰＵＣＣＨ伝送を行わなければ、以下の数１に基づいて、当該アップリンクキャリアのＴｙｐｅ１ ＰＨを生成する。
【０２８３】
もし現在アップリンクサブフレームｉにおいて、当該アップリンクキャリア上で、端末がＰＵＳＣＨ及びＰＵＣＣＨ伝送をともに行えば、下記の数２に基づいて、当該アップリンクキャリアのＴｙｐｅ１ ＰＨを生成する。
【０２８４】
もし、現在アップリンクサブフレームｉにおいて、当該アップリンクキャリア上で、端末がＰＵＳＣＨ伝送を行わなければ、以下の数３に基づいて、当該アップリンクキャリアのＴｙｐｅ１ ＰＨを生成する。
【０２８５】
（数１）
2016510561.tif 000045
[ｄＢ]
【０２８６】
ここで、ｃは当該アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアｃに対応するキャリア組における各ダウンリンクキャリアとペア関係になるアップリンクキャリアの、現在アップリンクサブフレームｉにおける上り伝送関連情報に基づいて、確定したものである。MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタである。
【０２８７】
（数２）
2016510561.tif 000046
[ｄＢ]
【０２８８】
ここで、ｃは当該アップリンクキャリア的キャリア番号であり、P~CMAX,c(i)は、端末が現在アップリンクサブフレームｉにおいて、アップリンクキャリアｃ上の最大発送電力であり、P~CMAX,c(i)を確定する際に利用する電力低減値は、現在アップリンクサブフレームｉにおいて、アップリンクキャリアｃに対応するキャリア組における各ダウンリンクキャリアとペア関係になるアップリンクキャリア上で、ＰＵＳＣＨ伝送のみを行えば、前記ＰＵＳＣＨに対応する上り伝送関連情報に基づいて確定される。または、P~CMAX,c(i)を確定する際に利用する電力低減値は、現在アップリンクサブフレームｉにおいて、当該アップリンクキャリアｃ上でＰＵＳＣＨ伝送のみを行えば、当該アップリンクキャリアｃ上の、ＰＵＳＣＨに対応する上り伝送関連情報と、当該アップリンクキャリアｃに対応するキャリア組における各ダウンリンクキャリアとペア関係になる、当該アップリンクキャリアｃ以外のアップリンクキャリアの上り伝送関連情報とに基づいて、確定される。PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタである。
【０２８９】
（数３）
2016510561.tif 000047
[ｄＢ]
【０２９０】
ここで、ｃは当該アップリンクキャリア的キャリア番号であり、P~CMAX,c(i)は、端末が現在アップリンクサブフレームｉにおいて、アップリンクキャリアｃ上の最大発送電力であり、P~CMAX,c(i)は、最大電力低減ＭＰＲ値が０、付加最大電力低減Ａ−ＭＰＲ値が０ｄＢ、電力管理最大電力低減Ｐ−ＭＰＲ値が０、及びサイドバンド伝送電力低減ＴＣ値が０であるとの前提で、得られた値である。PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタである。
【０２９１】
さらに、前記第２生成ユニットは以下のことに用いられる。
【０２９２】
もし現在アップリンクサブフレームｉにおいて、当該アップリンクキャリア上で、端末がＰＵＣＣＨ及びＰＵＳＣＨ伝送をともに行えば、以下の数４に基づいて、当該アップリンクキャリアのＴｙｐｅ２ ＰＨを生成する。
【０２９３】
もし現在アップリンクサブフレームｉにおいて、当該アップリンクキャリア上で、端末がＰＵＳＣＨ伝送を行い、ＰＵＣＣＨ伝送を行わなければ、以下の数５に基づいて、当該アップリンクキャリアのＴｙｐｅ２ ＰＨを生成する。
【０２９４】
もし、現在アップリンクサブフレームｉにおいて、当該アップリンクキャリア上で、端末がＰＵＣＣＨ伝送を行なうが、ＰＵＳＣＨ伝送をしなければ、以下の数６に基づいて、当該アップリンクキャリアのＴｙｐｅ２ ＰＨを生成する。
【０２９５】
もし、現在アップリンクサブフレームｉにおいて、当該アップリンクキャリア上で、端末がＰＵＳＣＨ伝送及びＰＵＣＣＨ伝送を行わなければ、以下の数７に基づいて、当該アップリンクキャリアのＴｙｐｅ２ ＰＨを生成する。
【０２９６】
（数４）
2016510561.tif 000048
[ｄＢ]
【０２９７】
ここで、ｃは当該アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアｃに対応するキャリア組における各ダウンリンクキャリアとペア関係になるアップリンクキャリアの、現在アップリンクサブフレームｉにおける上り伝送関連情報に基づいて、確定したものである。
PO_PUSCH,c, PLc, hc(nCQI, nHARQ, nSR), △F_PUCCH,c(F), △TXD,C(F′)及びgc(i) は、アップリンクキャリアｃ上の、現在アップリンクサブフレームｉにおいて伝送するＰＵＣＣＨの電力計算パラメタである。MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタである。
【０２９８】
（数５）
2016510561.tif 000049
[ｄＢ]
【０２９９】
ここで、ｃは当該アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアｃに対応するキャリア組における各ダウンリンクキャリアとペア関係になるアップリンクキャリアの、現在アップリンクサブフレームｉにおける上り伝送関連情報に基づいて、確定したものである。PO_PUSCH,c、PLc及びgc(i)は、事前定義したアップリンクキャリアｃ上の、現在アップリンクサブフレームｉにおけるバーチャルなＰＵＣＣＨ伝送の電力計算パラメタである。MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタである。
【０３００】
（数６）
2016510561.tif 000050
[ｄＢ]
【０３０１】
ここで、ｃは当該アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアｃに対応するキャリア組における各ダウンリンクキャリアとペア関係になるアップリンクキャリアの、現在アップリンクサブフレームｉにおける上り伝送関連情報に基づいて、確定したものである。PO_PUSCH,c, PLc, hc(nCQI, nHARQ, nSR), △F_PUCCH,c(F), △TXD,C(F′)及びgc(i) は、アップリンクキャリアｃ上の、現在アップリンクサブフレームｉにおいて伝送するＰＵＣＣＨの電力計算パラメタである。PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタである。
【０３０２】
（数７）
2016510561.tif 000051
[ｄＢ]
【０３０３】
ここで、ｃは当該アップリンクキャリア的キャリア番号であり、P~CMAX,c(i)は、端末が現在アップリンクサブフレームｉにおいて、アップリンクキャリアｃ上の最大発送電力であり、P~CMAX,c(i)は、ＭＰＲ値が０、Ａ−ＭＰＲ値が０ｄＢ、Ｐ−ＭＰＲ値が０、及びΔＴＣ値が０である前提で得る値である。
PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタである。
PO_PUSCH,c、PLc及びgc(i)は、事前定義したアップリンクキャリアｃ上の、現在アップリンクサブフレームｉにおけるバーチャルなＰＵＣＣＨ伝送の電力計算パラメタである。
【０３０４】
さらに、前記ＰＨ生成ユニット８０は、第３生成ユニットと、第４生成ユニットとを備える。
【０３０５】
前記第３生成ユニットは、前記ＰＵＣＣＨ伝送用のアップリンクキャリア、及びＰＵＣＣＨ伝送用のアップリンクキャリア以外のアップリンクキャリアに対し、端末は、アップリンクキャリアの全部の上り伝送関連情報に基づいて、当該アップリンクキャリアのＴｙｐｅ１ ＰＨを生成する。
【０３０６】
第４生成ユニットは、前記ＰＵＣＣＨ伝送用のアップリンクキャリアに対し、端末は、アップリンクキャリアの全部の上り伝送関連情報に基づいて、当該アップリンクキャリアのＴｙｐｅ２ ＰＨを生成する。
【０３０７】
さらに、前記第３生成ユニットは、以下のことにもちいられる。
【０３０８】
もし現在アップリンクサブフレームｉにおいて、当該アップリンクキャリア上で、端末がＰＵＳＣＨ伝送を行い、且つ、現在アップリンクサブフレームｉにおいて、いずれのキャリア組に対応するＰＵＣＣＨ伝送用のアップリンクキャリアにおいても、端末がＰＵＣＣＨ伝送をしなければ、以下の数８に基づいて、当該アップリンクキャリアのＴｙｐｅ１ ＰＨを生成する。
【０３０９】
もし現在アップリンクサブフレームｉにおいて、当該アップリンクキャリア上で、端末がＰＵＳＣＨ伝送を行い、且つ、現在アップリンクサブフレームｉにおいて、少なくとも１個のキャリア組に対応するＰＵＣＣＨ伝送用のアップリンクキャリア上で、端末がＰＵＣＣＨ伝送を行えば、下記の数９に基づいて、当該アップリンクキャリアのＴｙｐｅ１ ＰＨを生成する。 
【０３１０】
もし、現在アップリンクサブフレームｉにおいて、当該アップリンクキャリア上で、端末がＰＵＳＣＨ伝送を行わなければ、下記の数１０に基づいて、当該アップリンクキャリアのＴｙｐｅ１ ＰＨを生成する。 
【０３１１】
または、もし現在アップリンクサブフレームｉにおいて、当該アップリンクキャリア上で、端末がＰＵＳＣＨ伝送を行い、ＰＵＣＣＨ伝送を行わなければ、以下の数８に基づいて、当該アップリンクキャリアのＴｙｐｅ１ ＰＨを生成する。
【０３１２】
もし現在アップリンクサブフレームｉにおいて、当該アップリンクキャリア上で、端末がＰＵＳＣＨ及びＰＵＣＣＨ伝送をともに行えば、下記の数９に基づいて、当該アップリンクキャリアのＴｙｐｅ１ ＰＨを生成する。
【０３１３】
もし、現在アップリンクサブフレームｉにおいて、当該アップリンクキャリア上で、端末がＰＵＳＣＨ伝送を行わなければ、下記の数１０に基づいて、当該アップリンクキャリアのＴｙｐｅ１ ＰＨを生成する。
【０３１４】
（数８）
2016510561.tif 000052
[ｄＢ]
【０３１５】
ここで、ｃは当該アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアの、現在アップリンクサブフレームｉにおける全部の上り伝送関連情報に基づいて確定される。MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタである。
【０３１６】
（数９）
2016510561.tif 000053
[ｄＢ]
【０３１７】
ここで、ｃは当該アップリンクキャリア的キャリア番号であり、P~CMAX,c(i)は、端末が現在アップリンクサブフレームｉにおいて、アップリンクキャリアｃ上の最大発送電力であり、P~CMAX,c(i)を確定する際に利用する電力低減値は、現在アップリンクサブフレームｉにおいて、全部のアップリンクキャリア上で、ＰＵＳＣＨ伝送のみを行えば、且つ前記ＰＵＳＣＨに対応する上り伝送関連情報に基づいて確定される。または、P~CMAX,c(i)を確定する際に利用する電力低減値は、現在アップリンクサブフレームｉにおいて、当該アップリンクキャリアｃ上でＰＵＳＣＨ伝送のみを行えば、当該アップリンクキャリアｃ上の、ＰＵＳＣＨに対応する上り伝送関連情報、及び前記端末の当該アップリンクキャリアｃ以外のアップリンクキャリアの上り伝送関連情報に基づいて確定される。PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタである。
【０３１８】
（数１０）
2016510561.tif 000054
[ｄＢ]
【０３１９】
ここで、ｃは当該アップリンクキャリア的キャリア番号であり、P~CMAX,c(i)は、端末が現在アップリンクサブフレームｉにおいて、アップリンクキャリアｃ上の最大発送電力であり、P~CMAX,c(i)は、ＭＰＲ値が０、Ａ−ＭＰＲ値が０ｄＢ、Ｐ−ＭＰＲ値が０、及びΔＴＣ値が０である前提で得る値である。PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタである。
【０３２０】
さらに、前記第４生成ユニットは、以下のことに用いられる。
【０３２１】
もし現在アップリンクサブフレームｉにおいて、当該アップリンクキャリア上で、端末がＰＵＣＣＨ伝送及びＰＵＳＣＨ伝送をともに行えば、下記の数１１に基づいて、当該アップリンクキャリアのＴｙｐｅ２ ＰＨを生成する。
【０３２２】
もし現在アップリンクサブフレームｉにおいて、当該アップリンクキャリア上で、端末がＰＵＳＣＨ伝送を行い、ＰＵＣＣＨ伝送を行わなければ、下記の数１２に基づいて、当該アップリンクキャリアのＴｙｐｅ２ ＰＨを生成する。
【０３２３】
もし、現在アップリンクサブフレームｉにおいて、当該アップリンクキャリア上で、端末がＰＵＣＣＨ伝送を行なうが、ＰＵＳＣＨ伝送をしなければ、下記の数１３に基づいて、当該アップリンクキャリアのＴｙｐｅ２ ＰＨを生成する。
【０３２４】
もし、現在アップリンクサブフレームｉにおいて、当該アップリンクキャリア上で、端末がＰＵＳＣＨ伝送及びＰＵＣＣＨ伝送を行わなければ、下記の数１４に基づいて、当該アップリンクキャリアのＴｙｐｅ２ ＰＨを生成する。
【０３２５】
（数１１）
2016510561.tif 000055
[ｄＢ]
【０３２６】
ここで、ｃは当該アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアの、現在アップリンクサブフレームｉにおける全部の上り伝送関連情報に基づいて確定される。
PO_PUSCH,c, PLc, hc(nCQI, nHARQ, nSR), △F_PUCCH,c(F), △TXD,C(F′)及びgc(i) は、アップリンクキャリアｃ上の、現在アップリンクサブフレームｉにおいて伝送するＰＵＣＣＨの電力計算パラメタである。
MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタである。
【０３２７】
（数１２）
2016510561.tif 000056
[ｄＢ]
【０３２８】
ここで、ｃは当該アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアの、現在アップリンクサブフレームｉにおける全部の上り伝送関連情報に基づいて確定される。
PO_PUSCH,c、PLc及びgc(i)は、事前定義したアップリンクキャリアｃ上の、現在アップリンクサブフレームｉにおけるバーチャルなＰＵＣＣＨ伝送の電力計算パラメタである。
MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタである。
【０３２９】
（数１３）
2016510561.tif 000057
[ｄＢ]
【０３３０】
ここで、ｃは当該アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアの、現在アップリンクサブフレームｉにおける全部の上り伝送関連情報に基づいて確定される。
PO_PUSCH,c, PLc, hc(nCQI, nHARQ, nSR), △F_PUCCH,c(F), △TXD,C(F′)及びgc(i) は、アップリンクキャリアｃ上の、現在アップリンクサブフレームｉにおいて伝送するＰＵＣＣＨの電力計算パラメタである。
PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタである。
【０３３１】
（数１４）
2016510561.tif 000058
[ｄＢ]
【０３３２】
ここで、ｃは当該アップリンクキャリア的キャリア番号であり、P~CMAX,c(i)は、端末が現在アップリンクサブフレームｉにおいて、アップリンクキャリアｃ上の最大発送電力であり、P~CMAX,c(i)は、ＭＰＲ値が０、Ａ−ＭＰＲ値が０ｄＢ、Ｐ−ＭＰＲ値が０、及びサイドバンド伝送電力低減ＴＣ値が０である前提で得る値である。
PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタである。
PO_PUSCH,c、PLc及びgc(i)は、事前定義したアップリンクキャリアｃ上の、現在アップリンクサブフレームｉにおけるバーチャルなＰＵＣＣＨ伝送の電力計算パラメタである。
【０３３３】
さらに、前記第１生成ユニットは、数２に基づいて、当該アップリンクキャリアのＴｙｐｅ１ ＰＨを生成する場合、前記P~CMAX,c(i)を前記端末の上位層に報告する。
【０３３４】
さらに、前記第３生成ユニットは、数９に基づいて、当該アップリンクキャリアのＴｙｐｅ１ ＰＨを生成する場合、前記P~CMAX,c(i)を前記端末の上位層に報告する。
【０３３５】
さらに、前記電力低減値は、ＭＰＲ値と、Ａ−ＭＰＲ値とを含む。；
【０３３６】
前記上り伝送関連情報は、アップリンク伝送帯域幅と、変調階数と、リソースブロックＲＢ割り当て情報うちの１つまたは多様な組み合わせである。
【０３３７】
方法と同様な発明思想に基づいて、本発明に係る実施例は、端末を提供する。当該端末が複数のダウンリンクキャリアをアグリゲーションし、当該複数のダウンリンクキャリアは複数のキャリア組に分けられる。
各キャリア組に対し、当該キャリア組における１個の指定したダウンリンクキャリアとペア関係になるアップリンクキャリアは、当該キャリア組に対応する伝送物理アップリンク制御チャネル（ＰＵＣＣＨ）伝送用のアップリンクキャリアとして指定される。
当該端末は、プロセッサと、無線ユニットとを備える。
【０３３８】
当該プロセッサは、ＰＨ報告が必要となる複数のＰＵＣＣＨ伝送用のアップリンクキャリア中の各アップリンクキャリアのために、１個のタイプＴｙｐｅ１ ＰＨ及び１個のＴｙｐｅ２ ＰＨを生成し、ＰＨ報告が必要となる、ＰＵＣＣＨ伝送用のアップリンクキャリア以外の各アップリンクキャリアのため、１個のＴｙｐｅ１ ＰＨを生成する。
【０３３９】
当該無線ユニットは、生成した各Ｔｙｐｅ１ ＰＨ及びＴｙｐｅ２ ＰＨを、現在アップリンクサブフレームにおいて、ネットワーク側に報告する。
【０３４０】
本出願に係る実施例が提供する案によれば、端末がＰＨ報告が必要となる複数のＰＵＣＣＨ伝送用のアップリンクキャリアにおける各アップリンクキャリアのため、１個のタイプＴｙｐｅ１ ＰＨ及び１個のＴｙｐｅ２ ＰＨを生成し、ＰＨ報告が必要となる、ＰＵＣＣＨ伝送用のアップリンクキャリア以外の各アップリンクキャリアのため、１個のＴｙｐｅ１ ＰＨを生成し、生成した各Ｔｙｐｅ１ ＰＨ及びＴｙｐｅ２ ＰＨを、現在アップリンクサブフレームにおいて、ネットワーク側に報告する。
端末が異なるキャリア組に対応する異なるアップリンクキャリア上でＰＵＣＣＨを伝送することをサポートする場合、本技術案は、端末がＰＨ報告をする具体的な実施方法を提供する。端末が異なるキャリア組に対応する異なるアップリンクキャリア上でＰＵＣＣＨを伝送することをサポートする場合、ＰＨ報告をどうするのかとの技術課題を解決した。
【０３４１】
図８を参照する。本出願に係る実施例は、基地局を提供する。
当該基地局は、ＰＨ受信ユニット９０と、ＰＨ取得ユニット９１とを備える。
【０３４２】
ＰＨ受信ユニット９０は、端末から報告したパワーヘッドルームＰＨ情報を受信し、当該端末が複数のダウンリンクキャリアをアグリゲーションし、当該複数のダウンリンクキャリアを複数のキャリア組に分け、各キャリア組に対し、当該キャリア組における１個の指定したダウンリンクキャリアとペア関係になるアップリンクキャリアを、当該キャリア組に対応する伝送物理アップリンク制御チャネル（ＰＵＣＣＨ）伝送用のアップリンクキャリアとして指定する。
【０３４３】
ＰＨ取得ユニット９１は、前記ＰＨ情報から、ＰＨ報告する必要がある複数のＰＵＣＣＨ伝送用のアップリンクキャリア中の各アップリンクキャリアそれぞれに対応する１個のタイプＴｙｐｅ１ ＰＨ及び１個のＴｙｐｅ２ ＰＨを取得する。
また、前記ＰＨ情報から、ＰＨ報告する必要があるＰＵＣＣＨ伝送用のアップリンクキャリア以外の各アップリンクキャリアそれぞれに対応する１個のＴｙｐｅ１ ＰＨを取得する。
【０３４４】
さらに、当該基地局は、設定ユニット９２を備える。
【０３４５】
設定ユニット９２は、端末から報告したＰＨ情報を受信する前に、端末に設定情報を送信し、当該設定情報は、アグリゲーションの複数のダウンリンクキャリアを、複数のキャリア組に分けるように、端末に指示し、各キャリア組には、少なくとも１個のダウンリンクキャリアが含まれる。
【０３４６】
また、端末に上位層シグナリングを送信し、当該上位層シグナリングは、各キャリア組に対し当該キャリア組における１個の指定したダウンリンクキャリアとペア関係になるアップリンクキャリアを、当該キャリア組に対応するＰＵＣＣＨ伝送用のアップリンクキャリアとするように指示する。
【０３４７】
または、各キャリア組に対し、端末との事前協議に基づいて、当該キャリア組における１個の指定したダウンリンクキャリアとペア関係になるアップリンクキャリアを、当該キャリア組に対応するＰＵＣＣＨ伝送用のアップリンクキャリアとして確定する。
【０３４８】
さらに、前記ＰＨ取得ユニット９１は、以下のことに用いられる。
【０３４９】
前記ＰＵＣＣＨ伝送用のアップリンクキャリア、及びＰＵＣＣＨ伝送用のアップリンクキャリア以外のアップリンクキャリアに対し、当該アップリンクキャリアに対応するＴｙｐｅ１ ＰＨが、端末が当該アップリンクキャリアに対応するキャリア組における各ダウンリンクキャリアとペア関係になるアップリンクキャリアの上り伝送関連情報に基づいて生成したことを確定する。
【０３５０】
前記ＰＵＣＣＨ伝送用のアップリンクキャリアに対し、当該アップリンクキャリアに対応するＴｙｐｅ２ ＰＨが、端末が当該アップリンクキャリアに対応するキャリア組における各ダウンリンクキャリアとペア関係になるアップリンクキャリアの上り伝送関連情報に基づいて生成したものであることを確定する。
【０３５１】
さらに、前記ＰＨ取得ユニット９１は、以下のことに用いられる。
【０３５２】
もし現在アップリンクサブフレームｉにおいて、当該アップリンクキャリア上で端末が物理アップリンク共有チャネルＰＵＳＣＨ伝送を行い且つ、現在アップリンクサブフレームｉにおいて、当該アップリンクキャリアに対応するキャリア組における各ダウンリンクキャリアとペア関係になるアップリンクキャリア上で、端末がＰＵＣＣＨ伝送をしないと確定すれば、端末が下記の数１に基づいて当該アップリンクキャリアのＴｙｐｅ１ ＰＨを生成することを確定する。
【０３５３】
現在アップリンクサブフレームｉにおいて、当該アップリンクキャリア上で端末がＰＵＳＣＨ伝送を行い、且つ、現在アップリンクサブフレームｉにおいて、当該アップリンクキャリアに対応するキャリア組の各ダウンリンクキャリアとペア関係になるアップリンクキャリア上で、端末がＰＵＣＣＨ伝送を行なうと確定すれば、端末が下記の数２に基づいて、当該アップリンクキャリアのＴｙｐｅ１ ＰＨを生成することを確定する。
【０３５４】
現在アップリンクサブフレームｉにおいて、当該アップリンクキャリア上で端末がＰＵＳＣＨ伝送を行わないと確定すれば、端末が以下の数３に基づいて、当該アップリンクキャリアのＴｙｐｅ１ ＰＨを生成することを確定する。
【０３５５】
または、現在アップリンクサブフレームｉにおいて、当該アップリンクキャリア上で端末がＰＵＳＣＨ伝送を行うがＰＵＣＣＨ伝送をしないと確定すれば、端末が下記の数１に基づいて当該アップリンクキャリアのＴｙｐｅ１ ＰＨを生成することを確定する。
【０３５６】
現在アップリンクサブフレームｉにおいて、当該アップリンクキャリア上で端末がＰＵＳＣＨ及びＰＵＣＣＨ伝送をともに行うと確定すれば、端末が下記の数２に基づいて、当該アップリンクキャリアのＴｙｐｅ１ ＰＨを生成することを確定する。
【０３５７】
現在アップリンクサブフレームｉにおいて、当該アップリンクキャリア上で端末がＰＵＳＣＨ伝送を行わないと確定すれば、端末が以下の数３に基づいて、当該アップリンクキャリアのＴｙｐｅ１ ＰＨを生成することを確定する。
【０３５８】
（数１）
2016510561.tif 000059
[ｄＢ]
【０３５９】
ここで、ｃは当該アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアｃに対応するキャリア組における各ダウンリンクキャリアとペア関係になるアップリンクキャリアの、現在アップリンクサブフレームｉにおける上り伝送関連情報に基づいて、確定したものである。
MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタである。
【０３６０】
（数２）
2016510561.tif 000060
[ｄＢ]
【０３６１】
ここで、ｃは当該アップリンクキャリア的キャリア番号であり、P~CMAX,c(i)は、端末が現在アップリンクサブフレームｉにおいて、アップリンクキャリアｃ上の最大発送電力であり、P~CMAX,c(i)を確定する際に利用する電力低減値は、現在アップリンクサブフレームｉにおいて、アップリンクキャリアｃに対応するキャリア組における各ダウンリンクキャリアとペア関係になるアップリンクキャリア上で、ＰＵＳＣＨ伝送のみを行えば、前記ＰＵＳＣＨに対応する上り伝送関連情報に基づいて確定される
または、P~CMAX,c(i)を確定する際に利用する電力低減値は、現在アップリンクサブフレームｉにおいて、当該アップリンクキャリアｃ上でＰＵＳＣＨ伝送のみを行えば、当該アップリンクキャリアｃ上の、ＰＵＳＣＨに対応する上り伝送関連情報と、当該アップリンクキャリアｃに対応するキャリア組における各ダウンリンクキャリアとペア関係になる、当該アップリンクキャリアｃ以外のアップリンクキャリアの上り伝送関連情報とに基づいて、確定される。
PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタである。
【０３６２】
（数３）
2016510561.tif 000061
[ｄＢ]
【０３６３】
ここで、ｃは当該アップリンクキャリア的キャリア番号であり、P~CMAX,c(i)は、端末が現在アップリンクサブフレームｉにおいて、アップリンクキャリアｃ上の最大発送電力であり、P~CMAX,c(i)は、最大電力低減ＭＰＲ値が０、付加最大電力低減Ａ−ＭＰＲ値が０ｄＢ、電力管理最大電力低減Ｐ−ＭＰＲ値が０、及びサイドバンド伝送電力低減ＴＣ値が０であるとの前提で、得られた値である。
PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタである。
【０３６４】
さらに、前記ＰＨ取得ユニット９１は、以下のことに用いられる。
【０３６５】
もし現在アップリンクサブフレームｉにおいて、当該アップリンクキャリア上で端末がＰＵＣＣＨ及びＰＵＳＣＨ伝送をともに行うと確定すれば、端末が下記の数４に基づいて、当該アップリンクキャリアのＴｙｐｅ２ ＰＨを生成することを確定する。
【０３６６】
現在アップリンクサブフレームｉにおいて、当該アップリンクキャリア上で端末がＰＵＳＣＨ伝送を行うがＰＵＣＣＨ伝送をしないと確定すれば、端末が下記の数５に基づいて、当該アップリンクキャリアのＴｙｐｅ２ ＰＨを生成することを確定する。
【０３６７】
もし現在アップリンクサブフレームｉにおいて、当該アップリンクキャリア上で端末がＰＵＣＣＨ伝送を行うがＰＵＳＣＨ伝送をしないと確定すれば、端末が下記の数６に基づいて、当該アップリンクキャリアのＴｙｐｅ２ ＰＨを生成することを確定する。
【０３６８】
もし現在アップリンクサブフレームｉにおいて、当該アップリンクキャリア上で端末がＰＵＳＣＨ伝送及びＰＵＣＣＨ伝送を行わないと確定すれば、端末が下記の数７に基づいて、当該アップリンクキャリアのＴｙｐｅ２ ＰＨを生成することを確定する。
【０３６９】
（数４）
2016510561.tif 000062
[ｄＢ]
【０３７０】
ここで、ｃは当該アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアｃに対応するキャリア組における各ダウンリンクキャリアとペア関係になるアップリンクキャリアの、現在アップリンクサブフレームｉにおける上り伝送関連情報に基づいて、確定したものである。
PO_PUSCH,c, PLc, hc(nCQI, nHARQ, nSR), △F_PUCCH,c(F), △TXD,C(F′)及びgc(i) は、アップリンクキャリアｃ上の、現在アップリンクサブフレームｉにおいて伝送するＰＵＣＣＨの電力計算パラメタである。
MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタである。
【０３７１】
（数５）
2016510561.tif 000063
[ｄＢ]
【０３７２】
ここで、ｃは当該アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアｃに対応するキャリア組における各ダウンリンクキャリアとペア関係になるアップリンクキャリアの、現在アップリンクサブフレームｉにおける上り伝送関連情報に基づいて、確定したものである。
PO_PUSCH,c、PLc及びgc(i)は、事前定義したアップリンクキャリアｃ上の、現在アップリンクサブフレームｉにおけるバーチャルなＰＵＣＣＨ伝送の電力計算パラメタである。
MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタである。
【０３７３】
（数６）
2016510561.tif 000064
[ｄＢ]
【０３７４】
ここで、ｃは当該アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアｃに対応するキャリア組における各ダウンリンクキャリアとペア関係になるアップリンクキャリアの、現在アップリンクサブフレームｉにおける上り伝送関連情報に基づいて、確定したものである。
PO_PUSCH,c, PLc, hc(nCQI, nHARQ, nSR), △F_PUCCH,c(F), △TXD,C(F′)及びgc(i) は、アップリンクキャリアｃ上の、現在アップリンクサブフレームｉにおいて伝送するＰＵＣＣＨの電力計算パラメタである。
PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタである。
【０３７５】
（数７）
2016510561.tif 000065
[ｄＢ]
【０３７６】
ここで、ｃは当該アップリンクキャリア的キャリア番号であり、P~CMAX,c(i)は、端末が現在アップリンクサブフレームｉにおいて、アップリンクキャリアｃ上の最大発送電力であり、P~CMAX,c(i)は、ＭＰＲ値が０、Ａ−ＭＰＲ値が０ｄＢ、Ｐ−ＭＰＲ値が０、及びΔＴＣ値が０である前提で得る値である。
PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタである。
PO_PUSCH,c、PLc及びgc(i)は、事前定義したアップリンクキャリアｃ上の、現在アップリンクサブフレームｉにおけるバーチャルなＰＵＣＣＨ伝送の電力計算パラメタである。
【０３７７】
さらに、前記ＰＨ取得ユニット９１は、以下のことに用いられる。
【０３７８】
前記ＰＵＣＣＨ伝送用のアップリンクキャリア、及びＰＵＣＣＨ伝送用のアップリンクキャリア以外のアップリンクキャリアに対し、当該アップリンクキャリアに対応するＴｙｐｅ１ ＰＨが、端末が全部アップリンクキャリアの上り伝送関連情報に基づいて生成したものであることを確定する。
【０３７９】
前記ＰＵＣＣＨ伝送用のアップリンクキャリアに対し、当該アップリンクキャリアに対応するＴｙｐｅ２ ＰＨが、端末が全部のアップリンクキャリアの上り伝送関連情報に基づいて生成したものであることを確定する。
【０３８０】
さらに、前記ＰＨ取得ユニット９１は、以下のことに用いられる。
【０３８１】
現在アップリンクサブフレームｉにおいて、当該アップリンクキャリアが端末がＰＵＳＣＨ伝送をおこない、且つ、現在アップリンクサブフレームｉにおいて、いずれのキャリア組に対応するＰＵＣＣＨ伝送用のアップリンクキャリアにおいても、端末がＰＵＣＣＨ伝送をしないと確定すれば、端末が下記の数８に基づいて、当該アップリンクキャリアのＴｙｐｅ１ ＰＨを生成することを確定する。 
【０３８２】
現在アップリンクサブフレームｉにおいて、当該アップリンクキャリアが端末がＰＵＳＣＨ伝送をおこない、且つ、現在アップリンクサブフレームｉにおいて、少なくとも１個のキャリア組に対応するＰＵＣＣＨ伝送用のアップリンクキャリア上で、端末がＰＵＣＣＨ伝送を行うと確定すれば、端末が下記の数９に基づいて、当該アップリンクキャリアのＴｙｐｅ１ ＰＨを生成する事を確定する。 
【０３８３】
現在アップリンクサブフレームｉにおいて、当該アップリンクキャリア上で端末がＰＵＳＣＨ伝送を行わないと確定すれば、端末が下記の数１０に基づいて、当該アップリンクキャリアのＴｙｐｅ１ ＰＨを生成することを確定する。
【０３８４】
または、現在アップリンクサブフレームｉにおいて、当該アップリンクキャリア上で端末がＰＵＳＣＨ伝送を行うがＰＵＣＣＨ伝送をしないと確定すれば、端末が下記の数８に基づいて、当該アップリンクキャリアのＴｙｐｅ１ ＰＨを生成することを確定する。
【０３８５】
現在アップリンクサブフレームｉにおいて、当該アップリンクキャリア上で端末がＰＵＳＣＨ及びＰＵＣＣＨ伝送をともに行うと確定すれば、端末が下記の数９に基づいて、当該アップリンクキャリアのＴｙｐｅ１ ＰＨを生成することを確定する。
【０３８６】
現在アップリンクサブフレームｉにおいて、当該アップリンクキャリア上で端末がＰＵＳＣＨ伝送を行わないと確定すれば、端末が下記の数１０に基づいて、当該アップリンクキャリアのＴｙｐｅ１ ＰＨを生成することを確定する。 
【０３８７】
（数８）
2016510561.tif 000066
[ｄＢ]
【０３８８】
ここで、ｃは当該アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアの、現在アップリンクサブフレームｉにおける全部の上り伝送関連情報に基づいて確定される。
MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタである。
【０３８９】
（数９）
2016510561.tif 000067
[ｄＢ]
【０３９０】
ここで、ｃは当該アップリンクキャリア的キャリア番号であり、P~CMAX,c(i)は、端末が現在アップリンクサブフレームｉにおいて、アップリンクキャリアｃ上の最大発送電力であり、P~CMAX,c(i)を確定する際に利用する電力低減値は、現在アップリンクサブフレームｉにおいて、全部のアップリンクキャリア上で、ＰＵＳＣＨ伝送のみを行えば、前記ＰＵＳＣＨに対応する上り伝送関連情報に基づいて確定される。
または、P~CMAX,c(i)を確定する際に利用する電力低減値は、現在アップリンクサブフレームｉにおいて、当該アップリンクキャリアｃ上でＰＵＳＣＨ伝送のみを行えば、当該アップリンクキャリアｃ上の、ＰＵＳＣＨに対応する上り伝送関連情報、及び前記端末の当該アップリンクキャリアｃ以外のアップリンクキャリアの上り伝送関連情報に基づいて確定される。
PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタである。
【０３９１】
（数１０）
2016510561.tif 000068
[ｄＢ]
【０３９２】
ここで、ｃは当該アップリンクキャリア的キャリア番号であり、P~CMAX,c(i)は、端末が現在アップリンクサブフレームｉにおいて、アップリンクキャリアｃ上の最大発送電力であり、P~CMAX,c(i)は、ＭＰＲ値が０、Ａ−ＭＰＲ値が０ｄＢ、Ｐ−ＭＰＲ値が０、及びΔＴＣ値が０である前提で得る値である。
PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタである。
【０３９３】
さらに、前記ＰＨ取得ユニット９１は、以下のことに用いられる。
【０３９４】
現在アップリンクサブフレームｉにおいて、当該アップリンクキャリア上で端末がＰＵＣＣＨ伝送及びＰＵＳＣＨ伝送をともに行うと確定すれば、端末が下記の数１１に基づいて、当該アップリンクキャリアのＴｙｐｅ２ ＰＨを生成することを確定する。
【０３９５】
現在アップリンクサブフレームｉにおいて、当該アップリンクキャリア上で端末がＰＵＳＣＨ伝送を行うがＰＵＣＣＨ伝送をしないと確定すれば、端末が下記の数１２に基づいて、当該アップリンクキャリアのＴｙｐｅ２ ＰＨを生成することを確定する。
【０３９６】
もし現在アップリンクサブフレームｉにおいて、当該アップリンクキャリア上で端末がＰＵＣＣＨ伝送を行うがＰＵＳＣＨ伝送をしないと確定すれば、端末が下記の数１３に基づいて、当該アップリンクキャリアのＴｙｐｅ２ ＰＨを生成することを確定する。
【０３９７】
もし現在アップリンクサブフレームｉにおいて、当該アップリンクキャリア上で端末がＰＵＳＣＨ伝送及びＰＵＣＣＨ伝送を行わないと確定すれば、端末が下記の数１４に基づいて、当該アップリンクキャリアのＴｙｐｅ２ ＰＨを生成することを確定する。
【０３９８】
（数１１）
2016510561.tif 000069
[ｄＢ]
【０３９９】
ここで、ｃは当該アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアの、現在アップリンクサブフレームｉにおける全部の上り伝送関連情報に基づいて確定される。
PO_PUSCH,c(j), PLc, hc(nCQI, nHARQ, nSR), △F_PUCCH,c(F), △TXD,C(F′)及びgc(i) は、アップリンクキャリアｃ上の、現在アップリンクサブフレームｉにおいて伝送するＰＵＣＣＨの電力計算パラメタである。
MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタである。
【０４００】
（数１２）
2016510561.tif 000070
[ｄＢ]
【０４０１】
ここで、ｃは当該アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアの、現在アップリンクサブフレームｉにおける全部の上り伝送関連情報に基づいて確定される。
PO_PUSCH,c、PLc及びgc(i)は、事前定義したアップリンクキャリアｃ上の、現在アップリンクサブフレームｉにおけるバーチャルなＰＵＣＣＨ伝送の電力計算パラメタである。
MPUSCH,c(i)、PO_PUSCH,c(j)、αc(j)、PLc、△TF,c(i)及びfc(i)は、アップリンクキャリアｃ上の、現在アップリンクサブフレームｉにおいて伝送するＰＵＳＣＨの電力計算パラメタである。
【０４０２】
（数１３）
2016510561.tif 000071
[ｄＢ]
【０４０３】
ここで、ｃは当該アップリンクキャリア的キャリア番号であり、PCMAX,c(i)は、端末が現在アップリンクサブフレームｉにおいて、アップリンクキャリアｃ上の最大発送電力であり、PCMAX,c(i)を確定する際に利用する電力低減値は、アップリンクキャリアの、現在アップリンクサブフレームｉにおける全部の上り伝送関連情報に基づいて確定される。
PO_PUSCH,c, PLc, hc(nCQI, nHARQ, nSR), △F_PUCCH,c(F), △TXD,C(F′)及びgc(i) は、アップリンクキャリアｃ上の、現在アップリンクサブフレームｉにおいて伝送するＰＵＣＣＨの電力計算パラメタである。
PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタである。
【０４０４】
（数１４）
2016510561.tif 000072
[ｄＢ]
【０４０５】
ここで、ｃは当該アップリンクキャリア的キャリア番号であり、P~CMAX,c(i)は、端末が現在アップリンクサブフレームｉにおいて、アップリンクキャリアｃ上の最大発送電力であり、P~CMAX,c(i)は、ＭＰＲ値が０、Ａ−ＭＰＲ値が０ｄＢ、Ｐ−ＭＰＲ値が０、及びサイドバンド伝送電力低減ＴＣ値が０である前提で得る値である。
PO_PUSCH,c(1)、αc(1)、PLc及びfc(i)は、事前定義したアップリンクキャリアｃ上の、現在アップリンクサブフレームｉにおけるバーチャルなＰＵＳＣＨ伝送の電力計算パラメタである。
PO_PUSCH,c、PLc及びgc(i)は、事前定義したアップリンクキャリアｃ上の、現在アップリンクサブフレームｉにおけるバーチャルなＰＵＣＣＨ伝送の電力計算パラメタである。
【０４０６】
さらに、前記電力低減値は、ＭＰＲ値と、Ａ−ＭＰＲ値とを含む。
【０４０７】
前記上り伝送関連情報は、アップリンク伝送帯域幅と、変調階数と、リソースブロックＲＢ割り当て情報とを備える。
【０４０８】
方法と同様な発明思想に基づいて、本発明に係る実施例は、基地局と提供する。
当該基地局は、無線ユニットと、プロセッサとを備える。
【０４０９】
当該無線ユニットは、端末から報告したパワーヘッドルームＰＨ情報を受信し、当該端末が複数のダウンリンクキャリアをアグリゲーションし、当該複数のダウンリンクキャリアを複数のキャリア組に分け、各キャリア組に対し、当該キャリア組における１個の指定したダウンリンクキャリアとペア関係になるアップリンクキャリアを、当該キャリア組に対応する伝送物理アップリンク制御チャネル（ＰＵＣＣＨ）伝送用のアップリンクキャリアとして指定する。
【０４１０】
当該プロセッサは、前記ＰＨ情報から、ＰＨ報告する必要がある複数のＰＵＣＣＨ伝送用のアップリンクキャリア中の各アップリンクキャリアそれぞれに対応する１個のタイプＴｙｐｅ１ ＰＨ及び１個のＴｙｐｅ２ ＰＨを取得し、前記ＰＨ情報から、ＰＨ報告する必要があるＰＵＣＣＨ伝送用のアップリンクキャリア以外の各アップリンクキャリアそれぞれに対応する１個のＴｙｐｅ１ ＰＨを取得する。
【０４１１】
本出願に係る実施例が提供する案によれば、端末がＰＨ報告が必要となる複数のＰＵＣＣＨ伝送用のアップリンクキャリアにおける各アップリンクキャリアのため、１個のタイプＴｙｐｅ１ ＰＨ及び１個のＴｙｐｅ２ ＰＨを生成し、ＰＨ報告が必要となる、ＰＵＣＣＨ伝送用のアップリンクキャリア以外の各アップリンクキャリアのため、１個のＴｙｐｅ１ ＰＨを生成し、生成した各Ｔｙｐｅ１ ＰＨ及びＴｙｐｅ２ ＰＨを、現在アップリンクサブフレームにおいて、ネットワーク側に報告する。
端末が異なるキャリア組に対応する異なるアップリンクキャリア上でＰＵＣＣＨを伝送することをサポートする場合、本技術案は、端末がＰＨ報告をする具体的な実施方法を提供する。端末が異なるキャリア組に対応する異なるアップリンクキャリア上でＰＵＣＣＨを伝送することをサポートする場合、ＰＨ報告をどうするのかとの技術課題を解決した。
【０４１２】
よって、本出願の効果は以下のようになる。
本出願に係る実施例が提供する案によれば、端末がＰＨ報告が必要となる複数のＰＵＣＣＨ伝送用のアップリンクキャリアにおける各アップリンクキャリアのため、１個のタイプＴｙｐｅ１ ＰＨ及び１個のＴｙｐｅ２ ＰＨを生成し、ＰＨ報告が必要となる、ＰＵＣＣＨ伝送用のアップリンクキャリア以外の各アップリンクキャリアのため、１個のＴｙｐｅ１ ＰＨを生成し、生成した各Ｔｙｐｅ１ ＰＨ及びＴｙｐｅ２ ＰＨを、現在アップリンクサブフレームにおいて、ネットワーク側に報告する。
端末が異なるキャリア組に対応する異なるアップリンクキャリア上でＰＵＣＣＨを伝送することをサポートする場合、本技術案は、端末がＰＨ報告をする具体的な実施方法を提供する。端末が異なるキャリア組に対応する異なるアップリンクキャリア上でＰＵＣＣＨを伝送することをサポートする場合、ＰＨ報告をどうするのかとの技術課題を解決した。
【０４１３】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置と光学記憶装置等を含むがそれとは限らない）において実施する。
【０４１４】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。  
【０４１５】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０４１６】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。  
【０４１７】
上述した実施形態に記述された技術的な解決手段を改造し、或いはその中の一部の技術要素を置換することもできる。そのような、改造と置換は本発明の各実施形態の技術の範囲から逸脱するとは見なされない。
【０４１８】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。  
【図１】
2016510561.tif 000129
【図２】
2016510561.tif 000130
【図３Ａ】
2016510561.tif 000131
【図３Ｂ】
2016510561.tif 000132
【図３Ｃ】
2016510561.tif 000133
【図４】
2016510561.tif 000134
【図５】
2016510561.tif 000135
【図６】
2016510561.tif 000136
【図７】
2016510561.tif 000137
【図８】
2016510561.tif 000138
【国際調査報告】
2016510561.tif 000139
2016510561.tif 000140
2016510561.tif 000141
2016510561.tif 000142